(57)【要約】【課題】  複数の始動口が設けられた遊技機を好適に改良する。【解決手段】  本発明によれば、遊技球が右始動入賞装置４３２に入球したことで、当該遊技球が右始動入賞スイッチ４４２により検出された場合には、リンク機構８４０によって、振分部６２０による次回の振り分け先を、第１特別図柄抽選に係る検出部（左側中始動入賞スイッチ４４１Ａ）に変更することができるので、遊技球が第２変動表示の実行に係る検出部に偏って検出されることを抑制できる。乱数値記憶手段には変動表示の種別毎に保留記憶できる乱数値に上限があるので、特定の種別の変動表示（すなわち、第２変動表示）の実行に係る検出部に偏って遊技球が検出されることが抑制されることで、特定の種別の変動表示に対応する乱数値が保留記憶できなくなる状況を抑制できる。【選択図】  図２３
2020157153.tif 000002
【特許請求の範囲】
【請求項１】
遊技球を検出可能な検出部と、該検出部により遊技球が検出されたことに基づいて、遊技球を検出した前記検出部に応じた特典を付与する特典付与手段と、を備えた遊技機であって、
所定の振分用入口に進入した遊技球を第１の振り分け先に出力可能な第１の姿勢と、該第１の姿勢とは異なる姿勢であって前記振分用入口に進入した遊技球を前記第１の振り分け先とは異なる第２の振り分け先に出力可能な第２の姿勢をとることが可能に構成された振分部材と、
前記振分用入口に進入した遊技球を検出して所定の図柄の変動表示を行う始動条件を成立させる振分側球検出部と、
所定の動作口に進入した遊技球を検出して前記所定の図柄とは別の図柄の変動表示を行う始動条件を成立させる作動部側球検出手段と、
前記動作口へ進入した遊技球の自重によって、所定の姿勢から別の姿勢に変位する動作を行う作動部と、
前記振分用入口に遊技球が進入して前記振分部材が動作した場合に動作する振分側動作部と、
前記振分部材が前記第１の姿勢と前記第２の姿勢とのいずれか一方の姿勢によって遊技球を振り分ける状況では機能せず、他方の姿勢によって遊技球を振り分ける状況に限って、遊技球の自重を利用して、前記振分側動作部と、前記作動部とを連動させることが可能に構成されたリンク機構とを備えていることを特徴とする遊技機。
【請求項２】
前記遊技機は、パチンコ遊技機であることを特徴とする請求項１に記載の遊技機。
【発明の詳細な説明】
【技術分野】
【０００１】
本発明は、弾球遊技機に代表される遊技機に関する。
【背景技術】
【０００２】
従来、遊技機の代表例としてパチンコ機がある。従来の典型的なパチンコ機において、遊技領域に設けられた始動口に入球した場合に、その入球に応じて抽選を行い、当該抽選において大当りに当選した場合に、特別遊技状態となって多数の遊技球が入賞口へ入球可能となる構成が知られている。また、複数の始動口（例えば、２つの始動口）を設け、始動口毎に、当り情報を各始動口に対して許容される上限数まで保留記憶可能にした遊技機が知られている（例えば、特許文献１参照）。
【先行技術文献】
【特許文献】
【０００３】
【特許文献１】特開２０１６−２２１４７号公報参照
【発明の概要】
【発明が解決しようとする課題】
【０００４】
しかしながら、上記従来の遊技機のように、複数の始動口が設けられた遊技機について未だ改良の余地がある可能性があった。
【０００５】
そこで、本発明に係る遊技機では、複数の始動口が設けられた遊技機を好適に改良することを目的としている。
【課題を解決するための手段】
【０００６】
本発明に係る遊技機は、上記の課題を解決するために、
遊技球を検出可能な検出部と、該検出部により遊技球が検出されたことに基づいて、遊技球を検出した前記検出部に応じた特典を付与する特典付与手段と、を備えた遊技機であって、
所定の振分用入口に進入した遊技球を第１の振り分け先に出力可能な第１の姿勢と、該第１の姿勢とは異なる姿勢であって前記振分用入口に進入した遊技球を前記第１の振り分け先とは異なる第２の振り分け先に出力可能な第２の姿勢をとることが可能に構成された振分部材と、
前記振分用入口に進入した遊技球を検出して所定の図柄の変動表示を行う始動条件を成立させる振分側球検出部と、
所定の動作口に進入した遊技球を検出して前記所定の図柄とは別の図柄の変動表示を行う始動条件を成立させる作動部側球検出手段と、
前記動作口へ進入した遊技球の自重によって、所定の姿勢から別の姿勢に変位する動作を行う作動部と、
前記振分用入口に遊技球が進入して前記振分部材が動作した場合に動作する振分側動作部と、
前記振分部材が前記第１の姿勢と前記第２の姿勢とのいずれか一方の姿勢によって遊技球を振り分ける状況では機能せず、他方の姿勢によって遊技球を振り分ける状況に限って、遊技球の自重を利用して、前記振分側動作部と、前記作動部とを連動させることが可能に構成されたリンク機構とを備えていることを特徴としている。
【発明の効果】
【０００７】
本発明に係る遊技機であれば、複数の始動口が設けられた遊技機を好適に改良することができる。
【図面の簡単な説明】
【０００８】
【図１】遊技機の一例としてのパチンコ機の正面側斜視図
【図２】パチンコ機を開放状態で示す斜視図
【図３】パチンコ機を他の開放状態で示す斜視図
【図４】パチンコ機を更に他の開放状態で示す斜視図
【図５】パチンコ機の正面図
【図６】パチンコ機の前ブロックを取り外した状態を示す正面図
【図７】遊技盤の正面図
【図８】パチンコ機の背面側斜視図
【図９】パチンコ機の背面図
【図１０】パチンコ機の電気的な構成を示すブロック図
【図１１】主制御メイン処理の一例を示すフローチャート
【図１２】主制御割込み処理の一例を示すフローチャート
【図１３】前側から見た中始動入賞装置の分解斜視図
【図１４】前カバーと台板との間の構造を説明するための斜視断面図
【図１５】（ａ）は、図１４に示す中始動入賞装置を正面から見た断面図であり、（ｂ）は、従球通路を通る平面で切断した中始動入賞装置の概略的な正面断面図である
【図１６】（ａ）は、図１５（ａ）のＡ−Ａ線における中始動入賞装置の断面図であり、（ｂ）は、誘導部に沿って流下する遊技球を説明するための概略的な断面図である
【図１７】図１５（ａ）のＢ−Ｂ線における中始動入賞装置の断面図
【図１８】第２実施形態の中始動入賞装置を説明するための断面図
【図１９】第３実施形態の中始動入賞装置における、各従球通路を通る平面で切断した概略的な正面断面図
【図２０】（ａ）は、リンク機構の正面図であり、（ｂ）は、図２０（ａ）における矢印Ｃ方向に見たリンク機構の側面図である
【図２１】第３実施形態のリンク機構の動作を説明する図
【図２２】第４実施形態のパチンコ機における遊技領域の概略的な正面図
【図２３】第４実施形態のリンク機構の構成および動作を説明する図
【図２４】（ａ）は、第５実施形態のパチンコ機における遊技領域の概略的な正面図であり、（ｂ）〜（ｄ）は、第５実施形態の右始動入賞装置の構成および動作を説明する図である。
【図２５】第６実施形態に係る遊技盤の正面図
【図２６】貯留装置付近の概略的な正面図
【図２７】貯留装置付近の概略的な正面図
【図２８】貯留装置付近の概略的な正面図
【図２９】貯留装置付近の概略的な正面図
【図３０】貯留装置付近の概略的な正面図
【図３１】貯留装置付近の概略的な正面図
【図３２】第７実施形態の振分装置の斜視図
【図３３】（ａ）は、球支持部材の正面図であり、（ｂ）は、球支持部材が第１位置に配置された場合における、クルーンの孔との位置関係を説明する図であり、（ｃ）は、球支持部材が第２位置に配置された場合における、クルーンの孔との位置関係を説明する図であり、（ｄ）は、図３３（ｃ）のＤ−Ｄ線における球支持部材の断面図である。
【発明を実施するための形態】
【０００９】
本発明に係る遊技機の実施形態について、遊技機の一種である弾球遊技機の一例としてのパチンコ機１００を説明し、その後に変形例や他の種類の遊技機を説明する。まず、パチンコ機１００の実施形態について、構造的な構成、電気的な構成、各種の制御処理を順に説明する。
【００１０】
＜構造的な構成＞
まず、図１から図９を主に参照して、パチンコ機１００の構造部分の構成について説明する。図１〜図４は、パチンコ機１００の各種状態を示す斜視図であり、図１はパチンコ機１００の閉鎖状態を示し、図２は外枠１０１に対して前ブロック１０２及び中間ブロック１０３が一体的に開放されている状態を示し、図３は中間ブロック１０３に対して前ブロック１０２が開放されている状態を示し、図４は中間ブロック１０３に対して後ブロック１０４が開放されている状態を示している。また、図５は、パチンコ機１００の正面図であり、図６は、図５の状態からパチンコ機１００の前ブロック１０２を取り外した状態を示している。なお、各図において各種の配線は省略されており、また、図３及び図６において遊技盤４００の構成の一部は省略されている。
【００１１】
パチンコ機１００は、例えば、図１〜図４に示すように、外枠１０１と、前ブロック１０２と、中間ブロック１０３と、後ブロック１０４とを備え、これら各部位を所定の操作により相対的に変位可能に構成されている。
【００１２】
外枠１０１は、パチンコ機１００の本体部分を支持する本体支持手段としての機能を有している。外枠１０１は、例えば、図２に示すように、天板部１１１、底板部１１２、左側板部１１３及び右側板部１１４が組み付けられた略四辺形状の枠体であり、パチンコ機１００を設置する遊技場に設けられた遊技機設置設備（島設備）に嵌め込まれると共に固定具（図示せず）によって強固に固定される。なお、パチンコ機１００において外枠１０１は必須の構成ではなく、外枠１０１又は外枠１０１と同一の内形形状を有し、外枠１０１を除いたパチンコ機１００の構成に相当する本体部分を支持する支持機構や、その本体部分を施錠する施錠機構の一部が島設備に備え付けられた構成としても良い。
【００１３】
外枠１０１における左右方向の一方側（左側板部１１３側）には、中間ブロック支持機構１２１，１２２が設けられている。この中間ブロック支持機構１２１，１２２によって外枠１０１と中間ブロック１０３とが接続（連結）され、パチンコ機１００の本体部分が、パチンコ機１００の正面視における左右方向の一端側（左側）を回動基端側とし、他端側（右側）を回動先端側として前方へ回動可能に構成されている。
【００１４】
中間ブロック支持機構１２１，１２２は、例えば、図１に示すように、外枠１０１の上端部と下端部とに離間して設けられている。中間ブロック支持機構１２１，１２２の各々は、例えば、外枠１０１に設けられる軸支持部によって、中間ブロック１０３に設けられる軸部が下側より支持され、軸支持部に設けられる軸孔に軸部が差し込まれた状態とされることにより、回動可能に構成されている。なお、中間ブロック１０３を含むパチンコ機１００の本体部分を回動可能とする構成は、上記構成に限らず、中間ブロック１０３側に軸孔を設け、外枠１０１側に軸部を形成するなど、他の構成としても良い。
【００１５】
中間ブロック支持機構１２１，１２２には、所定の取り外し操作によって外枠１０１と中間ブロック１０３との接続状態を解除する機能が設けられ、中間ブロック１０３を含むパチンコ機１００の本体部分が外枠１０１に対して取り外し可能に取り付けられている。例えば、外枠１０１に対して中間ブロック１０３を一定量以上開放し、且つ、上方側へ一定量移動させるという所定の取り外し操作をすることにより、外枠１０１に対する中間ブロック１０３の接続状態が解除される。これにより、外枠１０１に対してパチンコ機１００の本体部分が取り外し可能とされている。
【００１６】
中間ブロック１０３に対して前側には、前ブロック１０２が重なるようにして配置され、正面視左側に設けられる前ブロック支持機構１３１，１３２によって中間ブロック１０３と前ブロック１０２とが接続されている。前ブロック支持機構１３１，１３２は、中間ブロック支持機構１２１，１２２と同様の構成とされ、中間ブロック１０３に対して前ブロック１０２を前方へ回動可能に支持し、且つ、所定の取り外し操作により取り外し可能に構成されている。
【００１７】
中間ブロック１０３に対して後側には、後ブロック１０４が重なるようにして配置され、正面視左側に設けられる後ブロック支持機構１３６，１３７（図８参照）によって中間ブロック１０３と後ブロック１０４とが接続されている。後ブロック支持機構１３６，１３７には、中間ブロック支持機構１２１，１２２及び前ブロック支持機構１３１，１３２と同様の構成とされ、中間ブロック１０３に対して後ブロック１０４を後方へ回動可能に支持し、且つ、所定の取り外し操作により取り外し可能に支持する構成とされている。
【００１８】
また、パチンコ機１００には、外枠１０１に対する中間ブロック１０３の開閉を規制する中間ブロック施錠機構と、中間ブロック１０３に対する前ブロック１０２の開閉を規制する前ブロック施錠機構と、中間ブロック施錠機構及び前ブロック施錠機構の解錠や施錠を行うために操作される錠操作機構とが設けられている。また、図３に示すように、中間ブロック１０３には、前ブロック１０２の開口を通してパチンコ機１００の前面側に露出する錠操作機構としてのキーシリンダ１４１が設けられている。
【００１９】
キーシリンダ１４１に対する所定の操作として、操作キー（図示せず）による右回転操作をした場合には、中間ブロック１０３に設けられた中間ブロック施錠機構の可動部１４３が作動する。これにより、中間ブロック施錠機構の一部として外枠１０１に設けられた被係合部１４２と可動部１４３との係合が解除されて、中間ブロック１０３は外枠１０１に対して開閉許容状態となる。
【００２０】
一方、キーシリンダ１４１に対する所定の操作キーによる左回転操作に応じて、中間ブロック１０３に設けられた前ブロック施錠機構の可動部１４４が作動する。これにより、前ブロック施錠機構の一部として前ブロック１０２に設けられた被係合部１４５と可動部１４４との係合が解除されて、前ブロック１０２は中間ブロック１０３に対して開閉許容状態となる。
【００２１】
また、パチンコ機１００には、中間ブロック１０３に対する後ブロック１０４の開閉を規制する後ブロック開閉規制機構が設けられている。この後ブロック開閉規制機構により、中間ブロック１０３に対して後ブロック１０４は、開閉が禁止された状態（開閉禁止状態）と開閉が許容された状態（開閉許容状態）とを所定の操作によって切り替え可能とされている。
【００２２】
後ブロック開閉規制機構は、例えば、図４に示すように、中間ブロック１０３に設けられる２つの開閉規制部１５０Ａ，１５０Ｂと、後ブロック１０４に設けられる１つの開閉規制部１５０Ｃとによって構成されている。これら３つの開閉規制部１５０Ａ〜１５０Ｃには、回転操作が可能な回動片１５１Ａ〜１５１Ｃが設けられている。回動片１５１Ａ〜１５１Ｃは、回転操作により、後ブロック１０４の閉鎖状態において前後に重なるように配置される開口部分との係合状態が変化し、これにより、開閉禁止状態に対応した開閉禁止姿勢と、開閉許容状態に対応した開閉許容姿勢とを切り替え操作可能とされている。全ての回動片１５１Ａ〜１５１Ｃを開閉許容姿勢にすると各回動片１５１Ａ〜１５１Ｃが開口を通過可能となって、後ブロック１０４が中間ブロック１０３に対して開閉許容状態となる。なお、開閉禁止姿勢及び開閉許容姿勢としては、開閉禁止状態と開閉許容状態が回動片１５１Ａ〜１５１Ｃの位置及び向きの少なくともいずれかの変化により切り替えられれば良く、一定位置で回転のみする構成としても良いし、一定方向に移動する構成としても良いし、移動と回転との組合せにより動作する構成としても良い。以下、各装置における構成部材が複数の姿勢の間を移行する場合における姿勢の変化についても同様とする。
【００２３】
３つの回動片１５１Ａ〜１５１Ｃのうち、それらの一部に相当する２つの回動片１５１Ａ，１５１Ｂは、図２に示すように、後ブロック１０４の開閉禁止状態において後ブロック１０４に形成された開口を通してパチンコ機１００の背面側に露出し、残り部分に相当する１つの回動片１５１Ｃは、図６に示すように、中間ブロック１０３の前側に露出している。このため、パチンコ機１００の背面側、又は中間ブロック１０３の前面側といった一方側からの操作だけでは、全ての回動片１５１Ａ〜１５１Ｃを開閉許容姿勢に切り替えることはできず、これにより、防犯性が高められている。
【００２４】
また、パチンコ機１００には、中間ブロック１０３から前ブロック１０２への遊技球の移動を規制する遊技球移動規制機構が設けられている。遊技球移動規制機構は、例えば、図３及び図６に示すように、中間ブロック１０３に設けられた流下規制片１６１と、前ブロック１０２に設けられた規制変更部１６２との組合せにより構成され、前ブロック１０２が位置する前方側へ流下規制片１６１がコイルバネ（図示せず）により付勢される構成とされている。
【００２５】
中間ブロック１０３に対して前ブロック１０２が閉鎖された状態（前ブロック１０２の閉鎖状態）においては、流下規制片１６１は、遊技球の流下を許容する移動許容状態とされ、具体的には、規制変更部１６２により中間ブロック１０３の後方側へ押圧されて押し込まれる。流下規制片１６１は、移動許容状態において中間ブロック１０３から前ブロック１０２に遊技球を誘導するための誘導通路（図示せず）に対して後側にずれて配置される。これにより、前ブロック１０２の閉鎖状態においては、中間ブロック１０３から前ブロック１０２への遊技球の移動が許容される。
【００２６】
一方、中間ブロック１０３に対して前ブロック１０２が開放された状態（前ブロック１０２の開放状態）においては、規制変更部１６２による流下規制片１６１の押圧が解除され、前ブロック１０２の閉鎖状態に比べて流下規制片１６１が前ブロック１０２側へ突出する移動禁止状態とされる。流下規制片１６１は、移動禁止状態において誘導通路内に突出し、下流側への遊技球の流下を阻止する。これにより、中間ブロック１０３から前ブロック１０２への遊技球の移動が禁止される。
【００２７】
また、パチンコ機１００には、図２に示すように、例えば中間ブロック１０３の後側であって回動先端側（背面視左側）における下端部に、外枠１０１に対して中間ブロック１０３が閉鎖されているか否かを検出する開閉検出スイッチ１０８が設けられ、また、図３に示すように、例えば中間ブロック１０３の前側であって回動先端側（正面視右側）における下端部に、中間ブロック１０３に対して前ブロック１０２が閉鎖されているか否かを検出する開閉検出スイッチ１０９が設けられている。
【００２８】
次に、前ブロック１０２、中間ブロック１０３及び後ブロック１０４の各構成について順に説明する。
【００２９】
前ブロック１０２は、図１及び図３に示すように、パチンコ機１００の前面の略全体を形成し、前後方向に厚みを有する略長方形状の部材であり、パチンコ機１００の前側表面部分を装飾する前面装飾手段としての機能を有している。前ブロック１０２は、合成樹脂製の基枠２０１を主体に構成され、基枠２０１の前後に複数の機能部品を取り付けて構成されている。基枠２０１の前面側には、パチンコ機１００の前面を形成する前面装飾体２１０が、前ブロック１０２の正面視中央部分を含んで形成される開口２１０Ａの外縁に沿って開口２１０Ａを囲った状態にして取り付けられている。前ブロック１０２を構成する基枠２０１と前面装飾体２１０とを組み合わせた状態においては、前面装飾体２１０が取り付けられた外周部を除いた広範囲にわたって開口２１０Ａが前後方向に貫通形成される。この開口２１０Ａを通じて、前ブロック１０２の後側に位置する遊技盤４００を含む中間ブロック１０３が遊技者から視認可能に構成されている。
【００３０】
また、前ブロック１０２には、図１及び図３に示すように、開口２１０Ａを塞ぐように基枠２０１の背面側に設けられた中央パネル２２０と、遊技球を貯留する主貯留機構２３０と、遊技球を貯留する補助貯留機構２４０と、主貯留機構２３０に貯留されている遊技球を発射するために遊技者によって操作される発射操作装置２５０とを備えている。
【００３１】
また、前ブロック１０２には、図１及び図５に示すように、前面装飾体２１０の一部として、開口２１０Ａの周縁を囲う開口周縁部２１１と、開口２１０Ａに対して下側において前方に突出する上側突出部２１７と、上側突出部２１７に対して下側に位置して前方に突出する下側突出部２１８と、下側突出部２１８の右側であって上側突出部２１７及び下側突出部２１８より奥側に位置する概ね平坦な領域で構成されて発射操作装置２５０が配置される平坦部２１９とが形成されている。上側突出部２１７には、主貯留機構２３０が配置され、下側突出部２１８には、補助貯留機構２４０が配置される。
【００３２】
中央パネル２２０は、基枠２０１と前面装飾体２１０とを組み合わせた状態において前後方向に貫通形成される開口２１０Ａを塞ぎつつ後方側を視認可能とするカバー体としての機能を有している。中央パネル２２０は、例えば、図１及び図３に示すように、基枠２０１の後方側から取着されるパネル枠２２１（図３参照）と、パネル枠２２１の前側に嵌め込まれた光透過性の前方板２２２（図１参照）と、パネル枠２２１の後側に前方板２２２と所定の間隙を隔てて略平行に嵌め込まれた光透過性の後方板２２３（図３参照）とを備えている。
【００３３】
主貯留機構２３０は、遊技進行に応じて獲得した遊技球や、遊技場から貸し出された遊技球を貯留する機能を有している。主貯留機構２３０は、例えば、図１に示すように、貯留部２３１と、球抜き機構（図示せず）と、その球抜き機構を作動させる球抜き操作部材２３２とを備えている。貯留部２３１には、パチンコ機１００の内部から貯留部２３１へ遊技球を流入させる流入口２３１Ａと、貯留部２３１からパチンコ機１００の内部へ遊技球を流出させる流出口（図示せず）と、流出口より上流側に形成される放出口（図示せず）とが設けられている。この放出口の開放により貯留部２３１から遊技球がパチンコ機１００の内部に取り込まれることなく遊技者側に放出される。球抜き機構は、遊技球の放出先を、流出口と放出口との間で切り換える機能を有している。
【００３４】
遊技進行に応じて獲得した遊技球や、後述する貸出操作装置２９２に対する貸出操作に応じて貸し出された遊技球は、主に流入口２３１Ａを通して貯留部２３１に流入する。また、貯留部２３１は、上方側に開口形成されており、この開口部分を通じて、遊技者が所有する遊技球が手操作により投入されたり、遊技場において貸し出される遊技球が供給されたりする。
【００３５】
貯留部２３１に流入した遊技球は一列に整列させられながら流出口及び放出口の形成されている側（図１の右上側）へ順次に案内される。球抜き操作部材２３２に対する球抜き操作（例えば、押下操作）が行われていない場合には遊技球は流出口を通して後述する発射装置３３０（図３参照）に誘導される。一方、球抜き操作部材２３２に対する球抜き操作が行われている場合には、遊技球は放出口を通して補助貯留機構２４０（図１参照）に誘導される。
【００３６】
補助貯留機構２４０は、図１及び図５に示すように、遊技球の流入口２４１Ａ，２４１Ｃ（図５参照）及び放出口２４１Ｂ（図１参照）を有する貯留部２４１と、放出口２４１Ｂを開閉させる球抜き機構２４３と、その球抜き機構２４３を作動させる球抜き操作部材２４２とを備えている。遊技進行に応じて獲得した遊技球等は主に主貯留機構２３０に流入するが貯留部２３１が満杯であれば流入口２４１Ａを通して貯留部２４１に流入する。また、球抜き操作部材２３２に対する球抜き操作に応じても、遊技球は流入口２４１Ｃを通して貯留部２３１から貯留部２４１に流入する。
【００３７】
貯留部２４１の底面は放出口２４１Ｂに向けて下降傾斜している。球抜き操作部材２４２に対する球抜き操作（例えば、押圧操作）によって放出口２４１Ｂを開放すると、貯留部２４１に貯留されている全ての遊技球を順次にパチンコ機１００の外部に放出できる。なお、球抜き操作部材２４２に対する球抜き操作によって放出口２４１Ｂが完全に開放された場合には、球抜き操作部材２４２に対する復帰操作（例えば、再度の押圧操作）がなされるまで、その開放状態に維持される。流入口２４１Ａの奥方には貯留部２４１に過剰に遊技球が貯留されているか否かを検出する球溢れスイッチ２４９（図１０参照）が設けられている。
【００３８】
発射操作装置２５０は、図１及び図５に示すように、前面装飾体２１０の平坦部２１９から前方に突出する台座２５１と、台座２５１の周囲に設けられた回動自在な発射ハンドル２５２と、発射ハンドル２５２の回転操作量を検出する可変抵抗器２５３（図１０参照）と、発射ハンドル２５２に遊技者が接触していることを検出する接触センサ２５４（図１０参照）と、発射ハンドル２５２の回転操作に伴う遊技球の射出を遊技者の操作によって無効化する発射停止スイッチ２５５（図５参照）とを含んでいる。遊技者によって発射ハンドル２５２が回転操作されると、その回転操作量に対応する強度で発射装置３３０（図３参照）から遊技球が遊技盤４００（図３参照）に向けて射出される。なお、接触センサ２５４によって発射ハンドル２５２と遊技者との接触が検出されていない場合や、発射停止スイッチ２５５の操作によって発射操作が無効化されている場合には、発射ハンドル２５２が回転操作されていても発射装置３３０から遊技球は射出されない。
【００３９】
また、前ブロック１０２における前面装飾体２１０の奥方には、枠発光装置２７１〜２７５（図１０参照）が設けられている。枠発光装置２７１〜２７５は、前面装飾体２１０の開口周縁部２１１に対して奥側に重なるようにして配置され、基枠２０１に取り付けられている。開口周縁部２１１は、図５に示すように、上側中央縁部２１１Ａと、上側中央縁部２１１Ａに対して左右両側に位置する左上側縁部２１１Ｂ及び右上側縁部２１１Ｃと、左上側縁部２１１Ｂに対して下側に位置する左側縁部２１１Ｄと、右上側縁部２１１Ｃに対して下側に位置する右側縁部２１１Ｅとを発光部として有し、それぞれの発光部に対応して枠発光装置２７１〜２７５が設置されている。
【００４０】
枠発光装置２７１〜２７５は、上側中央縁部２１１Ａに対応する上中央枠発光装置２７１と、左上側縁部２１１Ｂに対応する左上枠発光装置２７２と、右上側縁部２１１Ｃに対応する右上枠発光装置２７３と、左側縁部２１１Ｄに対応する左側枠発光装置２７４と、右側縁部２１１Ｅに対応する右側枠発光装置２７５（図１０参照）とにより構成されている。枠発光装置２７１〜２７５の各々は、１又は複数の発光手段としての発光ダイオード（ＬＥＤ）と、ＬＥＤを制御するための抵抗等の電子部品と、これら電子部品を一体化して電気的に接続するプリント基板とを有している。
【００４１】
また、前ブロック１０２には、図５に示すように、例えばその開口周縁部２１１の上部に、左上音響出力口２１１Ｆと、右上音響出力口２１１Ｇとが設けられ、また、それら左上音響出力口２１１Ｆ及び右上音響出力口２１１Ｇのそれぞれに対応して左上音響装置２８１及び右上音響装置２８２（図３及び図１０参照）が設けられている。左上音響装置２８１及び右上音響装置２８２は、前面装飾体２１０の開口周縁部２１１の奥方（後方）に位置するようにして基枠２０１に取り付けられている。
【００４２】
また、前ブロック１０２には、図１に示すように、例えば上側突出部２１７の上面右側部分に、遊技球貸出装置２９０が設けられている。遊技球貸出装置２９０は、パチンコ機１００に並んで配置されるカードユニット（図示せず）に投入された紙幣やカード等の残額に応じた数値を表示する度数表示装置２９１と、遊技球の貸し出しを受ける際に遊技者によって操作される貸出操作装置２９２と、カードユニットに投入された紙幣やカード等を返却させる際に遊技者によって操作される返却操作装置２９３とを含んでいる。カードユニットに紙幣やカード等を投入して、それらの金額に対応する数値が度数表示装置２９１に表示されている有効状態において、貸出操作装置２９２に対して貸出操作が行われると、貸出操作に応じて所定の個数の遊技球が後ブロック１０４の払出装置５４０（図８参照）から貸し出され、遊技球の貸し出しに伴って度数表示装置２９１の表示が更新される。一方、有効状態において返却操作装置２９３に対して返却操作が行われると、返却操作に応じて残額に対応する紙幣の等価物や残額を記録したカードがカードユニットから返却される。
【００４３】
また、前ブロック１０２には、図１に示すように、遊技者によって発射操作とは別の入力操作が可能な入力操作装置２６０，２６４が設けられている。入力操作装置２６０は、例えば、押込操作が可能な押圧操作装置２６１と、回転操作が可能な回転操作装置２６２と、上下左右の方向操作が可能な選択操作装置２６３とを備えている。また、入力操作装置２６４は、例えば、押込操作が可能な押圧操作装置として構成される。
【００４４】
これら操作装置２６１〜２６４により、パチンコ機１００において実行される演出を選択する演出選択操作や、パチンコ機１００の演出を実行する各装置の音量や光量を設定する装置設定操作、或いは、遊技者に関する情報を入力して前回以前の遊技に応じたパチンコ機１００の演出を実行可能とする演出設定操作等が実行可能とされ、これら操作を必要に応じて遊技者や遊技場の管理者が実行可能とされている。
【００４５】
なお、入力操作装置２６０，２６４において遊技者が接触する入力操作部（例えば、回転操作装置２６２における円環状の回転操作部）は、モータやソレノイド等の入力操作部駆動手段によって回転、上下動、又は、振動等の動作がパチンコ機１００の制御（例えば、副制御基板９４０（図１０参照）の制御）により実行可能に構成されることが好ましく、入力操作の前後、又は、入力操作中のいずれか又は複数のタイミングで入力部分を動作させることにより、入力操作を積極的に促すなど入力操作を伴う演出を多様にすることができる。
【００４６】
次に、中間ブロック１０３について説明する。中間ブロック１０３は、前ブロック１０２と略同一サイズの略長方形状をした部材であり、前ブロック１０２と後ブロック１０４とが取り付けられることにより、パチンコ機１００の本体部分を一体化した状態にする機能を有している。中間ブロック１０３は、基枠３０１に対して遊技盤４００を含む複数の機能部品を取り付けて構成されている。
【００４７】
中間ブロック１０３は、図３及び図４に示すように、開口を有する基枠３０１と、基枠３０１の開口を覆いつつ前面側より取着される遊技盤４００（図３参照）と、基枠３０１に対して遊技盤４００を回動自在及び着脱自在に支持する遊技盤支持機構と、基枠３０１に対して遊技盤４００の位置を固定する遊技盤固定機構と、遊技盤４００に遊技球を射出する発射装置３３０（図３参照）と、遊技盤４００の背面側に装着されて遊技進行を統括的に制御する主制御装置３７０（図４参照）と、主制御装置３７０からの命令に基づいて遊技演出や状態報知を制御する副制御装置３９０（図４参照）とを備えている。
【００４８】
基枠３０１には、図３に示すように、後述する払出装置５４０（図８参照）から放出された遊技球を前ブロック１０２に誘導する誘導通路が内部に形成される誘導通路部３０１Ａと、複数の配線（図示せず）や信号中継装置３１１が位置する開孔３０１Ｂとが設けられている。開孔３０１Ｂは、遊技盤４００より下側において前後方向に貫通する形状をなし、開孔３０１Ｂに挿通される複数の配線は、前ブロック１０２に設けられる種々の装置（例えば、枠発光装置２７１〜２７５、左上音響装置２８１及び右上音響装置２８２）と、中間ブロック１０３の背面側や後ブロック１０４に設けられる装置（例えば、主制御装置３７０や副制御装置３９０）とを電気的に接続するための配線を含み、信号中継装置３１１は、その配線の一部を中継する中継基板としての機能を有している。
【００４９】
遊技盤４００は、図３に示すように、排出口４０１Ａ等の遊技球が前後に通過可能な貫通孔を有する平板状の基体４０１と、基体４０１の左下から右上に亘り滑らかに湾曲する外レール４０２と、基体４０１の右下から左上に亘り滑らかに湾曲する内レール４０３と、内レール４０３の左上側の先端に取着された戻り球防止機構４０４と、外レール４０２の右上側の先端に取着される反跳防止部材４０５とを備えている。外レール４０２は、後述する発射装置３３０から発射された遊技球を遊技領域内へ誘導するものである。戻り球防止機構４０４は、外レール４０２及び内レール４０３が平行に対向する間部分で形成される発射通路４０１Ｂから遊技領域内へ一旦放出された遊技球が発射通路４０１Ｂに戻ることを防止する。反跳防止部材４０５は、遊技盤４００の上部中央を越えて右側に向かった遊技球が再び上部中央を経由して左側に戻るような遊技球の大幅な反跳を防止する衝撃吸収性を有し、例えば、制振ゴム等の材料により形成されている。
【００５０】
前ブロック１０２の背面側下部には、図３に示すように、戻り球通路部１６３が形成されている。発射装置３３０から発射通路４０１Ｂの方向へ遊技球を誘導する誘導部材３３５と外レール４０２との間には間隙があり、発射装置３３０から発射されたが戻り球防止機構４０４を超えるに至らず発射通路４０１Ｂを逆戻りする遊技球は、この間隙の下方に配置される戻り球通路部１６３を介して流入口２４１Ａ（図５参照）から補助貯留機構２４０（図５参照）に返却される。
【００５１】
戻り球防止機構４０４を超えて進行した遊技球は、遊技領域に到達し、遊技領域内を自重により落下しながら移動（流下）する。遊技領域は、略円形状の外周形状をなし、遊技球の直径より僅かに大きな前後幅を有する領域を大部分とする形状に区画されている。遊技領域は、概ね、外レール４０２及び内レール４０３とで外周部分が区画され、前側が中央パネル２２０の後方板２２３によって略平面状に区画され、後側が遊技盤４００の基体４０１によって略平面状に区画されている。なお、遊技領域に設けられる各種の構造物については後述する。
【００５２】
発射装置３３０は、図３に示すように、主貯留機構２３０に貯留されている遊技球を順次に発射位置に送り出す球送り機構３３１と、球送り機構３３１を駆動する球送りソレノイド３３２（図１０参照）と、発射位置に配置された遊技球を射出する発射機構３３３と、発射機構３３３を駆動する発射ソレノイド３３４（図１０参照）と、発射機構３３３から発射された遊技球を遊技盤４００の発射通路４０１Ｂに誘導する誘導部材３３５とを備えている。発射装置３３０は、上述のように発射操作装置２５０に対する発射操作に応じて作動し、発射操作装置２５０に対する発射操作に応じて発射ソレノイド３３４の駆動制御が変化して発射力が調整される。
【００５３】
主制御装置３７０は、図４に示すように、主制御基板９２０（図１０参照）と、主制御基板９２０を収容する２つ割り構造の基板ケース３７１とを備えている。主制御基板９２０は、痕跡を残さずには開封できないように封止された透光性を有する基板ケース３７１の内部に収容されている。
【００５４】
また、主制御装置３７０は、遊技盤４００の背面側に回動自在に取り付けられている。具体的には、遊技盤４００の基体４０１に対して背面側に取り付け部３７２が回動可能に連結固定され、その取り付け部３７２に主制御装置３７０が取り付けられている。これにより、主制御装置３７０の背面側（表面側）だけでなく、取り付け部３７２を回動操作することで主制御装置３７０の前面側（裏面側）も、遊技盤４００に主制御装置３７０を取り付けたままで容易に確認可能とされている。取り付け部３７２に対して主制御装置３７０は、痕跡を残さずには取り外しできないように連結しても良く、主制御装置３７０の取り外し状況を管理し易くしても良い。
【００５５】
副制御装置３９０は、副制御基板９４０（図１０参照）と、副制御基板９４０を収容する２つ割り構造の基板ケース３９１とを備えている。副制御基板９４０は、例えば、主制御基板９２０と同様に痕跡を残さずには開封できないように封止された透光性を有する基板ケース３９１の内部に収容された状態にして遊技盤４００の背面側に取り付けられている。
【００５６】
ここで、遊技盤４００において、遊技領域に配置される各種の構造物について、図７を主に参照して説明する。図７は、遊技盤４００の正面図である。
【００５７】
遊技盤４００は、図７に示すように、基体４０１と、遊技球の流下方向や流下速度に変化を与える釘４１１や風車４１２等の流下変化部材と、基体４０１の概ね中央に配置された中央構造体４２０と、中央構造体４２０に対して下側に配置された中始動入賞装置４３１と、中央構造体４２０に対して右下側に配置された第２特別図柄に係る始動装置（具体的には、右始動入賞装置４３２）と、右始動入賞装置４３２の下方に配置された大入賞装置４３３，４３４（具体的には、下大入賞装置４３３及び上大入賞装置４３４）と、右始動入賞装置４３２の上側（上流側）に配置された普通図柄に係る始動装置４３６と、遊技盤４００の右上側であって上下の大入賞装置４３３，４３４に対して上方（上流側）に配置された役連作動装置４３５と、中始動入賞装置４３１の左右両側に配置された一般入賞装置４３９Ａ，４３９Ｂとを備えている。
【００５８】
なお、中始動入賞装置４３１は、２つの入賞装置（具体的には、左側中始動入賞装置４３１Ａ及び右側中始動入賞装置４３１Ｂ）が一体化された入賞装置である。左側中始動入賞装置４３１Ａは、第１特別図柄に係る始動装置であり、右側中始動入賞装置４３１Ｂは、右始動入賞装置４３２と同様の第２特別図柄に係る始動装置である。つまり、中始動入賞装置４３１は、第１特別図柄に係る始動装置、及び、第２特別図柄に係る始動装置としての２つの機能を有する入賞装置である。
【００５９】
中始動入賞装置４３１は、入口６１１から進入した遊技球を、左側中始動入賞装置４３１Ａまたは右側中始動入賞装置４３１Ｂのいずれかに振り分ける振分部６２０を備える。振分部６２０は、遊技球が入口６１１から進入する毎に、遊技球の振り分け先となる入賞装置４３１Ａ，４３１Ｂが交互に切り替えられるよう構成される。これにより、中始動入賞装置４３１に進入した遊技球は、基本的に、左側中始動入賞装置４３１Ａまたは右側中始動入賞装置４３１Ｂへと交互に進入する。
【００６０】
なお、中始動入賞装置４３１は、入口６１１から進入した遊技球の一部を、いずれの中始動入賞装置４３１Ａ，４３１Ｂに進入させることなく、非常に低確率で中始動入賞装置４３１から排出する機能を有し、その詳細については後述する。入口６１１から進入した遊技球が、始動入賞装置４３１Ａ，４３１Ｂに進入することなく、排出される確率は、例えば、１／１００程度であり、好ましくは、１／１０００程度であってもよい。
【００６１】
また、遊技盤４００には、上記した左側中始動入賞装置４３１Ａ等に対応して遊技球の通過を検出する検出手段としてのスイッチが複数設けられており（図１０参照）、各スイッチに対応した所定領域への遊技球の進入が検出可能とされている。例えば、左側中始動入賞装置４３１Ａに進入した遊技球を検出する中始動入賞スイッチ（左側中始動入賞スイッチ４４１Ａ）、右側中始動入賞装置４３１Ｂに進入した遊技球を検出する中始動入賞スイッチ（右側中始動入賞スイッチ４４１Ｂ）、右始動入賞装置４３２に進入した遊技球を検出する右始動入賞スイッチ４４２、下大入賞装置４３３に進入した遊技球を検出する下大入賞スイッチ４４３、上大入賞装置４３４に進入した遊技球を検出する上大入賞スイッチ４４４、役連作動装置４３５に進入した遊技球を検出する役連作動スイッチ４４５、始動装置４３６に進入した遊技球を検出する始動スイッチ４４６、下大入賞装置４３３の内部に形成された非特定通路（図示せず）に進入した遊技球を検出する非特定通路スイッチ４４７、下大入賞装置４３３の内部に形成された特定通路（図示せず）に進入した遊技球を検出する特定通路スイッチ４４８、一般入賞装置４３９Ａ，４３９Ｂに進入した遊技球を各々検出する一般入賞スイッチ４４９Ａ，４４９Ｂ等が遊技盤４００に設置されている。
【００６２】
また、遊技盤４００には、不正防止のために各種センサが設けられており（図１０参照）、パチンコ機１００に発生した異常を検出可能とされている。例えば、磁気センサ４９１、振動センサ４９２、電波センサ４９３等が遊技盤４００に設置されている。
【００６３】
中央構造体４２０及び始動装置４３６の遊技球の入口部分は入球口を構成し、各入球口に進入した遊技球は遊技領域に放出される。各入賞装置、具体的には、左側中始動入賞装置４３１Ａ、右側中始動入賞装置４３１Ｂ、右始動入賞装置４３２、下大入賞装置４３３、上大入賞装置４３４及び一般入賞装置４３９Ａ，４３９Ｂの遊技球の入口部分は入賞口を構成し、各入賞口に進入した遊技球は基体４０１に形成された貫通孔を通して基体４０１の背面側に形成された回収排出通路（図示せず）に案内される。また、各入賞装置に進入しなかった遊技球は、遊技領域の最下流側部分に設けられるアウト口としての排出口４０１Ａを通して回収排出通路へ案内される。回収排出通路に案内された遊技球は、パチンコ機１００から遊技場に設けられた遊技球循環装置（図示せず）に排出される。いずれかの入賞装置に遊技球が進入した場合には、入賞装置の種類に応じた所定の個数の遊技球が払出装置５４０（図８及び図９参照）から払い出される。なお、各入賞装置は、他の入賞装置と別々に構成されても良いし、中始動入賞装置４３１のように、２以上の入賞装置（例えば、左側中始動入賞装置４３１Ａ及び右側中始動入賞装置４３１Ｂ）が一体化された装置によって入賞装置が構成されても良い。また、中始動入賞装置４３１Ａ等の始動装置については必ずしも遊技球が進入した場合に所定の個数の遊技球が払い出される入賞口とする必要はなく、遊技球が払い出されることなく遊技領域に再び放出される入球口としても良い。
【００６４】
一般入賞装置４３９Ａ及び一般入賞装置４３９Ｂの各々は、それらへの遊技球の進入確率を変化させず、進入した遊技球を基体４０１の背面側へ誘導する。中始動入賞装置４３１は、入口６１１への進入確率は変化させないものの、上述したように、中始動入賞装置４３１に進入した遊技球の一部は、左右の中始動入賞装置４３１Ａ，４３１Ｂのいずれにも進入することなく（すなわち、基体４０１の背面側へ誘導されることなく）、遊技盤４００上（すなわち、遊技領域）に排出される。
【００６５】
また、第２特別図柄に係る右始動入賞装置４３２は、その内部への遊技球の進入確率を変化させる機構を有している。なお、遊技球の進入確率を変化させる機構は、第２特別図柄に係る始動装置のみに設ける必要はなく、それに代えて、又は、それに加えて、第１特別図柄に係る始動装置、一般入賞装置４３９Ａ，４３９Ｂ、第１特別図柄に係る始動装置と第２特別図柄に係る始動装置とを含む中始動入賞装置４３１のような入賞装置のいずれか又は複数に設けても良い。また、遊技球の進入確率を変化させる機構は、電気的に駆動されるソレノイド等の駆動手段により構成しても良いし、所定領域へ入球した遊技球の自重により動作する機構に代表される機械的に動作する機構により構成しても良い。
【００６６】
第２特別図柄に係る右始動入賞装置４３２は、進入許容姿勢と進入禁止姿勢との間の移行によって、その内部への遊技球の進入確率を変化させる右進入規制機構４５２と、右進入規制機構４５２を駆動する右進入規制ソレノイド４６２（図１０参照）とを備えている。右進入規制機構４５２は、右進入規制ソレノイド４６２によって駆動される２つの可動片を備えており、右進入規制機構４５２が進入禁止姿勢である場合には、２つの可動片が進入口（入賞口）を狭窄する（又は閉鎖する）配置をとることによって遊技球は右始動入賞装置４３２に進入できないが、右進入規制機構４５２が進入許容姿勢である場合には、２つの可動片がそれらの先端部の間隔が拡大するような配置をとることによって遊技球は右始動入賞装置４３２に進入できるようになる。右進入規制機構４５２は、普通図柄に係る始動装置４３６へ進入した遊技球が始動スイッチ４４６で検出されることに基づく抽選（以下において「普通図柄抽選」とも称す）で当選した場合に、右進入規制ソレノイド４６２による駆動に応じて所定の回数及び所定の時間だけ進入許容姿勢に移行する。
【００６７】
下大入賞装置４３３には、図７に示すように、進入許容姿勢と進入禁止姿勢との間の移行によって、その内部への遊技球の進入を規制する下進入規制機構４５３と、下進入規制機構４５３の姿勢を変化させる下進入規制ソレノイド４６３（図１０参照）と、非誘導姿勢と誘導姿勢との間の移行によって、下大入賞装置４３３に進入した遊技球を非特定通路又は特定通路に振り分ける振分機構（図示せず）と、振分機構の姿勢を変化させて遊技球の誘導先を切り換える切換ソレノイド４６５（図１０参照）とが設けられている。下大入賞装置４３３の下進入規制機構４５３が進入禁止姿勢である場合には、下進入規制機構４５３が進入口（入賞口）を閉鎖することによって遊技球は下大入賞装置４３３に進入できないが、下進入規制機構４５３が進入許容姿勢である場合には、下進入規制機構４５３が進入口を開放することによって遊技球は下大入賞装置４３３に進入できるようになる。また、下大入賞装置４３３に進入した遊技球は、振分機構が前方に突出する非誘導姿勢である場合には非特定通路に案内され、振分機構が後方に没入する誘導姿勢である場合には特定通路に誘導される。特定通路、非特定通路及び振分機構は、遊技状態の移行を多様にするために設けられ、特定通路へ遊技球が進入した場合には、遊技者に特典として有利な遊技状態が付与される。
【００６８】
上大入賞装置４３４には、図７に示すように、進入許容姿勢と進入禁止姿勢との間の移行によって、その内部への遊技球の進入を規制する上進入規制機構４５４と、上進入規制機構４５４の姿勢を変化させる上進入規制ソレノイド４６４（図１０参照）とが設けられている。上進入規制機構４５４が進入禁止姿勢である場合には、上進入規制機構４５４が進入口（入賞口）を閉鎖することによって遊技球は上大入賞装置４３４に進入できないが、上進入規制機構４５４が進入許容姿勢である場合には、上進入規制機構４５４が進入口を開放することによって遊技球は上大入賞装置４３４に進入できるようになる。
【００６９】
なお、右進入規制機構４５２等の内部への遊技球の進入確率を変化させる機構としての進入許容姿勢及び進入禁止姿勢としては、各機構を構成して各装置の入賞口（又は入球口）に遊技球が進入可能な特別状態と、遊技球が進入不能な通常状態とを切り替える動作部材の姿勢変化に対応し、各姿勢に応じて動作部材の位置及び向きの少なくともいずれかが異なるものであれば良い。また、右進入規制機構４５２等の遊技球の進入確率を変化させる機構として、遊技球が進入不能な状態を通常状態とする必要は必ずしもなく、通常状態においても遊技球の進入を許容し、特別状態においては通常状態より遊技球が進入し易い状態に動作部材の姿勢が変化する構成としても良い。
【００７０】
下大入賞装置４３３及び上大入賞装置４３４には、大当りの抽選に当選した場合に遊技球が進入可能となる。具体的には、第１特別図柄に係る左側中始動入賞装置４３１Ａへ進入した遊技球が左側中始動入賞スイッチ４４１Ａで検出されることに基づく抽選（以下において「第１特別図柄抽選」とも称す）に当選した場合、又は、第２特別図柄に係る右側中始動入賞装置４３１Ｂ若しくは右始動入賞装置４３２へ進入した遊技球が右側中始動入賞スイッチ４４１Ｂ若しくは右始動入賞スイッチ４４２で検出されることに基づく抽選（以下において「第２特別図柄抽選」とも称す）に当選した場合には、下進入規制ソレノイド４６３又は上進入規制ソレノイド４６４の少なくとも一方が作動する。この作動によって所定の回数に亘り所定の時間だけ下進入規制機構４５３又は上進入規制機構４５４の少なくとも一方が進入許容姿勢をとる。また、振分機構は、下進入規制機構４５３の進入許容姿勢への移行から所定の時間後に切換ソレノイド４６５の作動に応じて誘導姿勢に移行し、更に誘導姿勢への移行から所定の時間後に切換ソレノイド４６５の停止に応じて非誘導姿勢に戻る。
【００７１】
役連作動装置４３５は、下大入賞装置４３３及び上大入賞装置４３４が作動を開始するために必要な条件を設定するための装置である。大当りの抽選に当選した後には、役連作動装置４３５の遊技球の通過を条件として、下大入賞装置４３３又は上大入賞装置４３４のいずれかが作動を開始する。このため、遊技者は、大当りに当選した場合、自らの意図するタイミングで特別遊技状態を開始させることができる。なお、必ずしも役連作動装置４３５の遊技球の通過を条件として、下大入賞装置４３３又は上大入賞装置４３４のいずれかが作動を開始する構成とする必要はなく、それに代えて、又は、それに加えて、予め定めた時間の経過により下大入賞装置４３３又は上大入賞装置４３４のいずれかが作動を開始する構成としても良い。
【００７２】
また、遊技盤４００には、図７に示すように、図柄の変動表示や抽選結果を表示する表示装置４７１〜４７３と、遊技の保留回数を表示する表示装置４７６〜４７８とが一体化された複数の発光部を有する表示器が、遊技盤４００の一部に相当する左下部分に設けられている。複数の発光部は、各装置に対応する発光領域に予め区画され、各装置の状態が発光状態によって表示される。
【００７３】
具体的には、遊技盤４００には、第１特別図柄抽選に伴って、第１特別図柄を変動表示したり、第１特別図柄を抽選結果に応じた停止図柄で確定表示したりする第１特別図柄に係る特別図柄表示装置４７１と、第２特別図柄抽選に伴って、第２特別図柄を変動表示したり、第２特別図柄を抽選結果に応じた停止図柄で確定表示したりする第２特別図柄に係る特別図柄表示装置４７２と、第１特別図柄に係る単位遊技の保留回数を表示する特別図柄保留表示装置４７６と、第２特別図柄に係る単位遊技の保留回数を表示する特別図柄保留表示装置４７７とが設けられている。第１特別図柄に係る単位遊技の権利及び第２特別図柄に係る単位遊技の権利はそれぞれ最大４回まで保留される。ここで、単位遊技とは、１回の始動入賞に基づいて実行される１回分の遊技であり、１回の始動入賞に基づいて実行される抽選の当否判定と、その当否判定に基づいた抽選結果を表示するまでの変動表示の開始から終了までを含む一連の遊技をいう。
【００７４】
第１特別図柄に係る単位遊技の権利が最大回数まで保留されている場合には、左側中始動入賞装置４３１Ａに進入した遊技球が左側中始動入賞スイッチ４４１Ａ（図１０参照）によって検出されたとしても第１特別図柄に係る単位遊技の権利は追加されない。同様に、第２特別図柄に係る単位遊技の権利が最大回数まで保留されている場合に、右側中始動入賞装置４３１Ｂ又は右始動入賞装置４３２に進入した遊技球が右側中始動入賞スイッチ４４１Ｂ（図１０参照）又は右始動入賞スイッチ４４２（図１０参照）によって検出されたとしても第２特別図柄に係る単位遊技の権利は追加されない。
【００７５】
第１特別図柄に係る特別図柄表示装置４７１及び第２特別図柄に係る特別図柄表示装置４７２の各々は、複数の発光部で構成されており、主制御基板９２０（図１０参照）によって制御される。第１特別図柄の表示及び第２特別図柄の表示の各々は、複数の発光部の発光パターン（発光色を含む発光状態（消灯、点灯、点滅）の組合せ）によって表現される。第１特別図柄に係る特別図柄保留表示装置４７６及び第２特別図柄に係る特別図柄保留表示装置４７７は、２個の単色の発光部の発光状態（消灯、点灯、点滅）の組合せによって保留回数を表示する。
【００７６】
また、遊技盤４００には、普通図柄抽選に伴って、普通図柄を変動表示したり、普通図柄を抽選結果に応じた停止図柄で確定表示したりする普通図柄表示装置４７３と、普通図柄に係る単位遊技の権利の保留回数を表示する普通図柄保留表示装置４７８とが設けられている。普通図柄に係る単位遊技の権利は最大４回まで保留される。普通図柄に係る単位遊技の権利が最大回数まで保留されている場合には、始動装置４３６に進入した遊技球が始動スイッチ４４６によって検出されたとしても普通図柄に係る単位遊技の権利は追加されない。
【００７７】
普通図柄表示装置４７３は、複数の発光部で構成されており、主制御基板９２０（図１０参照）によって制御される。普通図柄は、複数の発光部の発光パターンによって表現される。また、普通図柄保留表示装置４７８は、２個の単色の発光部の発光状態（消灯、点灯、点滅）の組合せによって保留回数を表示する。
【００７８】
また、遊技盤４００には、中央構造体４２０の後方に重なるようにして、第１特別図柄及び第２特別図柄に係る単位遊技において、装飾図柄を変動表示したり、装飾図柄を確定表示したりする装飾図柄表示装置４７９が設けられている。装飾図柄の変動表示及び確定表示は、副制御基板９４０により制御され、主制御基板９２０による第１特別図柄や第２特別図柄の変動表示及び確定表示と同期している。装飾図柄の変動表示においては、第１特別図柄や第２特別図柄の変動表示よりも複雑かつ多様な演出が実行される。なお、第１特別図柄や第２特別図柄の変動表示及び確定表示と装飾図柄の変動表示及び確定表示とは、必ずしも完全に一致するタイミングで変動開始したり、確定表示として停止表示をしたりする必要はなく、各タイミングに僅かな時間差を設けつつ略同じタイミングで変動を開始し、略同じタイミングで確定表示が行われる設定としても良い。
【００７９】
また、遊技盤４００は、各種の構造物の裏側に設けられた盤面発光装置４９０（図１０参照）を備えており、盤面発光装置４９０は、副制御基板９４０による制御に基づいて遊技進行に伴う各種の発光演出や発光による状態報知を実行する。
【００８０】
ここで、各種の遊技状態及び遊技状態間の移行について説明する。通常時の遊技状態（以下において「通常遊技状態」とも略記する）は、第１特別図柄、第２特別図柄及び普通図柄の変動表示時間が長い状態（以下において「非時短状態」とも称す）に対応する。
【００８１】
第１特別図柄抽選又は第２特別図柄抽選において大当りに当選した場合には、その当選に基づいて移行する特別遊技状態中に遊技球が特定通路（下大入賞装置４３３の内部通路）へ進入するか否かに対応して、特別遊技状態後に移行する遊技状態が異なる。特別遊技状態中に遊技球が特定通路へ進入しなかった場合には、第１特別図柄抽選、第２特別図柄及び普通図柄の変動表示時間が非時短状態よりも短い状態（以下において「時短状態」とも称す）であって、かつ、第１特別図柄抽選及び第２特別図柄抽選における大当りの当選確率が通常遊技状態と同一の状態（以下において「低確率状態」とも称す）である遊技状態（以下において「時短遊技状態」とも称す）へ移行する。一方、特別遊技状態中に遊技球が特定通路へ進入した場合には、時短状態であって、かつ、第１特別図柄抽選及び第２特別図柄抽選における大当りの当選確率が通常遊技状態より高い状態（以下において「高確率状態」とも称す）である遊技状態（以下において「確変遊技状態」とも称す）へ移行する。
【００８２】
時短遊技状態は、第１特別図柄及び第２特別図柄に係る単位遊技の総数が所定の回数（例えば、５０回）となるまで維持されるが、その後は通常遊技状態に戻る。また、確変遊技状態は、第１特別図柄及び第２特別図柄に係る単位遊技の総数が所定の回数（例えば、１００回）となるまで維持されるが、その後は通常遊技状態に戻る。
【００８３】
なお、遊技状態及び遊技状態間の移行について、必ずしも上述した構成とする必要はなく、例えば、高確率状態が次回の大当りの当選まで継続する構成としても良いし、他の内容によって上記遊技状態の少なくとも１つを構成しても良いし、上述した各遊技状態とは別の遊技状態を更に含む構成としても良いし、上述した条件とは異なる条件によって遊技状態間が移行する構成としても良い。
【００８４】
次に、遊技盤４００の主要な装置の動作について概ね時系列に沿って説明する。主制御基板９２０においては、特別図柄（第１特別図柄及び第２特別図柄で共通）に係る当選乱数、大当り図柄乱数、停止パターン乱数、各種の変動パターン乱数が生成されており、各種の遊技状態において第１特別図柄に係る始動装置である左側中始動入賞装置４３１Ａ）に進入した遊技球が左側中始動入賞スイッチ４４１Ａ（図１０参照）によって検出された場合に第１特別図柄の始動入賞となる。第１特別図柄の始動入賞時に、第１特別図柄に係る単位遊技の権利が最大回数まで保留されていない場合には、特別図柄に係る当選乱数、大当り図柄乱数及び停止パターン乱数が取得されて、主制御基板９２０のＲＡＭの所定の領域に格納される。
【００８５】
第１特別図柄の始動入賞に基づいて取得された乱数による単位遊技は、特別遊技状態中でなく、第１特別図柄又は第２特別図柄に係る単位遊技中でもなく、第１特別図柄及び第２特別図柄に係る単位遊技の権利が保留されていない場合には、それらの乱数の格納の直後に開始される。また、特別遊技状態中でない場合であっても、第１特別図柄又は第２特別図柄に係る単位遊技中や第１特別図柄又は第２特別図柄に係る単位遊技の権利が保留されている場合には、今回の入賞より前に保留されていた全ての特別図柄（第１特別図柄及び第２特別図柄）に係る単位遊技の終了後に、今回の始動入賞に基づく単位遊技が開始される。特別遊技状態中に第１特別図柄の始動入賞に基づいて各乱数が取得された場合には、その乱数による単位遊技は、特別遊技状態後において今回の始動入賞より前に保留されていた全ての特別図柄に係る単位遊技の後に開始される。
【００８６】
また、第１特別図柄の始動入賞に基づいて取得された乱数による単位遊技は、当該始動入賞より前に始動入賞が発生した第１特別図柄及び第２特別図柄に係る単位遊技の終了後に開始される。すなわち、始動入賞の順に第１特別図柄と第２特別図柄に係る単位遊技が実行される。
【００８７】
なお、必ずしも始動入賞の順に第１特別図柄と第２特別図柄に係る単位遊技が実行される構成とする必要はなく、いずれか一方の特別図柄が他の特別図柄に優先して実行される構成としても良く、例えば、第２特別図柄の始動入賞に基づく単位遊技が第１特別図柄に係る単位遊技に優先して実行される構成であっても良い。すなわち、第１特別図柄又は第２特別図柄に係る単位遊技中に、第１特別図柄の始動入賞となり、その後に第２特別図柄の始動入賞となった場合には、後から始動入賞となった第２特別図柄の始動入賞に基づく単位遊技が優先して実行される構成であっても良い。また、２つの特別図柄が択一的でなく同時に変動可能な構成であっても良い。
【００８８】
第１特別図柄の始動入賞に基づく第１特別図柄抽選において大当りに当選している場合には、更に、取得された大当り図柄乱数に基づいて第１特別図柄抽選の大当り当選に対応する停止図柄（大当り図柄）の種類が決定される。この停止図柄の種類と大当りの種類とが対応し、例えば、下進入規制機構４５３又は上進入規制機構４５４が進入許容姿勢をとる回数に相当するラウンド数（例えば、６ラウンドと１６ラウンド）や、特別遊技状態後に移行する遊技状態（確変遊技状態へ移行させるか否か）といった遊技状態の種類に対応して大当りの種類が複数種類設定され、その種類毎に大当り図柄が設定されている。第１特別図柄抽選において大当りに当選しなかった場合には、大当り図柄とは別のハズレ図柄が停止図柄として設定される。
【００８９】
第１特別図柄抽選の後に、現在の遊技状態、抽選結果、停止パターン乱数の値、各種の変動パターン乱数の値、第１特別図柄に係る単位遊技の権利の保留回数に基づいて、第１特別図柄の変動表示時間が決定されると共に、装飾図柄の変動パターンが選択される。その後、第１特別図柄に係る特別図柄表示装置４７１における第１特別図柄の変動表示及び装飾図柄表示装置４７９における装飾図柄の変動表示（変動演出）が開始され、第１特別図柄にあっては変動表示時間に亘って一定のパターンによる変動表示が継続され、装飾図柄にあっては変動表示時間に亘って変動パターンに従った変動表示が継続される。その後、変動表示時間の経過に伴って、第１特別図柄に係る停止図柄が確定表示され、また、装飾図柄として第１特別図柄の停止図柄に対応する図柄が確定表示される。第１特別図柄及び装飾図柄の確定表示は少なくとも所定の一定時間に亘って継続される。
【００９０】
第１特別図柄に係る停止図柄が大当り図柄である場合には、第１特別図柄の確定表示後に、遊技状態は特別遊技状態に移行する。特別遊技状態においては、下大入賞装置４３３の下進入規制機構４５３及び上大入賞装置４３４の上進入規制機構４５４が、大当りの種類に応じた所定の順序で所定の回数だけ進入許容姿勢となる。下進入規制機構４５３及び上進入規制機構４５４における各回の進入許容姿勢中において、所定の個数（例えば、８個）の遊技球が大入賞スイッチ４４３，４４４によって検出された場合、又は、所定の最大進入許容時間（例えば、２９．５秒）が経過した場合には、下進入規制機構４５３又は上進入規制機構４５４は進入禁止姿勢に移行する。その後、所定の進入禁止時間の経過後に、再度、下進入規制機構４５３又は上進入規制機構４５４のいずれかが進入許容姿勢に復帰する。この進入規制動作が大当りの種類に対応した所定の順序で所定の回数だけ繰り返される。
【００９１】
下進入規制機構４５３及び上進入規制機構４５４は、特別遊技状態中においていずれか一方のみが進入許容姿勢をとる構成とされ、特別遊技状態の開始から所定の待機時間が経過した後（オープニング期間後）に初回の進入許容姿勢に一方が移行する。また、最終回の進入禁止姿勢への復帰から所定の進入禁止時間が経過し、更にその後に所定の待機時間が経過した後（エンディング期間後）に特別遊技状態は終了する。特別遊技状態の終了後には、上述のように、時短遊技状態又は確変遊技状態に移行する。
【００９２】
各種の遊技状態において、第２特別図柄に係る始動装置である右側中始動入賞装置４３１Ｂ又は右始動入賞装置４３２に進入した遊技球が右側中始動入賞スイッチ４４１Ｂ（図１０参照）又は右始動入賞スイッチ４４２（図１０参照）によって検出された場合に第２特別図柄の始動入賞となる。第２特別図柄の始動入賞に基づく単位遊技の制御は、上述した第１特別図柄に係る制御と同様に実行される。すなわち、第２特別図柄の始動入賞時に第２特別図柄に係る単位遊技の権利が最大回数まで保留されていなければ、特別図柄に係る各乱数が取得されて、この始動入賞に基づく単位遊技が実行される。また、第２特別図柄抽選に応じた停止図柄の決定、装飾図柄の変動パターンの選択、変動表示の実行、及び、遊技状態の移行制御等についても、第１特別図柄に係る制御と同様に実行される。
【００９３】
各種の遊技状態において、始動装置４３６に進入した遊技球が始動スイッチ４４６によって検出された場合、普通図柄に係る単位遊技の権利が最大回数まで保留されていなければ、普通図柄に係る当選乱数が取得されて、主制御基板９２０のＲＡＭの所定の領域に格納される。このとき、普通図柄に係る単位遊技中でなければ、その格納の直後に、その取得された普通図柄に係る単位遊技が開始される。一方、普通図柄に係る単位遊技中であれば、既得の普通図柄に係る単位遊技の権利に基づく単位遊技の終了後に、その取得された普通図柄に係る単位遊技が開始される。
【００９４】
普通図柄に係る単位遊技においては、当選乱数の値に基づいて当選したか否かが判定され、当選した場合には、停止図柄として所定の当り図柄が設定される。一方、普通図柄抽選において当選しなかった場合には、停止図柄として所定のハズレ図柄が設定される。普通図柄抽選後に、普通図柄表示装置４７３において普通図柄の変動表示が開始され、非時短状態にあっては所定の変動表示時間に亘って一定のパターンによる変動表示が継続され、時短状態にあっては非時短状態よりも短い所定の変動表示時間に亘って一定のパターンによる変動表示が継続される。遊技状態に応じた所定の時間の経過に伴って、普通図柄に係る停止図柄が一定時間に亘って確定表示される。
【００９５】
普通図柄に係る停止図柄が当り図柄である場合には、普通図柄の確定表示後に、右始動入賞装置４３２の右進入規制機構４５２が少なくとも１回は進入許容姿勢に移行する。具体的には、非時短状態（通常遊技状態及び特別遊技状態）において当選した場合には、右始動入賞装置４３２が所定の最大進入許容時間（例えば、略０．１秒）に亘って進入許容状態へ移行し、時短状態（時短遊技状態及び確変遊技状態）における当選の場合には、右始動入賞装置４３２が非時短状態の場合より長い所定の最大進入許容時間（例えば、略４．８秒）に亘って間欠的に（例えば、３回に分けて）進入許容姿勢に移行する。但し、所定の個数（例えば、１０個）の遊技球が右始動入賞スイッチ４４２によって検出された場合には、右進入規制機構４５２は最大進入許容時間の経過を待たずに進入禁止姿勢に移行し、また、進入許容姿勢への移行回数が所定の回数に到達していなくても、今回の普通図柄に係る単位遊技における右始動入賞装置４３２の動作が終了する。
【００９６】
次に、本実施形態のパチンコ機１００の遊技性に関する構成について説明する。
【００９７】
右始動入賞装置４３２への始動入賞に基づく第２特別図柄抽選（以下、この抽選を「右側特別図柄抽選」と称することがある）を受けるためには、まず、普通図柄抽選において当選しなければならず、更に、その当選に基づく右始動入賞装置４３２の進入許容状態において遊技球が右始動入賞装置４３２へ進入しなければならない。通常遊技状態における普通図柄に係る当りの当選確率は時短遊技状態における当選確率と同一であるが、通常遊技状態における当りの当選に基づく右始動入賞装置４３２の進入許容状態の滞在時間（例えば、略０．１秒）が時短状態における滞在時間（例えば、略４．８秒）に比べて極めて短く設定されているために、通常遊技状態において、右側特別図柄抽選を受けられる単位時間当りの機会は、中始動入賞装置４３１への始動入賞に基づく第１特別図柄抽選及び第２特別図柄抽選（以下、これらの抽選を「中央側特別図柄抽選」と称することがある）を受けられる単位時間当りの機会よりも大幅に小さくしている。逆に、時短遊技状態や確変遊技状態等の時短状態においては、右側特別図柄抽選を受けられる単位時間当りの機会は、中央側特別図柄抽選を受けられる単位時間当りの機会よりも大幅に大きくしている。
【００９８】
したがって、遊技者は、中央側特別図柄抽選において大当りに当選し、その後の特別遊技状態において遊技球を特定通路へ進入させることによる確変遊技状態への移行を目指して遊技する。一方、時短遊技状態及び確変遊技状態においては、各遊技状態が終了する前に右側特別図柄抽選において大当りに当選することを目指して遊技する。
【００９９】
具体的には、遊技盤４００には、遊技球が流下する遊技領域の中央部に中央構造体４２０が設けられ、主に中央構造体４２０の左側から遊技球を流下させる遊技手法（左打ち遊技手法）と、主に中央構造体４２０の右側から遊技球を流下させる遊技手法（右打ち遊技手法）とが選択的に行える構成となっている。遊技者は、通常遊技状態においては、左打ち遊技手法によって遊技を行い、時短遊技状態及び確変遊技状態においては、右打ち遊技手法によって遊技を行う。また、下大入賞装置４３３及び上大入賞装置４３４が中央構造体４２０に対して右側に配置されているので、特別遊技状態においても右打ち遊技手法によって遊技を行う。
【０１００】
次に、後ブロック１０４について説明する。図８及び図９は、それぞれ、パチンコ機１００を示す背面側斜視図及び背面図である。なお、図８においては、理解の容易のために、外枠１０１を省略して示している。
【０１０１】
後ブロック１０４は、図８及び図９に示すように、基体５０１に他の部材や装置が取着されて構成されている。この基体５０１と中間ブロック１０３とが後ブロック支持機構１３６，１３７によって接続されることにより、後ブロック１０４が中間ブロック１０３に対して開閉可能に支持されている。
【０１０２】
後ブロック１０４は、遊技球を貯留する球貯留部としての遊技球タンク５１０と、遊技球タンク５１０の下流側に連続して遊技球を（例えば、１列に）整流させると共に１段に整列させる球整列部としてのタンクレール５２０と、タンクレール５２０の下流側においてタンクレール５２０から流入した遊技球を誘導する球誘導部としてのケースレール５３０と、ケースレール５３０の下流側において遊技球の払い出しや遊技球の貸し出しを実行する払出装置５４０と、払出装置５４０の下流側において払出装置５４０から流出した遊技球を基体５０１に形成された誘導通路（図示せず）に誘導する球誘導部としての誘導部材５５０と、払出装置５４０による遊技球の払い出しや遊技球の貸し出しを制御する払出制御装置５６０と、外部電力を各種の装置等で必要とする所定の電圧の電力に変換して出力する電力供給手段としての機能と発射操作装置２５０に対する発射操作に基づく遊技球の射出を主制御基板９２０と協同して制御する発射制御手段としての機能とを有する電源・発射制御装置５７０と、払出制御装置５６０及び遊技球貸出装置２９０（図１参照）とパチンコ機１００の側方に配置されるカードユニット（図示せず）との間の信号を中継する中継装置９５０とを備えている。
【０１０３】
基体５０１は、樹脂（例えば、ＡＢＳ樹脂）により一体成型されており、前側部分に対応するベース部５０２と、ベース部５０２よりも後方に位置した保護カバー部５０３とを含んでいる。ベース部５０２は、その上側部分が後ブロック１０４の外形に沿って略枠状に形成されると共に、下側部分が前後方向に厚みを有する略平坦状に形成されており、他の装置が取り付けられる被取付部としての機能を有している。
【０１０４】
保護カバー部５０３は、前後方向に厚みを有する略板状に形成されている。また、保護カバー部５０３は、中間ブロック１０３の背面全域を覆う形状でなく、主制御装置３７０の一部といった頻繁に検査や確認が必要な中間ブロック１０３の背面における一部をパチンコ機１００の背面に露出するための窓部を形成する大きさに設定されている。保護カバー部５０３の背面には、主制御装置３７０及び副制御装置３９０における発熱の放熱性を向上させる機能を有する多数の通気孔５０３Ａが形成されている。
【０１０５】
遊技球タンク５１０は、上方に開口した横長の箱型容器であり、その長手方向の一端側に、島設備の球循環装置（図示せず）から供給される遊技球が逐次補給される。遊技球タンク５１０における遊技球の供給される側と異なる長手方向の一端側には開口（図示せず）が形成されている。遊技球タンク５１０の底面は長手方向に緩やかに傾斜し、遊技球タンク５１０に供給された遊技球は開口側に自重によって移動する。また、遊技球タンク５１０の底面は、長手方向に比して、長手方向と直交する方向（前後方向）にも傾斜し、開口が設けられる側（例えば、前側）に優位に遊技球を誘導する。また、遊技球タンク５１０の底面には、その上に重なるようにして金属製の帯電防止板（図示せず）が取着され、帯電防止板が接地電位に接続されて遊技球タンク５１０内及びその下流側の遊技球の静電気が除去される。
【０１０６】
タンクレール５２０は、遊技球タンク５１０の開口が形成される側に取り付けられ、遊技球タンク５１０の開口を通して遊技球が流入する。タンクレール５２０は、遊技球が１列に並んで通過する幅を有する略樋状の遊技球の通路を形成する通路形成部材５２１と、通路形成部材５２１により形成される通路の上面として次第に高さが低くなる天面部を有してその通路を流下する遊技球を上下に重なった高さから次第に１段の高さに整流する整流部材５２２とを備えている。タンクレール５２０により形成される通路は、下流側に向けて緩やかに傾斜しており、遊技球タンク５１０とは反対側へ遊技球を誘導する。
【０１０７】
ケースレール５３０は、タンクレール５２０の下側に連続するように縦長に形成されており、タンクレール５２０からの遊技球が流入する。ケースレール５３０には、遊技球が勢いよく流れないように左右に湾曲しつつ下方に連続している。また、ケースレール５３０における球通路の途中部分には、球切れを検出するための球切れ検出部５３９が設けられている。球切れ検出部５３９には、貯留球スイッチ５９１（図１０参照）が内蔵され、貯留球スイッチ５９１によって、ケースレール５３０又はその上流側で球詰り等が発生してケースレール５３０内に遊技球が正常に補給されていない球切れ状態を検出する。
【０１０８】
払出装置５４０は、遊技球を送り出す送出機構と、送出機構を駆動する駆動手段としての払出モータ５４２（図１０参照）と、払出計数スイッチ５９２（図１０参照）とを備えている。払出制御装置５６０による制御に基づく払出モータ５４２の作動に応じて、球通路に貯留されている遊技球が下流側へ放出される。放出された遊技球の球通路の通過は、払出計数スイッチ５９２に検出され、これにより、払出制御装置５６０（払出制御基板９３０）が遊技球の払い出し数を計数する。
【０１０９】
払出制御装置５６０及び電源・発射制御装置５７０は、図８及び図９に示すように、後ブロック１０４の背面側下部に位置するように基体５０１のベース部５０２における下部背面に重なるようにして取り付けられている。これら払出制御装置５６０及び電源・発射制御装置５７０を含む後ブロック１０４は、機種変更等において遊技盤４００を別の遊技盤に交換した場合にも、継続利用可能とされている。
【０１１０】
払出制御装置５６０は、払出制御基板９３０（図１０参照）と、払出制御基板９３０を収容する基板ケースとを備え、払出制御基板９３０は、主制御基板９２０と同様に、開封の痕跡を残さずに開封できないように封止された基板ケースの内部に収容されている。
【０１１１】
電源・発射制御装置５７０は、電源・発射制御基板９００（図１０参照）と、電源・発射制御基板９００を収容する基板ケースとを備え、電源・発射制御基板９００は、主制御基板９２０と同様に、封止された基板ケースの内部に収容されている。
【０１１２】
＜電気的な構成＞
次に、パチンコ機１００の電気的構成について説明する。図１０は、パチンコ機１００の電気的構成を示すブロック図である。パチンコ機１００は、図１０に示すように、電源・発射制御基板９００、電源監視基板９１０、主制御基板９２０、払出制御基板９３０、副制御基板９４０等の制御回路装置を備えている。なお、図１０において、各種の信号を中継するだけの中継回路装置については省略している。以下に、これらの主要な制御回路装置を個別に詳細に説明する。
【０１１３】
電源・発射制御基板９００は、パチンコ機１００の各部に電源供給路（図中の破線）を介して所定の電圧の電力を供給する電源部９０１と、発射操作装置２５０の操作に応じて発射装置３３０の駆動を制御する発射制御部９０２と、初期化スイッチ９０７からの初期化信号や球溢れスイッチ２４９からの球溢れ信号を中継する信号中継部９０３とを備えている。
【０１１４】
電源部９０１は、外部より供給される外部電力（例えば、交流２４ボルト）を取り込んで内部電力（例えば、直流２４ボルト）に変換すると共に、その内部電力から各種の電力を生成する。電源部９０１により生成される電力は、各種のソレノイドや各種のモータ等の機器を駆動するための駆動用電圧（例えば、直流１２ボルト）の電力、各種のスイッチを駆動したり制御処理を実行したりするための制御用電圧（例えば、直流５ボルト）の電力、主制御基板９２０のＲＡＭの内容を保持させるためのバックアップ用電圧の電力等を含んでいる。
【０１１５】
電源部９０１は、内部電力から生成した各種の電力を、電源監視基板９１０、主制御基板９２０、払出制御基板９３０、副制御基板９４０等に供給する。具体的には、電源監視基板９１０に対しては、内部電力、駆動用電圧、制御用電圧及びバックアップ電圧の電力が供給される。主制御基板９２０に対しては、駆動用電圧、制御用電圧及びバックアップ電圧の電力が供給され、これら電力は、電源監視基板９１０の電源監視部９１１を介して供給される。払出制御基板９３０に対しては、駆動用電圧及び制御用電圧の電力が供給される。副制御基板９４０に対しては、駆動用電圧及び制御用電圧の電力が供給される。発射制御部９０２及び信号中継部９０３に対しては、駆動用電圧及び制御用電圧の電力が供給される。
【０１１６】
電源部９０１には、電源スイッチ９０９が接続されており、電源スイッチ９０９がオフ状態である場合には外部電力の取り込みが停止される。なお、電源スイッチ９０９をオフ状態にしたり、電源スイッチ９０９を介して電源部９０１に接続される電源プラグ（図示せず）を外部電力の供給コンセント（図示せず）から抜脱したりすることによってパチンコ機１００の内部への電力の供給が停止している状態や、外部電力自体の供給が停止している状態を「停電状態」と総称する。
【０１１７】
電源部９０１は、停電状態への移行後においても所定の期間にわたり制御用電圧の電力を正常に出力するように構成されている。これによって、主制御基板９２０は、現在の制御状態に復帰できるように状態を保存して制御を終了させることができる。
【０１１８】
発射制御部９０２は、主制御基板９２０と協同して、発射装置３３０の球送りソレノイド３３２及び発射ソレノイド３３４の駆動を制御する。なお、球送りソレノイド３３２及び発射ソレノイド３３４は、所定条件が整っている場合に作動が許可される。具体的には、遊技者が発射ハンドル２５２（図１参照）に触れていることが接触センサ２５４からの接触センサ信号に基づいて検知されていること、発射を停止させるための発射停止スイッチ２５５が操作されていないことを条件に、発射制御部９０２はオン状態の発射許可信号を主制御基板９２０に出力する。また、発射許可信号と発射異常信号とに基づいて主制御基板９２０は発射ソレノイド制御信号及び球送りソレノイド制御信号を発射制御部９０２に出力する。発射制御部９０２は、オン状態の球送り制御信号に基づいて球送りソレノイド３３２を作動させ、オン状態の発射ソレノイド制御信号の受信と可変抵抗器２５３の抵抗値とに基づいて発射ソレノイド３３４を作動させる。これによって、発射装置３３０から可変抵抗器２５３の抵抗値（発射ハンドル２５２の回転操作量）に応じた強さで遊技球が順次に発射される。
【０１１９】
信号中継部９０３は、初期化スイッチ９０７が押下された場合に、主制御基板９２０へオン状態の初期化信号を出力する。主制御基板９２０においては、オン状態の初期化信号の受信に応じて主制御基板９２０のＲＡＭに保存された保存情報を初期化する。なお、初期化スイッチ９０７は、必ずしも信号中継部９０３を介して主制御基板９２０に信号を出力する構成とする必要はなく、例えば、初期化スイッチ９０７を主制御基板９２０に直接搭載する等して基板ケース３７１内に初期化スイッチ９０７が収容される構成としても良く、これにより信号が伝送される区間を狙った不正な信号入力を抑止することができる。
【０１２０】
また、信号中継部９０３は、球溢れスイッチ２４９が遊技球を検出した場合に、主制御基板９２０へオン状態の球溢れ信号を出力する。主制御基板９２０においては、オン状態の球溢れ信号の検知に基づいて払出制御基板９３０に低速払出信号を出力し、低速払出信号を受信した払出制御基板９３０は、払出モータ５４２の回転速度（払出装置５４０からの遊技球の払出速度）を低速化させる。また、主制御基板９２０は、オフ状態の球溢れ信号の検知に基づいて払出制御基板９３０に高速払出信号を出力し、高速払出信号を受信した払出制御基板９３０は、払出モータ５４２の回転速度を高速化させる。
【０１２１】
電源監視基板９１０は、電源・発射制御基板９００からの電力供給状態を監視する電源監視部９１１と、電源・発射制御基板９００と主制御基板９２０との間の電力供給及び各種の信号の伝達を中継する信号中継部９１２とを含んでいる。電源監視部９１１は、停電状態への移行に応じて主制御基板９２０へ停電信号を出力するものでもあり、電源部９０１から出力される最大電圧である直流安定２４ボルトの電圧を監視し、この電圧が２２ボルト未満である状態が所定の時間だけ継続した場合に停電状態であると判断して、オン状態の停電信号を主制御基板９２０へ出力する。主制御基板９２０は、オン状態の停電信号の受信によって停電状態への移行を認識する。
【０１２２】
主制御基板９２０は、パチンコ機１００の動作を統括的に制御する。主制御基板９２０には、１チップマイコンとしてのＭＰＵ（図示せず）が搭載されている。ＭＰＵは、演算処理装置としてのＣＰＵ（図示せず）と、ＣＰＵにより実行される各種の制御プログラムや固定データを記憶したＲＯＭ（図示せず）と、制御プログラムの実行に際して一時的に各種のデータ等を記憶するＲＡＭ（図示せず）とを含んでいる。主制御基板９２０には、その他、タイマ回路（図示せず）、カウンタ回路（図示せず）、クロック発生回路（図示せず）、信号送受信回路（図示せず）等の各種回路が搭載されている。主制御基板９２０のＲＡＭは、停電状態への移行後においても電源・発射制御基板９００からのバックアップ電圧の電力供給によって内部データを維持（バックアップ）できる構成となっている。
【０１２３】
払出制御基板９３０は、主制御基板９２０からの指示に応じた払出装置５４０による遊技球の払い出し動作や遊技球貸出装置２９０の操作に応じた払出装置５４０による遊技球の貸し出し動作を制御する。払出制御基板９３０は、主制御基板９２０と同様に、ＣＰＵ（図示せず）、ＲＯＭ（図示せず）及びＲＡＭ（図示せず）を含む１チップマイコンとしてのＭＰＵ（図示せず）、タイマ回路（図示せず）、カウンタ回路（図示せず）、クロック発生回路（図示せず）、信号送受信回路（図示せず）等の各種回路が搭載されている。払出制御基板９３０は、他の装置と情報通信可能に接続する接続手段としての入出力ポートが搭載されており、例えば、主制御基板９２０及び中継装置９５０とは双方向の情報入出力通信が可能に接続され、開閉検出スイッチ１０８，１０９、貯留球スイッチ５９１、及び、払出計数スイッチ５９２とは、一方向のみの情報入力通信のみが可能に接続され、払出モータ５４２とは、一方向のみの情報出力通信のみが可能に接続され、入力操作装置２６４とは双方向に情報通信可能に接続されている。なお、払出制御基板９３０のＲＡＭは、主制御基板９２０のＲＡＭと同様に、停電状態において一定の期間にわたって内部データを維持可能とするバックアップ機能を有する構成としても良いし、主制御基板９２０のＲＡＭとは異なり、停電状態において内部データを維持しない構成としても良い。
【０１２４】
副制御基板９４０は、主制御基板９２０からの指示に基づいて、各種の演出装置や各種の発光装置や各種の音響装置等の動作を制御する。副制御基板９４０は、他の装置と情報通信可能に接続する接続手段としての入出力ポートが搭載されており、例えば、主制御基板９２０とは一方向のみの情報入力通信のみが可能に接続され、入力操作装置２６０とは双方向に情報通信可能に接続され、装飾図柄表示装置４７９等とは一方向の情報出力通信のみが可能に接続されている。
【０１２５】
＜各種の制御処理＞
次に、主制御基板９２０によって実行される各種の制御処理について説明する。主制御基板９２０における制御処理は、大別すると、停電状態からの復帰に伴い起動されるメイン処理と、定期的に（本形態では２ｍｓ（ミリ秒）周期で）メイン処理に割込みをかけて実行されるタイマ割込み処理とで構成されている。
【０１２６】
まず、図１１を参照して、主制御基板９２０によって実行されるメイン処理について説明する。図１１は、主制御基板９２０のメイン処理（図１１においては「主制御メイン処理」と略記）を示すフローチャートである。
【０１２７】
主制御基板９２０のメイン処理において、まず、主制御基板９２０の立ち上げや各種の情報を初期設定するための一連の制御開始処理（プログラム開始処理Ｓ１００１〜乱数初期設定処理Ｓ１０１９）が一度だけ実行され、その後は、割込みを禁止する割込み禁止処理Ｓ１０２０と、特別図柄に係る当選乱数初期値カウンタ（ＲＡＭの一部の領域）及び大当り図柄乱数初期値カウンタ（ＲＡＭの一部の領域）並びに普通図柄に係る当選乱数初期値カウンタ（ＲＡＭの一部の領域）の値を更新する乱数初期値更新処理Ｓ１０２１と、変動時間や変動パターン等を決定するための第１の変動種別カウンタ〜第４の変動種別カウンタ（ＲＡＭの一部の領域）の値を更新する変動用カウンタ更新処理Ｓ１０２２と、割込みを許可する割込み許可処理Ｓ１０２３とが繰り返し実行される。なお、割込み許可処理Ｓ１０２３の前にタイマ割込みの要求が発生した場合には、割込み許可処理Ｓ１０２３の直後にタイマ割込み処理が実行される。
【０１２８】
一連の制御開始処理において、プログラムの実行を制御するスタックポインタ（ＲＡＭの一部の領域）に初期値を設定するプログラム開始処理Ｓ１００１と、割込みモードを設定する割込みモード設定処理Ｓ１００２と、払出制御基板９３０及び副制御基板９４０等が立ち上がるまで所定の時間だけ待機する立上待機処理Ｓ１００３とが実行される。
【０１２９】
立上待機処理Ｓ１００３の後に、電源・発射制御基板９００の初期化スイッチ９０７からの初期化信号の出力状態の判定処理Ｓ１００４、停電情報（ＲＡＭの一部の領域）の値の判定処理Ｓ１００５、保存情報の記憶状態の判定処理Ｓ１００７が行われ、これらの判定結果に基づいてＲＡＭの保存情報を消去するか否かが判定される。ここで、保存情報とは、停電前の遊技の状態に復帰させるために必要な情報であって、停電前に遊技の進行に応じて更新されていたＲＡＭの一部の領域に対応し、実行中の単位遊技に関するカウンタの値や、始動入賞によって格納されたカウンタの値等が例示される。
【０１３０】
保存情報の記憶状態は、次のように判定される。まず、ＲＡＭの所定の範囲の記憶領域に対するチェックサム値を算出して（チェックサム算出処理Ｓ１００６）、その現在のチェックサム値と前回の停電状態への移行に伴い停電監視処理Ｓ１２０２（図１２参照）において算出されたチェックサム値の２の補数であるＲＡＭ判定値との排他的論理和が「０」であるか否か（判定処理Ｓ１００７）が判定され、これにより、現在のチェックサム値と停電状態への移行時のチェックサム値とが同一であるか否かが判定される。
【０１３１】
初期化信号がオン状態である場合（Ｓ１００４：Ｙ）、停電情報が停電状態への移行時に保存情報を保存して終了したことを示す所定の停電値でない場合（Ｓ１００５：Ｎ）、又は、保存情報が正常に保持されていない場合（Ｓ１００７：Ｎ）には、ＲＡＭの保存情報を消去するＲＡＭクリア処理Ｓ１００８が実行される。保存情報が正常に保持されていると判断された後（Ｓ１００７：Ｙ）、又は、ＲＡＭクリア処理Ｓ１００８が実行された後には、主制御基板９２０に接続されている各種の装置を初期化するハードウェア初期化処理Ｓ１００９が実行される。
【０１３２】
ハードウェア初期化処理Ｓ１００９の後には、停電情報が停電値であるか否かの判定処理Ｓ１０１０が実行される。停電情報が停電値である場合（Ｓ１０１０：Ｎ）には、保持情報の復帰を含め各種の情報を初期設定するＲＡＭ復帰設定処理Ｓ１０１１と、その設定完了を示す復帰コマンドが設定される（復帰コマンド出力処理Ｓ１０１２）。ＲＡＭ復帰設定処理Ｓ１０１１における保持情報の復帰によって、前回の停電状態への移行直前の制御状態に主制御基板９２０の制御状態が復帰する。
【０１３３】
一方、停電情報が停電値でない場合（Ｓ１０１０：Ｙ）には、保持情報の復帰は行わずに各種の情報が初期設定され（ＲＡＭ初期設定処理Ｓ１０１３）、その設定完了を示す初期化コマンドが出力される（初期化コマンド出力処理Ｓ１０１４）。
【０１３４】
なお、ＲＡＭ復帰設定処理Ｓ１０１１及びＲＡＭ初期設定処理Ｓ１０１３において、停電情報は停電値と異なる所定の通電値に設定され、また、前回の停電状態への移行直前において不正検知エラー等の各種のエラー状態が発生していてもそれらのエラー状態は全て解除される。また、主制御基板９２０から払出制御基板９３０及び副制御基板９４０の双方に復帰コマンドか初期化コマンドのいずれかが出力され、復帰コマンド又は初期化コマンドを受信した払出制御基板９３０及び副制御基板９４０の各々においても所定の初期化処理が実行される。
【０１３５】
立上時の状況に応じたＲＡＭの初期設定（判定処理Ｓ１００４〜初期化コマンド出力処理Ｓ１０１４）の後に、前回の停電状態への移行時に条件装置が作動していた場合には、特別遊技状態に復帰させるための準備が行われる（特別遊技状態復帰準備処理Ｓ１０１５）。具体的には、特別遊技状態復帰準備処理Ｓ１０１５においては、条件装置と役物連続作動装置の作動状態が判定され、停電状態時における遊技の状況に対応した処理が、副制御基板９４０において実行される。
【０１３６】
特別遊技状態復帰準備処理Ｓ１０１５の後には、時短状態フラグが設定されているか否かを判定することにより時短状態であるか非時短状態であるかが判定され（判定処理Ｓ１０１６）、時短状態である場合（Ｓ１０１６：Ｙ）には、時短コマンドが出力される（時短コマンド出力処理Ｓ１０１７）。一方、非時短状態である場合（Ｓ１０１６：Ｎ）には、非時短コマンドが出力される（非時短コマンド出力処理Ｓ１０１８）。その後、特別図柄に係る当選乱数カウンタ（ＲＡＭの一部の領域）の値が初期化される（乱数初期設定処理Ｓ１０１９）。
【０１３７】
次に、図１２を参照して、主制御基板９２０によって実行されるタイマ割込み処理について説明する。図１２は、主制御基板９２０によって実行されるタイマ割込み処理（図中では「主制御割込み処理」と略記）を示したフローチャートである。
【０１３８】
主制御基板９２０のタイマ割込み処理では、まず、タイマ割込みを開始させるための割込み開始処理Ｓ１２０１が実行される。具体的には、割込み制御レジスタに所定の値が設定される。これにより、本タイマ割込み以外の割込みが禁止される。その後に、パチンコ機１００の遊技の進行制御や各種センサの監視等といった実質的な制御に係る停電監視処理Ｓ１２０２〜外部情報出力処理Ｓ１２２１が順次に実行される。但し、各種の不正の検知に基づいて遊技進行が停止されている場合（Ｓ１２０７：Ｙ）には、制御信号出力処理Ｓ１２０８〜外部情報出力処理Ｓ１２２１は実行されない。最後に、次回のタイマ割込みを許可する割込み許可処理Ｓ１２２２が実行されて、今回のタイマ割込み処理が終了する。以下において、各種の主要な処理について個別に説明する。
【０１３９】
停電監視処理Ｓ１２０２においては、電源監視基板９１０の電源監視部９１１から出力されている停電信号の出力状態に基づいて停電情報（ＲＡＭの一部の領域）の値が更新される。具体的には停電信号の出力状態が３度に亘り確認され、３度ともオン状態が検出された場合に停電状態であると判定される。この判定において停電状態であると判定されなかった場合には、停電情報は通電値に維持される。
【０１４０】
一方、停電監視処理Ｓ１２０２において停電状態であると判定された場合には、以下の処理が実行される。まず、停電情報の値がＲＡＭ復帰設定処理Ｓ１０１１又はＲＡＭ初期設定処理Ｓ１０１３（図１１参照）において設定された通電値から所定の停電値に変更される。また、ＲＡＭの所定の範囲の記憶領域に対するチェックサム値を算出し、そのチェックサム値の２の補数をＲＡＭ判定値として設定する。これにより、パチンコ機１００は、遊技の進行や各種センサの監視等といった実質的な制御を行わない無限ループに入り、ＲＡＭ判定値が設定された後のＲＡＭの状態がバックアップ電力に基づいて保持される。なお、停電信号の出力状態が３度に亘り確認されるために、停電信号の受信を初めて検知してから、タイマ割込みの各処理は２回に亘り実行される。
【０１４１】
乱数更新処理Ｓ１２０３においては、特別図柄に係る当選乱数カウンタ、大当り図柄乱数カウンタ、停止パターン選択カウンタ及び普通図柄に係る当選乱数カウンタが更新される。具体的には、特別図柄に係る当選乱数カウンタの値が、規定最大値（例えば、「５７６」）と異なる値である場合には、現在値より「１」だけ大きい値に変更され、特別図柄に係る当選乱数カウンタの値が規定最大値である場合には、規定最小値（「０」）に変更される。但し、変更後の値が特別図柄に係る当選乱数カウンタに対する循環初期値と同一の値となる場合には、特別図柄に係る当選乱数カウンタの値が、特別図柄に係る当選乱数初期値カウンタと同一の値に設定され、また、循環初期値も当選乱数初期値カウンタと同一の値に設定される。
【０１４２】
大当り図柄乱数カウンタ、停止パターン選択カウンタ及び普通図柄に係る当選乱数カウンタについても、特別図柄に係る当選乱数カウンタの場合と同様にして更新される。ただし、各カウンタの規定最大値と規定最小値とにより定められる更新範囲としては各カウンタに固有の値が設定され、複数のカウンタが非同期で更新される構成とされ、各カウンタの循環初期値には各カウンタに固有の初期値カウンタが参照される。例えば、特別図柄に係る当選乱数カウンタと特別図柄に係る当選乱数初期値カウンタとは値の範囲が同一であり、大当り図柄乱数カウンタと大当り図柄乱数初期値カウンタとは値の範囲が同一であり、普通図柄に係る当選乱数カウンタと普通図柄に係る当選乱数初期値カウンタとは値の範囲が同一である。
【０１４３】
乱数初期値更新処理Ｓ１２０４においては、特別図柄に係る当選乱数初期値カウンタ、大当り図柄乱数初期値カウンタ及び普通図柄に係る当選乱数初期値カウンタが更新される。具体的には、特別図柄に係る当選乱数初期値カウンタの値が規定最大値（例えば、「５７６」）と異なる値である場合には、現在値より「１」だけ大きい値に変更され、特別図柄に係る当選乱数初期値カウンタの値が規定最大値である場合には、規定最小値（「０」）に変更される。特別図柄に係る図柄乱数初期値カウンタ及び普通図柄に係る当選乱数初期値カウンタについても、規定最大値や規定最小値がそれらのカウンタに固有の値であること以外は、特別図柄に係る当選乱数初期値カウンタの場合と同様にして更新される。
【０１４４】
変動用カウンタ更新処理Ｓ１２０５においては、変動時間や変動パターン等を決定するための第１の変動種別カウンタ〜第４の変動種別カウンタの値が更新される。具体的には、第１の変動種別カウンタの値が規定最大値（例えば、「１８７」）と異なる値である場合には、現在値より「１」だけ大きい値に変更され、第１の変動種別カウンタの値が規定最大値である場合には、規定最小値（「０」）に変更される。第２の変動種別カウンタ〜第４の変動種別カウンタについても、規定最大値や規定最小値がそれらのカウンタに固有の値であること以外は、第１の変動種別カウンタの場合と同様にして更新される。
【０１４５】
なお、特別図柄及び普通図柄に係る各当選乱数カウンタ、大当り図柄乱数カウンタ、停止パターン選択カウンタ並びに各変動種別カウンタは、必ずしも上記構成とする必要はなく、上記カウンタの少なくとも一部を他の構成としても良く、例えば、初期値カウンタを利用しないで一定の初期値から更新する構成としても良いし、プログラムを利用しないで乱数生成用ＩＣにより構成して必要に応じて値を参照する構成としても良い。
【０１４６】
遊技停止判定処理Ｓ１２０６においては、不正検知情報が不正検知値である場合には、遊技停止値に更新されると共に、遊技進行を停止させるための各種の情報が設定される。一方、不正検知情報が不正検知値でない場合や既に遊技停止値である場合には、遊技進行を停止させるための各処理は実行されずに遊技停止判定処理Ｓ１２０６は終了する。なお、不正検知情報は、不正検知処理Ｓ１２１１において各種の不正の発生が検知された場合に不正検知値に設定される。また、判定処理Ｓ１２０７においては、不正検知情報が遊技停止値であるか否かによって遊技停止中であるか否かが判定される。
【０１４７】
制御信号出力処理Ｓ１２０８においては、出力バッファに格納された制御データに基づいて、第１の特別図柄に係る特別図柄表示装置４７１、第２の特別図柄に係る特別図柄表示装置４７２及び普通図柄に係る普通図柄表示装置４７３等の各種の報知装置を制御する信号が出力される。また、出力バッファに格納された制御データに基づいて、球送りソレノイド３３２、発射ソレノイド３３４、右進入規制ソレノイド４６２、下進入規制ソレノイド４６３、上進入規制ソレノイド４６４、切換ソレノイド４６５等の各種のアクチュエータを制御する信号が出力される。
【０１４８】
スイッチ読込処理Ｓ１２０９においては、中始動入賞スイッチ４４１Ａ，４４１Ｂ、右始動入賞スイッチ４４２、下大入賞スイッチ４４３、上大入賞スイッチ４４４、役連作動スイッチ４４５、始動スイッチ４４６、非特定通路スイッチ４４７、特定通路スイッチ４４８、及び、一般入賞スイッチ４４９Ａ，４４９Ｂの各々からの信号状態が読み込まれて、各種のスイッチによる遊技球の検出状態の変化が検知される。
【０１４９】
具体的には、スイッチ読込処理Ｓ１２０９において、各種のスイッチからの信号状態が所定の時間間隔を隔てて２度に亘り入力バッファ（ＲＡＭの一部の領域）に読み込まれ、各種のスイッチからの信号ごとに、１回目に読み込まれた信号状態（以下において「第１の信号状態」と略記する）と、２回目に読み込まれた信号状態（以下において「第２の信号状態」と略記する）と、前回のタイマ割込みで検知された検出状態（以下において「前回の検出状態」と略記する）とに基づいて、各種のスイッチの検出状態の変化が検知される。そして、各スイッチに対して、前回の検出状態がオフ状態である場合において、第１の信号状態がオン状態であり、第２の信号状態がオン状態である場合には、オン状態移行と判断されて、スイッチの種類に応じた検出フラグ（ＲＡＭの一部の領域）が設定される。なお、停電監視処理Ｓ１２０２で説明したように、電源供給が停止したとしても、タイマ割込みの各処理が２回に亘り実行されるために、電源供給が停止した直後に各種のスイッチのオン状態が開始された場合であっても各種のスイッチの検出フラグを正確に設定することができる。
【０１５０】
タイマ更新処理Ｓ１２１０においては、特別図柄及び普通図柄の変動表示、各遊技状態の制御、及び、不正監視等に使用される各種のタイマ（ＲＡＭの所定の領域）が更新される。
【０１５１】
不正検知処理Ｓ１２１１においては、各種の入賞装置に強制的に遊技球を進入させたり、各種の入賞装置を強制的に作動させたりするような不正行為が検知される。具体的には、右始動入賞装置４３２、下大入賞装置４３３及び上大入賞装置４３４の強制的な進入許容姿勢への移動、加振による下大入賞装置４３３の特定通路への遊技球の誘導、電波による右始動入賞装置４３２、下大入賞装置４３３及び上大入賞装置４３４の強制的な誤作動の誘発、磁気吸着による各種の入賞装置への遊技球の誘導、左側中始動入賞装置４３１Ａ、右側中始動入賞装置４３１Ｂ、右始動入賞装置４３２、下大入賞装置４３３及び上大入賞装置４３４への異常なタイミングでの遊技球の誘導等の不正行為が行われた可能性の高い状況の発生を検知する。
【０１５２】
入賞検知応答処理Ｓ１２１２においては、遊技盤４００に設けられた各種のスイッチによる遊技球の検出に基づく制御が実行される。具体的には、左側中始動入賞スイッチ４４１Ａ（図１０参照）及び右側中始動入賞スイッチ４４１Ｂ（図１０参照）による遊技球の検出に基づいて、中始動入賞スイッチ検出フラグが設定されている場合には、中始動入賞カウンタ（ＲＡＭの所定の領域）及び第１払出カウンタ（ＲＡＭの所定の領域）が更新される。また、右始動入賞スイッチ４４２（図１０参照）による遊技球の検出に基づいて右始動入賞スイッチ検出フラグが設定されている場合には、第１払出カウンタが更新される。また、下大入賞スイッチ４４３（図１０参照）による遊技球の検出に基づいて下大入賞スイッチ検出フラグが設定されている場合や、上大入賞スイッチ４４４（図１０参照）による遊技球の検出に基づいて上大入賞スイッチ検出フラグが設定されている場合には、大入賞カウンタ（ＲＡＭの所定の領域）及び第２払出カウンタ（ＲＡＭの所定の領域）が更新される。
【０１５３】
発射制御処理Ｓ１２１３においては、発射装置３３０による遊技球の発射を制御するための発射関連情報が更新される。具体的には、球送り機構３３１を駆動する球送りソレノイド３３２の作動フラグ及び発射機構３３３を駆動する発射ソレノイド３３４の作動フラグが更新される。
【０１５４】
入力信号監視処理Ｓ１２１４においては、払出制御基板９３０を介した開閉検出スイッチ１０８（図１０参照）からの信号の出力状態に基づいて、外枠１０１（図１及び図２参照）に対して中間ブロック１０３（図１及び図２参照）が閉鎖されているか否かが検知される。また、払出制御基板９３０（図１０参照）を介した開閉検出スイッチ１０９からの信号の出力状態に基づいて、中間ブロック１０３（図２及び図３参照）に対して前ブロック１０２（図２及び図３参照）が閉鎖されているか否かが検知される。
【０１５５】
払出状態監視処理Ｓ１２１５においては、払出制御基板９３０から出力される払出制御状態を示す情報が監視され、必要に応じて、払出制御状態に応じた各種の払出状態コマンドが設定される。なお、払出状態コマンドを受信した副制御基板９４０は、払出状態コマンドの種類に応じた報知を装飾図柄表示装置４７９、左上音響装置２８１及び右上音響装置２８２等に実行させる。
【０１５６】
払出信号出力処理Ｓ１２１６においては、必要に応じて、第１払出カウンタ及び第２払出カウンタの値に基づいて各種の賞球コマンドを設定し、払出制御基板９３０に出力する。なお、第１払出カウンタ及び第２払出カウンタは、賞球コマンドの設定に応じて更新される。例えば、第１払出カウンタは、１回の入賞に相当する遊技球が検出される毎に１ずつ加算され、その入賞に基づく賞球コマンドが設定される毎に１ずつ減算される。払出制御基板９３０では、その入賞に対応する数（例えば、３個）の遊技球を払い出す制御を実行する毎に（詳細には、払い出しが完了する少し前に）、主制御基板９２０に賞球コマンドを要求し、賞球の払い出しが継続している状況においては、主制御基板９２０から更なる賞球コマンドが出力される。第２払出カウンタは、第１払出カウンタとは賞球数が異なる入賞（例えば、１３個）に対応して更新されるカウンタであり、第２払出カウンタの値に基づく賞球コマンドを払出制御基板９３０が受信した場合には、払出制御基板９３０は、その賞球コマンドに対応した数分の遊技球を払い出す制御を実行する。
【０１５７】
特別図柄関連処理Ｓ１２１７においては、第１特別図柄に係る単位遊技の権利の保留制御及び第１特別図柄に係る単位遊技の制御が実行される。具体的には、第１特別図柄に係る単位遊技の権利の保留制御において、第１特別図柄に係る特別図柄保留表示装置４７６の動作制御が実行される。また、第１特別図柄に係る単位遊技の制御において、第１特別図柄に係る特別図柄表示装置４７１の動作制御が実行され、第１特別図柄抽選において大当りに当選した場合には、下大入賞装置４３３及び上大入賞装置４３４の動作制御が更に実行される。
【０１５８】
また、特別図柄関連処理Ｓ１２１７においては、第２特別図柄に係る単位遊技の権利の保留制御及び第２特別図柄に係る単位遊技の制御が実行される。具体的には、第２特別図柄に係る単位遊技の権利の保留制御において、第２特別図柄に係る特別図柄保留表示装置４７７の動作制御が実行される。また、第２特別図柄に係る単位遊技の制御において、第２特別図柄に係る特別図柄表示装置４７２の動作制御が実行され、第２特別図柄抽選において大当りに当選した場合には、下大入賞装置４３３及び上大入賞装置４３４の動作制御が更に実行される。
【０１５９】
普通図柄関連処理Ｓ１２１８においては、普通図柄に係る単位遊技の権利の保留制御並びに普通図柄に係る単位遊技の制御が実行される。具体的には、普通図柄に係る単位遊技の権利の保留制御において、普通図柄保留表示装置４７８の動作制御が実行される。また、普通図柄に係る単位遊技の制御において、普通図柄に係る普通図柄表示装置４７３の動作制御が実行され、普通図柄抽選に当選した場合には更に右始動入賞装置４３２の動作制御が実行される。
【０１６０】
表示制御処理Ｓ１２１９においては、特別図柄関連処理Ｓ１２１７における第１特別図柄に係る特別図柄表示装置４７１、第２特別図柄に係る特別図柄表示装置４７２、第１特別図柄に係る特別図柄保留表示装置４７６及び第２特別図柄に係る特別図柄保留表示装置４７７等の動作を制御するために更新される各種の情報に基づいて、それらの装置を具体的に作動させるための出力データが合成される。合成された出力データは、次回のタイマ割込みに基づく制御信号出力処理Ｓ１２０８において各装置に出力される。
【０１６１】
モータ制御処理Ｓ１２２０においては、各種のモータの動作制御が実行される。外部情報出力処理Ｓ１２２１においては、パチンコ機１００に電気的に接続されるデータ表示装置（図示せず）や管理装置（図示せず）等の外部装置に出力する出力データが設定される。
【０１６２】
＜中始動入賞装置４３１＞
次に、図１３から図１７を参照して、中始動入賞装置４３１について説明する。まず、図１３および図１４を参照して、中始動入賞装置４３１の構造的な構成について説明する。
【０１６３】
図１３は、前側から見た中始動入賞装置４３１の分解斜視図である。なお、図１３において、中始動入賞装置４３１を組み立てるためのビスの図示は省略している。また、図１４は、前カバー６１０と台板６３０との間の構造を説明するための斜視断面図である。具体的に、図１４は、前カバー６１０における前面の板部分が切除された中始動入賞装置４３１の斜視断面図である。
【０１６４】
図１３に示すように、中始動入賞装置４３１は、前カバー６１０と、振分部６２０と、台板６３０と、中始動入賞スイッチ４４１（４４１Ａ，４４１Ｂ）と、裏カバー６４０とを備えている。
【０１６５】
台板６３０は、中始動入賞装置４３１を遊技盤４００に取り付けるための樹脂製の部材であり、その周縁に、ビス（図示せず）を挿通可能な取付孔６３１が形成されている。中始動入賞装置４３１は、遊技盤４００に形成された貫通孔に前方から挿入され、取付孔６３１に前方から挿通されたビスで遊技盤４００に固定される。これにより、中始動入賞装置４３１は、台板６３０より前方部分が露出した状態で遊技盤４００に取り付けられる（図１６（ａ），図１７参照）。
【０１６６】
台板６３０の前面には、その上部中央に、振分部６２０を前方から収容可能な収容部６３２が形成されている。収容部６３２の内部には、振分部６２０の軸６２１の後端側を挿入するための軸穴６３３が設けられている。
【０１６７】
台板６３０の前面には、収容部６３２より下方に、当該前面から前方に突出する突起部６３４が形成されている。突起部６３４は、中始動入賞装置４３１内に形成された後述する主球通路６５２Ａ，６５２Ｂ（図１５参照）の経路上の位置に形成される。つまり、突起部６３４は、左側主球通路６５２Ａまたは右側主球通路６５２Ｂを流下する遊技球が衝突し得る位置に形成されている。
【０１６８】
台板６３０には、入口６１１から進入して左側主球通路６５２Ａまたは右側主球通路６５２Ｂを通過する（流下する）遊技球を、台板６３０の前面側から背面側へと通過させるための貫通孔６３５が、突起部６３４の下方に形成されている。
【０１６９】
台板６３０の裏側に配置される中始動入賞スイッチ４４１は、貫通孔６３５を通過した、金属球である遊技球を非接触で検出する近接センサである。本実施形態では、中始動入賞スイッチ４４１として、左側主球通路６５２Ａ（図１５参照）に連設された貫通孔６３５を通過した遊技球を検出する左側中始動入賞スイッチ４４１Ａと、右側主球通路６５２Ｂ（図１５参照）に連設された貫通孔６３５を通過した遊技球を検出する右側中始動入賞スイッチ４４１Ｂとが設けられている。
【０１７０】
中始動入賞スイッチ４４１（４４１Ａ，４４１Ｂ）は、遊技球を検出するための検出コイル（図示せず）が内包された検出部Ｊ１と、当該検出コイルに接続された回路基板（図示せず）が内包された回路部Ｊ２とが、長手方向に並べて配置された略板状に構成される。検出部Ｊ１には、遊技球が通過可能な開口Ｊ１ａが形成されており、検出コイルは、開口Ｊ１ａの外周に巻回されている。
【０１７１】
回路部Ｊ２に内包される回路基板は、遊技球が開口Ｊ１ａを通過した場合に、検出コイルからの出力に基づいて遊技球を検出したことを示す検出信号を主制御装置３７０へ出力する。中始動入賞スイッチ４４１（４４１Ａ，４４１Ｂ）は、開口Ｊ１ａが台板６３０の貫通孔６３５と連通するよう、検出部Ｊ１を下側に向け、回路部Ｊ２を上側に向けて設置される。
【０１７２】
裏カバー６４０は、中始動入賞スイッチ４４１を介して台板６３０の裏側に取り付けられる樹脂製のカバーである。裏カバー６４０には、左側中始動入賞スイッチ４４１Ａまたは右側中始動入賞スイッチ４４１Ｂの開口Ｊ１ａを通過した遊技球を、裏カバーの裏側へと通過させるための開口６４１が形成されている。
【０１７３】
振分部６２０は、金属製の軸６２１と、軸６２１周りに揺動可能な樹脂製の本体６２２とを備えている。振分部６２０は、軸６２１の後端側を台板６３０の軸穴６３３に挿入し、前端側を前カバー６１０の裏側に形成された軸穴に挿入することで、図１４に示すように、前カバー６１０と台板６３０との間に軸架される。
【０１７４】
本体６２２は、前面が平面に構成された略かまぼこ状の基体６２２Ａと、基体６２２Ａの外周における直線部分の近傍から前方に突出して、軸６２１を挿通可能な軸穴が形成された軸挿通部６２２Ｂと、基体６２２Ａの前面に立設された、軸挿通部６２２Ｂの外周に接続する左アーム６２２Ｃ、右アーム６２２Ｄおよび上アーム６２２Ｅを備えている。
【０１７５】
左アーム６２２Ｃおよび右アーム６２２Ｄは、基体６２２Ａの直線部分に沿ってそれぞれ左側および右側に延びる。一方、上アーム６２２Ｅは、左右のアーム６２２Ｃ，６２２Ｄに対して直交する方向に延びる。左アーム６２２Ｃと上アーム６２２Ｅとの間に形成される、基体６２２Ａに対する前方の空間は、左側の球受け部６２２Ｆを構成する。一方、右アーム６２２Ｄと上アーム６２２Ｅとの間に形成される、基体６２２Ａに対する前方の空間は、右側の球受け部６２２Ｇを構成する。
【０１７６】
振分部６２０が前カバー６１０と台板６３０との間に軸架された状態において、基体６２２Ａは台板６３０の収容部６３２に収容される。これにより、振分部６２０は、収容部６３２の内壁の形状によって制限された範囲内で、軸６２１周りに左または右方向に揺動（回動）する。詳細は後述するが、入口６１１から中始動入賞装置４３１に進入した遊技球は、振分部６２０の球受け部６２２Ｆ，６２２Ｇのいずれかに入ることで、左側主球通路６５２Ａ（図１５参照）または右側主球通路６５２Ｂ（図１５参照）のいずれかに振り分けられる。
【０１７７】
前カバー６１０は、振分部６２０を介して台板６３０の前面側に取り付けられる樹脂製のカバーである。なお、前カバー６１０は、その前面が透明または半透明に構成され、それにより、遊技者は、主球通路６５２Ａ，６５２Ｂなどの、中始動入賞装置４３１内に形成された通路部を通過する遊技球を、前カバー６１０を介して視認することが可能である。これにより、遊技者は、中始動入賞装置４３１に進入した遊技球の行方を視認することができるので、振分部６２０による振り分けを伴う遊技の興趣が向上する。
【０１７８】
前カバー６１０の上側には、入口６１１を構成する開口が形成されている。前カバー６１０の裏側には、入口６１１から中始動入賞装置４３１に進入した遊技球が通過する通路部を形成するリブや切欠きなどが形成されている。かかるリブおよび切欠きは、台板６３０の前面とともに、前記通路部として、案内通路６５１（図１５参照）、主球通路６５２Ａ，６５２Ｂ（図１５参照）、従球通路６５３Ａ，６５３Ｂ，６５３Ｃ（図１５参照）、および、主球通路６５２Ａ，６５２Ｂから分岐した従球通路６５３Ａ，６５３Ｂ，６５３Ｃの入口部６５４Ａ１，６５４Ａ２，６５４Ｂ１，６５４Ｂ２を形成する。なお、これらの通路部は、遊技球の直径よりやや広い通路幅に構成され、２以上の遊技球が同時に通過することができない。
【０１７９】
また、前カバー６１０の裏側には、主球通路６５２Ａ，６５２Ｂの経路上となる位置に、誘導部６１２が設けられている。詳細は後述するが、誘導部６１２は、左側主球通路６５２Ａまたは右側主球通路６５２Ｂを上側から下向きに流下する遊技球を、各主球通路６５２Ａ，６５２Ｂに対する貫通孔６３５がある奥側へと奥向きに誘導する機能を有する。
【０１８０】
ここで、図１５から図１７を参照して、入口６１１から中始動入賞装置４３１に進入した遊技球の通過経路（流下経路）について説明する。図１５（ａ）は、図１４に示す中始動入賞装置４３１を正面から見た断面図である。なお、図１５（ａ）では、断面のハッチングを省略している。図１５（ｂ）は、従球通路６５３Ａ，６５３Ｂ，６５３Ｃを通る平面で切断した中始動入賞装置４３１の概略的な正面断面図である。
【０１８１】
図１６（ａ）は、図１５（ａ）のＡ−Ａ線における中始動入賞装置４３１の断面図である。図１６（ｂ）は、誘導部６１２に沿って流下する遊技球を説明するための概略的な断面図であり、具体的には、図１６（ａ）の矢印Ｃの位置で中始動入賞装置４３１を前後方向に切断したときの、上側から見た左側主球通路６５２Ａの概略的な断面図である。また、図１７は、図１５（ａ）のＢ−Ｂ線における中始動入賞装置４３１の断面図である。なお、図１６（ａ）および図１７では、図１５（ａ）では一部が切断されている前カバー６１０の全てを図示している。
【０１８２】
入口６１１から中始動入賞装置４３１に進入した遊技球は、案内通路６５１に進入する。案内通路６５１に進入した遊技球は、振分部６２０における左右の球受け部６２２Ｆ，６２２Ｇのうち、入口６１１の側を向いている方の球受け部に進入する。
【０１８３】
遊技球が球受け部６２２Ｆ，６２２Ｇに進入すると、遊技球の自重が左アーム６２２Ｃまたは右アーム６２２Ｄにかかることで、振分部６２０は、軸６２１周りに、収容部６３２によって制限される範囲で左または右方向に回動する。これにより、遊技球は、左側主球通路６５２Ａまたは右側主球通路６５２Ｂのいずれかに振り分けられる。
【０１８４】
つまり、図１５（ａ）に示す例では、入口６１１から案内通路６５１へと進入した遊技球は、左側の球受け部６２２Ｆに進入し、遊技球の自重によって振分部６２０が左方向に回動することで、左側主球通路６５２Ａに振り分けられる。なお、左側の球受け部６２２Ｆが入口６１１の側を向く状況では、振分部６２０は、収容部６３２によってそれ以上の右回転が制限されているため、左側の球受け部６２２Ｆに進入した遊技球は、上アーム６２２Ｅが障害となって、右側主球通路６５２Ｂに進入することはない。
【０１８５】
遊技球が左側の球受け部６２２Ｆまたは右側の球受け部６２２Ｇに進入したことで、振分部６２０が左または右方向に回動すると、入口６１１の側を向く球受け部が、今回遊技球が進入した球受け部とは異なる球受け部に切り替わる。よって、次回に入口６１１から進入した遊技球は、左側の球受け部６２２Ｆまたは右側の球受け部６２２Ｇのうち、今回進入した球受け部とは異なる球受け部に進入する。つまり、図１５（ａ）に示す例では、次回に入口６１１から進入した遊技球は、右側の球受け部６２２Ｇに進入する。
【０１８６】
これにより、左側主球通路６５２Ａまたは右側主球通路６５２Ｂのうち、振分部６２０による遊技球の振り分け先となる主球通路は、今回進入した主球通路とは異なる主球通路となる。つまり、入口６１１から進入した遊技球は、振分部６２０によって、左側主球通路６５２Ａまたは右側主球通路６５２Ｂへ交互に振り分けられる。よって、入口６１１から中始動入賞装置４３１に進入した遊技球は、振分部６２０によって、５０％の確率で、左側主球通路６５２Ａまたは右側主球通路６５２Ｂのいずれかに振り分けられる。
【０１８７】
左側主球通路６５２Ａは、遊技球を、上から下向き（矢印Ｑ１方向）に誘導した後、貫通孔６３５や左側中始動入賞スイッチ４４１Ａのある奥向き（矢印Ｑ３方向）へと誘導する。左側主球通路６５２Ａは、遊技球の誘導方向が下向きから奥向きへと変化する部分（以下、この部分を「流下方向変化部」と称することがある）にて、流下方向変化部における遊技球の流下方向（上下方向および前後方向）に対して交差する向きである、遊技機正面視の左右方向に分岐する。
【０１８８】
左側従球通路６５３Ａは、左側主球通路６５２Ａから遊技機正面視における左側に分岐した球通路であり、中央従球通路６５３Ｃは、左側主球通路６５２Ａから遊技機正面視における右側に分岐した球通路である。
【０１８９】
矢印Ｑ５で示すように、左側主球通路６５２Ａから入口部６５４Ａ１を経て左側従球通路６５３Ａに進入した遊技球は、左側従球通路６５３Ａの出口から、遊技盤４００上の、中始動入賞装置４３１に対して左側の遊技領域に排出される。同様に、矢印Ｑ７で示すように、左側主球通路６５２Ａから入口部６５４Ａ２を経て中央従球通路６５３Ｃに進入した遊技球は、中央従球通路６５３Ｃの出口から、遊技盤４００上の、中始動入賞装置４３１に対して下側の遊技領域に排出される。
【０１９０】
このように、振分部６２０によって左側主球通路６５２Ａに振分けられた遊技球であっても、左側従球通路６５３Ａまたは中央従球通路６５３Ｃに進入した場合には、その遊技球は、左側中始動入賞スイッチ４４１Ａにより検出されることなく（すなわち、入賞が発生することなく）、中始動入賞装置４３１から排出される。
【０１９１】
従球通路６５３Ａ，６５３Ｃに進入することなく、左側主球通路６５２Ａを流下する遊技球は、左側中始動入賞装置４３１Ａに誘導され、当該左側中始動入賞装置４３１Ａから排出される。本実施形態では、左側主球通路６５２Ａを流下する遊技球が、左側従球通路６５３Ａまたは中央従球通路６５３Ｃに進入することなく、左側中始動入賞スイッチ４４１Ａによって必ず検出されるようになる境界位置を、図１７に示すように、左側中始動入賞装置４３１Ａの入口（以下、「左側中始動入賞口４３１Ａａ」と称す）とする。
【０１９２】
なお、本実施形態の中始動入賞装置４３１においては、左側主球通路６５２Ａから従球通路６５３Ａ，６５３Ｃへの入口部６５４Ａ１，６５４Ａ２は、その周縁の一部が台板６３０の前面によって構成されているので（図１７参照）、左側中始動入賞口４３１Ａａは、台板６３０に形成された貫通孔６３５の前面側の開口端に相当する。
【０１９３】
よって、左側主球通路６５２Ａに進入した後、従球通路６５３Ａ，６５３Ｃの側へ進行することなく、左側主球通路６５２Ａを進行した遊技球が、左側中始動入賞装置４３１Ａの入口部分（すなわち、左側中始動入賞口４３１Ａａ）へ進入した場合、その遊技球は、左側中始動入賞スイッチ４４１Ａにより検出され、それにより、第１特別図柄に係る始動入賞が発生する。
【０１９４】
従って、中始動入賞装置４３１において、左側中始動入賞口４３１Ａａの下流側が左側中始動入賞装置４３１Ａとして機能する部分であり、左側中始動入賞スイッチ４４１Ａを含む。なお、図１６（ａ）に示すように、回路部Ｊ２を上側に向けて左側中始動入賞スイッチ４４１Ａを配置することで、当該回路部Ｊ２を、遊技球を上から下向きに誘導した後で奥向きへ誘導する左側主球通路６５２Ａにおいて、上下方向の通路部分の裏側（奥側）に形成されるデッドスペースに収めることができる。
【０１９５】
右側主球通路６５２Ｂは、遊技球を、上から下向き（矢印Ｑ２方向）に誘導した後、貫通孔６３５や右側中始動入賞スイッチ４４１Ｂのある奥向き（矢印Ｑ４方向）へ誘導する。右側主球通路６５２Ｂは、遊技球の誘導方向が下向きから奥向きへと変化する部分（つまり、流下方向変化部）にて、流下方向変化部における遊技球の流下方向（上下方向および前後方向）に対して交差する向きである、遊技機正面視の左右方向に分岐する。
【０１９６】
右側従球通路６５３Ｂは、右側主球通路６５２Ｂから遊技機正面視における右側に分岐した球通路であり、中央従球通路６５３Ｃは、右側主球通路６５２Ｂから遊技機正面視における左側に分岐した球通路である。
【０１９７】
矢印Ｑ６で示すように、右側主球通路６５２Ｂから入口部６５４Ｂ１を経て右側従球通路６５３Ｂに進入した遊技球は、右側従球通路６５３Ｂの出口から、遊技盤４００上の、中始動入賞装置４３１に対して右側の遊技領域に排出される。同様に、矢印Ｑ８で示すように、右側主球通路６５２Ｂから入口部６５４Ｂ２を経て中央従球通路６５３Ｃに進入した遊技球は、中央従球通路６５３Ｃの出口から、遊技盤４００上の、中始動入賞装置４３１に対して下側の遊技領域に排出される。
【０１９８】
このように、振分部６２０によって右側主球通路６５２Ｂに振分けられた遊技球であっても、右側従球通路６５３Ｂまたは中央従球通路６５３Ｃに進入した場合には、その遊技球は、右側中始動入賞スイッチ４４１Ｂにより検出されることなく（すなわち、入賞が発生することなく）、中始動入賞装置４３１から排出される。
【０１９９】
従球通路６５３Ｂ，６５３Ｃに進入することなく、右側主球通路６５２Ｂを流下する遊技球は、右側中始動入賞装置４３１Ｂに誘導され、当該右側中始動入賞装置４３１Ｂから排出される。本実施形態では、右側主球通路６５２Ｂを流下する遊技球が、右側従球通路６５３Ｂまたは中央従球通路６５３Ｃに進入することなく、右側中始動入賞スイッチ４４１Ｂによって必ず検出されるようになる境界位置を、図１７に示すように、右側中始動入賞装置４３１Ｂの入口（以下、「右側中始動入賞口４３１Ｂａ」と称す）とする。
【０２００】
なお、本実施形態の中始動入賞装置４３１においては、右側主球通路６５２Ｂから従球通路６５３Ｂ，６５３Ｃへの入口部６５４Ｂ１，６５４Ｂ２は、その周縁の一部が台板６３０の前面によって構成されているので（図１７参照）、右側中始動入賞口４３１Ｂａは、台板６３０に形成された貫通孔６３５の前面側の開口端に相当する。
【０２０１】
よって、右側主球通路６５２Ｂに進入した後、従球通路６５３Ｂ，６５３Ｃの側へ進行することなく、右側主球通路６５２Ｂを進行した遊技球が、右側中始動入賞装置４３１Ｂの入口部分（すなわち、右側中始動入賞口４３１Ｂａ）へ進入した場合、その遊技球は、右側中始動入賞スイッチ４４１Ｂにより検出され、それにより、第２特別図柄に係る始動入賞が発生する。
【０２０２】
従って、中始動入賞装置４３１において、右側中始動入賞口４３１Ｂａの下流側が右側中始動入賞装置４３１Ｂとして機能する部分であり、右側中始動入賞スイッチ４４１Ｂを含む。なお、回路部Ｊ２を上側に向けて配置された右側中始動入賞スイッチ４４１Ｂもまた、左側中始動入賞スイッチ４４１Ａと同様、当該回路部Ｊ２が、遊技球を上から下向きに誘導した後で奥向きへ誘導する右側主球通路６５２Ｂにおいて、上下方向の通路部分の裏側（奥側）に形成されるデッドスペースに収納される。
【０２０３】
図１６（ａ）に示すように、左側主球通路６５２Ａにおいて、誘導部６１２は流下方向変化部に設けられている。右側主球通路６５２Ｂについても同様に、誘導部６１２は流下方向変化部に設けられている。誘導部６１２は、図１５（ａ）および図１６（ａ）に示すように、主球通路６５２Ａ，６５２Ｂの通路幅の略中央に当該通路幅より細い幅で形成された、当該誘導部６１２の外縁である傾斜面６１２Ａが遊技球の流下方向に沿って延びる凸部である。
【０２０４】
なお、流下方向変化部において、遊技球が実質的に通過可能な空間を構成する境界の一部は、誘導部６１２によって支持された遊技球の外形により規定される。本実施形態において、「主球通路６５２Ａ，６５２Ｂ」とは、前カバー６１０の裏面と前カバー１０の裏側に形成されたリブの側面と台板６３０の前面とからなる壁面によって囲まれた空間でなく、遊技球が実質的に通過可能な空間に相当する。
【０２０５】
また、誘導部６１２は、図１６（ａ）に示すように、傾斜面６１２Ａが、遊技球の流下方向における上流側から下流側になるにつれて、略重力方向の傾きから略水平方向の傾きまで次第に傾斜が緩くなる（すなわち、傾斜角度が次第に小さくなる）曲線形状に構成される。つまり、誘導部６１２は、流下方向変化部を流下する遊技球を、かかる傾斜面６１２Ａによって、水平方向に対する遊技球の誘導角度が遊技球の流下方向における上流側から下流側になるにつれて次第に小さくなるよう誘導する。
【０２０６】
上述のように構成される誘導部６１２が主球通路６５２Ａ，６５２Ｂの流下方向変化部に設けられたことで、主球通路６５２Ａ，６５２Ｂに進入して流下する遊技球は、当該流下方向変化部において、下向きの流下方向が、誘導部６１２によって徐々に下向きの成分を失いつつ奥向きへと変化する。このように、誘導部６１２は、流下方向変化部において、下向きに流下する遊技球がスムースに奥向きに流れるよう、遊技球の流れを整流する機能を有する。
【０２０７】
また、左側主球通路６５２Ａと入口部６５４Ａ１（左側従球通路６５３Ａへの入口部）とを右側（図１６（ａ）における紙面手前側）から見たとき、誘導部６１２の傾斜面６１２Ａは、入口部６５４Ａ１の周縁に対して外方に位置する。同様に、左側主球通路６５２Ａと入口部６５４Ａ２（中央従球通路６５３Ｃへの入口部）とを左側（図１６（ａ）における紙面奥側）から見たとき、誘導部６１２の傾斜面６１２Ａは、入口部６５４Ａ２の周縁に対して外方に位置する。
【０２０８】
また、右従球通路６３５Ｂの入口部６５４Ｂ１，６５４Ｂ２についても、入口部６５４Ｂ１または入口部６５４Ｂ２と右側主球通路６５２Ｂとを左または右側から見たときに、誘導部６１２の傾斜面６１２Ａは、それらの入口部６５４Ａ２，６５４Ｂ１，６５４Ｂ２の周縁に対して外方に位置する。
【０２０９】
誘導部６１２は、主球通路６５２Ａ，６５２Ｂの通路幅より細い幅で立設されるため、図１６（ｂ）に示すように、入口部６５４Ａ１または入口部６５４Ａ２と、誘導部６１２との間には、誘導部６１２の設置面を底とする２つの凹部６６２が形成される。なお、右側主球通路６５２Ｂについても、入口部６５４Ｂ１または入口部６５４Ｂ２と、誘導部６１２との間には、凹部６６２と同様の、誘導部６１２の設置面を底とする２つの凹部（以下、当該凹部についても、便宜上、凹部６６２と称す）が形成される。以下、左側主球通路６５２Ａに形成される凹部６６２について説明するが、右側主球通路６５２Ｂに形成される凹部６６２についても同様である。
【０２１０】
凹部６６２の幅は遊技球の径より狭いため、流下方向変化部を流下する遊技球が入口部６５４Ａ１または入口部６５４Ａ２の側に寄った場合、当該遊技球は、入口部６５４Ａ１または入口部６５４Ａ２の周縁と誘導部６１２とによって支持される。例えば、図１６（ｂ）に示すように、遊技球Ｐが入口部６５４Ａ１の側に寄った場合、遊技球Ｐは、入口部６５４Ａ１の周縁と誘導部６１２とによって支持される。誘導部６１２のみで遊技球が支持される場合には、その遊技球は凹部６６２に落ち込まないのに対し、入口部６５４Ａ１の周縁と誘導部６１２により遊技球が支持される場合、その遊技球の一部が凹部６６２に落ち込む。
【０２１１】
誘導部６１２のみで支持されて凹部６６２に落ち込むことなく流下する遊技球が入口部６５４Ａ１または入口部６５４Ａ２の側に寄った場合、当該遊技球は、入口部６５４Ａ１または入口部６５４Ａ２の周縁と誘導部６１２とによって支持されるまでの間、凹部６６２に落ち込んでいく動き、すなわち、凹部６６２の底に近づく動きをする。
【０２１２】
入口部６５４Ａ１または入口部６５４Ａ２の周縁は誘導部６１２の外縁（傾斜面６１２Ａ）より高い位置にあるので、入口部６５４Ａ１または入口部６５４Ａ２の周縁と誘導部６１２とによって支持される遊技球が、入口部６５４Ａ１または入口部６５４Ａ２を経て左側従球通路６５３Ａまたは中央従球通路６５３Ｃに進入するためには、遊技球は凹部６６２の底から離れる側に動く必要がある。
【０２１３】
つまり、誘導部６１２のみで支持されて流下方向変化部を流下する遊技球が、入口部６５４Ａ１または入口部６５４Ａ２を経て左側従球通路６５３Ａまたは中央従球通路６５３Ｃに進入するためには、当該遊技球は、図１６（ｂ）に矢印で示すように、凹部６６２の底に一旦近づいた後、当該底から離れる動きをする必要がある。
【０２１４】
図１６（ａ）に示すように、突起部６３４は、左側主球通路６５２Ａにおける奥側の壁（すなわち、台板６３０の前面により構成される壁）に設けられている。なお、右側主球通路６５２Ｂについても、突起部６３４は、右側主球通路６５２Ｂにおける奥側の壁に設けられている。以下、左側主球通路６５２Ａに形成される突起部６３４について説明するが、右側主球通路６５２Ｂに形成される突起部６３４についても同様である。
【０２１５】
左側主球通路６５２Ａを流下する遊技球は、突起部６３４に衝突した場合、当該突起部６３４によって前方（すなわち、突起部６３４の突出方向）に弾かれる。例えば、遊技球は、突起部６３４に衝突したことで矢印Ｒに示す軌道で前方に弾かれる。突起部６３４の下流側には、誘導部６１２が設けられており、突起部６３４に弾かれた遊技球は、誘導部６１２へと案内される。
【０２１６】
本実施形態における突起部６３４は、遊技球を、誘導部６１２における傾斜面６１２Ａの傾斜角度（水平方向に対する角度）、すなわち、誘導部６１２による遊技球の誘導角度が所定角度（例えば、略８０度）より大きい部分に案内するよう構成される。このように、遊技球が、突起部６３４との衝突によって、誘導部６１２における、遊技球の誘導角度が所定角度より大きい部分に案内されることで、誘導部６１２による遊技球の誘導を好適に機能させることができる。
【０２１７】
なお、突起部６３４は、遊技球を、誘導部６１２における、遊技球の誘導角度（すなわち、傾斜面６１２Ａの傾斜角度）が、略４５度より大きい部分に案内することが良く、略７０度より大きい部分に案内することが好ましく、略８５度より大きい部分に案内されることが好適である。
【０２１８】
また、図１６（ａ）に示すように、左側主球通路６５２Ａにおいて、左側従球通路６５３Ａへの入口部６５４Ａ１は、突起部６３４より下流側に形成されている。また、入口部６５４Ａ１は、当該入口部６５４Ａ１と左側主球通路６５２Ａとを左側主球通路６５２Ａの右側（図１６（ａ）における紙面手前側）から見たときに、左側主球通路６５２Ａの周縁（つまり、誘導部６１２によって支持された遊技球の外形により規定される、遊技球が実質的に通過可能な空間における仮想的な左側主球通路６５２Ａの境界）に対し、当該主球通路６５２Ａの内側（すなわち、奥側）にオフセットされた位置に形成されている。
【０２１９】
このように、入口部６５４Ａ１は、当該入口部６５４Ａ１と左側主球通路６５２Ａとを右側から見たときに、左側主球通路６５２Ａの周縁に対し、突起部６３４が設けられている側（すなわち、奥側）にオフセットされている。また、入口部６５４Ａ２もまた、入口部６５４Ａ１と同様、突起部６３４より下流側に形成されるとともに、入口部６５４Ａ２と左側主球通路６５２Ａとを左側から見たときに、左側主球通路６５２Ａの周縁に対し、突起部６３４が設けられている側にオフセットされている。
【０２２０】
つまり、突起部６３４との衝突によって前方に弾かれた遊技球は、左側主球通路６５２Ａにおける入口部６５４Ａ１が形成されていない側（つまり、それと同じ方向から見たときに、左側主球通路６５２Ａにおける、当該左側主球通路６５２Ａと入口部６５４Ａ１，６５４Ａ２に重ならない側）に案内される。
【０２２１】
また、左側従球通路６５３Ａは、図１５（ｂ）に示すように、入口部６５４Ａ１から下流側（図１５（ｂ）における左側）へ向かって、その通路の底面（すなわち、遊技球を支持する支持面）が下流側（矢印Ｑ５の方向側）に下降傾斜する傾斜面により構成されている。このため、左側従球通路６５３Ａに対して下流側に相当する遊技領域側から遊技球が逆方向（矢印Ｑ５の反対方向）に進行し、遊技球が左側主球通路６５２Ａに進入することが防止されている。これにより、中始動入賞装置４３１の入口６１１を経由しないで遊技領域を流下する遊技球が左側中始動入賞口４３１Ａａへ進入する確率を低く抑え、中始動入賞装置４３１の入口６１１に対する遊技球の進入量に対して左側中始動入賞口４３１Ａａへの入賞量が比例し易くし、左側中始動入賞口４３１Ａａへの遊技球の入賞確率を設定し易くすることができる。この左側従球通路６５３Ａの底面を構成する傾斜面の長さは、遊技球の半径より長く設定することが好ましく、直径より長く設定することが好適である。なお、右側従球通路６５３Ｂの入口部６５４Ｂ１、及び、中央従球通路６５３Ｃの入口部６５４Ａ２，Ｂ２についても、各通路の底面が下流側（矢印Ｑ６〜Ｑ８の方向側）に下降傾斜する傾斜面により構成され、これにより、右側従球通路６５３Ｂ及び中央従球通路６５３Ｃを逆方向に進行した遊技球が、左側主球通路６５２Ａ及び右側主球通路６５２Ｂに進入することを防止することができる。
【０２２２】
また、左側従球通路６５３Ａは、図１５（ｂ）に示すように、入口部６５４Ａ１から下流側（図１５（ｂ）における左側）へ向かう方向側の上面（天面）と底面との長さとして、上面側の方が底面側より下流側に長く連続している。右側従球通路６５３Ｂについても同様の構成とされ、これにより、左側従球通路６５３Ａ及び右側従球通路６５３Ｂの出口部分において遊技領域を上側から下方に流下した遊技球が左側主球通路６５２Ａ及び右側従球通路６５３Ｂに進入することを防止することができる。
【０２２３】
また、左側従球通路６５３Ａの出口部分に対して上方側には、前カバー６１０の外形形状によって正面視円弧状で中央側（入口６１１側））に向かって連続する壁部が設けられ、この壁部に支持されて下方側に誘導される遊技球が左側従球通路６５３Ａの出口部分に対して外側（図１５（ｂ）における左側）へ離間するように誘導される。右側従球通路６５３Ｂの出口部分に対して上方側の前カバー６１０の外形形状についても同様の構成とされ、これにより、前カバー６１０の外形によって下側を支持されつつ誘導された遊技球が左側主球通路６５２Ａ及び右側従球通路６５３Ｂに進入することを防止し、中始動入賞装置４３１の入口６１１を経由しないで左側中始動入賞口４３１Ａａ及び右側中始動入賞口４３１Ｂａへ遊技球が進入することを防止することができる。
【０２２４】
次に、以上説明した本実施形態のパチンコ機１００の作用及び効果を説明する。
【０２２５】
本実施形態のパチンコ機１００においては、中始動入賞装置４３１の主球通路６５２Ａ，６５２Ｂが、遊技球を、上から下向きに誘導した後、奥向きへ誘導する球通路として構成され、中始動入賞スイッチ４４１Ａ，４４１Ｂが、主球通路６５２Ａ，６５２Ｂにおいて奥向きに誘導される遊技球を検出可能な位置に設けられている。よって、中始動入賞スイッチ４４１Ａ，４４１Ｂのような検出手段を、下方向に延びる通路の下方に設ける場合に比べ、中始動入賞装置４３１の上下方向のサイズを小さくすることができる。中始動入賞装置４３１の上下方向のサイズが小さくなった分、遊技球が流下する遊技領域を大きく確保することが可能となる。
【０２２６】
また、回路部Ｊ２を上側に向けて中始動入賞スイッチ４４１Ａ，４４１Ｂを配置することで、当該回路部Ｊ２を、遊技球を上から下向きに誘導した後で奥向きへ誘導する主球通路６５２Ａ，６５２Ｂにおいて、上下方向の通路部分の裏側（奥側）に形成されるデッドスペースに収めることができる。これにより、中始動入賞装置４３１のサイズを上下方向だけでなく奥行き方向にも好適に小型化することができる。
【０２２７】
また、本実施形態のパチンコ機１００においては、主球通路６５２Ａ，６５２Ｂの流下方向変化部（遊技球の誘導方向が下向きから奥向きへと変化する部分）には、当該流下方向変化部を流下する遊技球を、水平方向に対する遊技球の誘導角度が遊技球の流下方向における上流側から下流側になるにつれて次第に小さくなるよう誘導する誘導部６１２が設けられている。
【０２２８】
かかる誘導部６１２が流下方向変化部に設けられたことで、振分部６２０による振り分けによって左側主球通路６５２Ａまたは右側主球通路６５２Ｂに進入して下向きに流下する遊技球は、流下方向変化部において、その流下方向が、誘導部６１２によって徐々に下向きの成分を失いつつ奥向きへと変化する。このように、誘導部６１２は、流下方向変化部において、下向きに流下する遊技球がスムースに奥向きに流れるよう、遊技球の流れを整流する機能を有する。
【０２２９】
流下方向変化部を流下する遊技球が誘導部６１２によってスムースに奥側へと流れるようになったことで、振分部６２０による振り分けによって左側主球通路６５２Ａまたは右側主球通路６５２Ｂに振り分けられた遊技球が、中始動入賞スイッチ４４１Ａ，４４１Ｂによって検出されるまでのタイムラグを好適に短くできる。これにより、上側から下向きに遊技球を誘導した後、該遊技球を奥向きに誘導する主球通路６５２Ａ，６５２Ｂを備える中始動入賞装置４３１において、遊技球が左側主球通路６５２Ａまたは右側主球通路６５２Ｂに振り分けられてから中始動入賞スイッチ４４１Ａ，４４１Ｂにより検出されるまでのタイムラグが大きくなって遊技のテンポが悪くなることを好適に抑制できる。
【０２３０】
また、主球通路６５２Ａ，６５２Ｂの流下方向変化部では、従球通路６５３Ａ，６５３Ｂ，６５３Ｃが、主球通路６５２Ａ，６５２Ｂから遊技球の流下方向に対して交差する方向に分岐するが、流下方向変化部を流下する遊技球は、上述のように、誘導部６１２によってスムースに奥側へと流れるので、遊技球が、入口部６５４Ａ１，６５４Ａ２，６５４Ｂ１，６５４Ｂ２から排出され難い。これにより、流下方向変化部を流下する遊技球が、従球通路６５３Ａ，６５３Ｂ，６５３Ｃへ進入することが抑制される。
【０２３１】
特に、主球通路６５２Ａ，６５２Ｂにおける奥側の壁には、誘導部６１２より上流側の位置に突起部６３４が設けられており、主球通路６５２Ａ，６５２Ｂを流下する遊技球が突起部６３４に衝突した場合、当該遊技球は、突起部６３４との衝突によって、誘導部６１２における遊技球の誘導角度が所定角度より大きい部分に案内される。これにより、下向きに流下する遊技球が、流下方向変化部において、流下方向が急激に奥向きに変化することが好適に抑制される。よって、誘導部６１２による遊技球の誘導を好適に機能させることができ、それにより、従球通路６５３Ａ，６５３Ｂ，６５３Ｃへの遊技球の進入をより好適に抑制することができる。
【０２３２】
また、誘導部６１２の傾斜面６１２Ａは、入口部６５４Ａ１，６５４Ａ２，６５４Ｂ１，６５４Ｂ２と球通路６５２Ａ，６５２Ｂとを左または右側から見たときに、入口部６５４Ａ２，６５４Ｂ１，６５４Ｂ２の周縁に対して外方に位置する。つまり、入口部６５４Ａ１，６５４Ａ２，６５４Ｂ１，６５４Ｂ２は、入口部６５４Ａ１，６５４Ａ２，６５４Ｂ１，６５４Ｂ２と主球通路６５２Ａ，６５２Ｂとを左または右側から見たときに、各主球通路６５２Ａ，６５２Ｂの周縁（すなわち、誘導部６１２によって支持された遊技球の外形により規定される、遊技球が実質的に通過可能な空間における仮想的な境界）に対し、各主球通路６５２Ａ，６５２Ｂの内側（すなわち、奥側）にオフセットされた位置に形成されている。
【０２３３】
このように、誘導部６１２の傾斜面６１２Ａと、入口部６５４Ａ２，６５４Ｂ１，６５４Ｂ２の周縁との位置関係が設定されたことで、これらの入口部６５４Ａ２，６５４Ｂ１，６５４Ｂ２と主球通路６５２Ａ，６５２Ｂとを左または右側から見たときに、主球通路６５２Ａ，６５２Ｂを流下する遊技球が従球通路６５３Ａ，６５３Ｂ，６５３Ｃへと進入するためには、主球通路６５２Ａ，６５２Ｂに対する従球通路６５３Ａ，６５３Ｂ，６５３Ｃの分岐方向（すなわち、左または右向き）への移動だけでなく、入口部６５４Ａ２，６５４Ｂ１，６５４Ｂ２がオフセットされている方向（すなわち、主球通路６５２Ａ，６５２Ｂの内側への移動が必要となる。よって、かかる点においても、中始動入賞装置４３１は、主球通路６５２Ａ，６５２Ｂを流下する遊技球が、従球通路６５３Ａ，６５３Ｂ，６５３Ｃへ進入し難く構成されている。
【０２３４】
特に、入口部６５４Ａ１，６５４Ａ２，６５４Ｂ１，６５４Ｂ２の上流に形成される突起部６３４は、主球通路６５２Ａの奥側、すなわち、入口部６５４Ａ１，６５４Ａ２，６５４Ｂ１，６５４Ｂ２と主球通路６５２Ａ，６５２Ｂとを左または右側から見たときにおける、主球通路６５２Ａ，６５２Ｂに対する入口部６５４Ａ１，６５４Ａ２，６５４Ｂ１，６５４Ｂ２のオフセット方向と同じである。よって、突起部６３４との衝突によって前方（前記オフセット方向とは反対の方向）に弾かれた遊技球は、主球通路６５２Ａ，６５２Ｂにおける入口部６５４Ａ１，６５４Ａ２，６５４Ｂ１，６５４Ｂ２が形成されていない側に案内される。よって、かかる点においても、主球通路６５２Ａ，６５２Ｂを流下する遊技球が、入口部６５４Ａ１，６５４Ａ２，６５４Ｂ１，６５４Ｂ２から従球通路６５３Ａ，６５３Ｂ，６５３Ｃへと進入する可能性を好適に低減できる。
【０２３５】
なお、遊技球が主球通路６５２Ａ，６５２Ｂの奥側を流下し、それにより、遊技球が誘導部６１２の傾斜面６１２Ａにおける傾斜角度が水平に近い部分に落下した場合、当該遊技球が上方に跳ね上がって、入口部６５４Ａ１，６５４Ａ２，６５４Ｂ１，６５４Ｂ２を超えて従球通路６５３Ａ，６５３Ｂ，６５３Ｃへと進入する可能性が高まる。しかしながら、突起部６３４が、主球通路６５２Ａ，６５２Ｂにおける、入口部６５４Ａ１がオフセットされる側（すなわち、奥側）に形成されたことで、遊技球が傾斜面６１２Ａの傾斜角度が水平に近い部分に落下する可能性が抑制される。よって、かかる点においても、主球通路６５２Ａ，６５２Ｂを流下する遊技球が、入口部６５４Ａ１，６５４Ａ２，６５４Ｂ１，６５４Ｂ２から従球通路６５３Ａ，６５３Ｂ，６５３Ｃへと進入する可能性が低減されている。
【０２３６】
また、入口部６５４Ａ１または入口部６５４Ａ２と誘導部６１２との間、および、入口部６５４Ｂ１または入口部６５４Ｂ２と誘導部６１２との間には、遊技球が入口部６５４Ａ１，６５４Ａ２，６５４Ｂ１，６５４Ｂ２の周縁と誘導部６１２とにより支持された場合に、当該遊技球の一部が落ち込む凹部６６２が形成される。上述したように、誘導部６１２のみで支持されて流下方向変化部を流下する遊技球が、入口部６５４Ａ１，６５４Ａ２，６５４Ｂ１，６５４Ｂ２を経て従球通路６５３Ａ，６５３Ｂ，６５３Ｃに進入するためには、当該遊技球は、凹部６６２の底に一旦近づいた後、当該底から離れる動きをする必要があるので、かかる点においても、中始動入賞装置４３１は、主球通路６５２Ａ，６５２Ｂを流下する遊技球が、従球通路６５３Ａ，６５３Ｂ，６５３Ｃへ進入し難く構成されている。
【０２３７】
本実施形態の中始動入賞装置４３１は、上述のように構成されることで、入口６１１から進入した遊技球の一部を、いずれの中始動入賞装置４３１Ａ，４３１Ｂに進入させることなく、非常に低確率で中始動入賞装置４３１から排出する機能を有する。
【０２３８】
また、本実施形態のパチンコ機１００においては、主球通路６５２Ａ，６５２Ｂから分岐する従球通路６５３Ａ，６５３Ｂ，６５３Ｃを設けたことで、主球通路６５２Ａ，６５２Ｂを流下する遊技球の全てが入賞とならず、中始動入賞装置４３１に遊技球を進入させる遊技に意外性を付与することができ、それにより、当該遊技が単調化することを抑制できる。また、従球通路６５３Ａ，６５３Ｂ，６５３Ｃが設けられたことで、これらの従球通路６５３Ａ，６５３Ｂ，６５３Ｃが逃げ道となって、主球通路６５２Ａ，６５２Ｂにおける球詰まりの発生を抑制できる。
【０２３９】
しかしながら、主球通路６５２Ａ，６５２Ｂに進入した遊技球の多くが、従球通路６５３Ａ，６５３Ｂ，６５３Ｃに進入した場合、左右の中始動入賞装置４３１Ａ，４３１Ｂへの進入確率（すなわち、入賞の発生確率）が低くなるため、中始動入賞装置４３１に進入したことで入賞を期待した遊技者を落胆させ、それによって、遊技の興趣が低下する虞がある。
【０２４０】
これに対し、本実施形態の中始動入賞装置４３１によれば、上述したように、従球通路６５３Ａ，６５３Ｂ，６５３Ｃへの進入確率が非常に低確率に構成されているので、入口６１１から進入した遊技球の殆どが、左右の中始動入賞口４３１Ａａ，４３１Ｂａ（すなわち、左右の中始動入賞装置４３１Ａ，４３１Ｂの入口部分）に進入して、第１特別図柄また第２特別図柄に係る始動入賞が発生する。よって、中始動入賞装置４３１に遊技球を進入させる遊技の単調化を抑制しつつ、左右の中始動入賞装置４３１Ａ，４３１Ｂへの進入確率（すなわち、入賞の発生確率）を好適に担保することができる。
【０２４１】
＜第２実施形態＞
次に、図１８を参照して、第２実施形態について説明する。第２実施形態のパチンコ機１００では、上述した実施形態（以下、「第１実施形態」と称す）の中始動入賞装置４３１に代えて、中始動入賞装置７３１が配設されている。なお、以下の説明において、第１実施形態における構成と同一の構成については同一の符号を付して説明を省略する。
【０２４２】
第１実施形態においては、中始動入賞装置４３１は、従球通路６５３Ａ，６５３Ｂの入口部６５４Ａ１，６５４Ｂ１が、その周縁が遊技盤４００の前面にほぼ接する位置に配置される構成とした（図１６，図１７参照）。つまり、第１実施形態の中始動入賞装置４３１では、従球通路６５３Ａ，６５３Ｂの入口部６５４Ａ１，６５４Ｂ１が、当該入口部６５４Ａ１，６５４Ｂ１と主球通路６５２Ａ，６５２Ｂとを左または右側から見たときに、遊技盤４００の前面に対してオフセットのない状態で配置されていた。
【０２４３】
これに対し、第２実施形態の中始動入賞装置７３１において、従球通路７５３Ａ，７５３Ｂの入口部７５４Ａ，７５４Ｂは、当該入口部７５４Ａ，７５４Ｂを左または右側から見たときに遊技盤４００の前面に対して奥側にオフセットされて配置されていることを特徴とする。
【０２４４】
図１８は、第２実施形態の中始動入賞装置７３１の、入口部７５４Ａ，７５４Ｂを通る平面で切断した断面を上から見た断面図である。中始動入賞装置７３１は、１の主球通路７５２を備えている。つまり、中始動入賞装置７３１は、中始動入賞装置４３１とは異なり、第１特別図柄または第２特別図柄のうち、予め決められた１の特別図柄に係る単独の始動装置である。
【０２４５】
主球通路７５２は、第１実施形態における左右の主球通路６５２Ａ，６５２Ｂと同様に、上から下向きに遊技球Ｐを誘導した後、当該遊技球を奥向き（矢印Ｑ１３方向）へ誘導する球通路である。主球通路７５２を奥向きに流下する遊技球が、従球通路７５３Ａ，７５３Ｂに進入することなく、中始動入賞スイッチ７４１によって検出されると、第１特別図柄または第２特別図柄のうち、予め決められている特別図柄に係る始動入賞が発生する。なお、中始動入賞スイッチ７４１は、中始動入賞スイッチ４４１Ａ，４４１Ｂと同様の構成および機能を有するスイッチである。
【０２４６】
よって、中始動入賞装置７３１では、主球通路７５２を流下する遊技球が左右の従球通路７５３Ａ，７５３Ｂに進入することなく必ず中始動入賞スイッチ７４１により検出されるようになる境界位置Ｚより下流側が、「通過したことで所定の特定を付与する有利領域」として機能する。
【０２４７】
主球通路７５２の流下方向変化部（遊技球の誘導方向が下向きから奥向きへと変化する部分）には、左右の主球通路６５２Ａ，６５２Ｂと同様、誘導部６１２が設けられており、当該流下方向変化部において、下向きに流下する遊技球がスムースに奥向きに流れるように構成されている。
【０２４８】
主球通路７５２は、左右の主球通路６５２Ａ，６５２Ｂと同様、流下方向変化部にて、流下方向変化部における遊技球の流下方向（上下方向および前後方向）に対して交差する向き（すなわち、遊技機正面視の左右方向）に分岐する。左側従球通路７５３Ａは、主球通路７５２から左側に分岐した球通路であり、右側従球通路７５３Ｂは、主球通路７５２から右側に分岐した球通路である。
【０２４９】
従球通路７５３Ａ，７５３Ｂの入口部７５４Ａ，７５４Ｂは、当該入口部７５４Ａ，７５４Ｂを左または右側から見たときに、遊技盤４００の前面に対して奥側にオフセットされて配置されている。よって、主球通路７５２から左側の入口部７５４Ａを経て左側従球通路７５３Ａに進入した遊技球Ｐは、矢印Ｑ１５に示すような、奥側から手前側に移動する経路を含む移動経路を通り、左側従球通路７５３Ａの出口から、遊技盤４００上の、中始動入賞装置７３１に対して左側の遊技領域に排出される。
【０２５０】
また、主球通路７５２から右側の入口部７５４Ｂを経て右側従球通路７５３Ｂに進入した遊技球Ｐについても、矢印Ｑ１６に示すような、奥側から手前側に移動する経路を含む移動経路を通り、右側従球通路７５３Ｂの出口から、遊技盤４００上の、中始動入賞装置７３１に対して右側の遊技領域に排出される。
【０２５１】
次に、以上説明した中始動入賞装置７３１を備えるパチンコ機１００の作用及び効果を説明する。
【０２５２】
本実施形態のパチンコ機１００においては、中始動入賞装置７３１において、従球通路７５３Ａ，７５３Ｂの入口部７５４Ａ，７５４Ｂが、当該入口部７５４Ａ，７５４Ｂを左または右側から見たときに、遊技盤４００の前面に対して奥側にオフセットされて配置されている。そのため、主球通路７５２から分岐して従球通路７５３Ａ，７５３Ｂを通過する遊技球は、少なくとも、奥側から手前側に移動する必要がある。
【０２５３】
ここで、遊技盤４００を流下する遊技球が、従球通路７５３Ａ，７５３Ｂの出口から当該従球通路７５３Ａ，７５３Ｂに進入することを考えた場合、当該従球通路７５３Ａ，７５３Ｂを逆流する（すなわち、矢印Ｑ１５，Ｑ１６と逆方向に移動する）遊技球が、主球通路７５２に合流するためには、遊技球が手前側から奥側に移動する必要がある。よって、遊技盤４００を流下する遊技球が、従球通路７５３Ａ，７５３Ｂを経由して、主球通路７５２に進入することは難しい。これにより、遊技球が中始動入賞装置７３１の入口を経由せずに（すなわち、意図しない経路を通って）、入賞が発生してしまうことを好適に抑制できる。
【０２５４】
なお、上述した中始動入賞装置７３１は、１の主球通路７５２を備える構成としたが、第１実施形態の中始動入賞装置４３１と同様、複数の主球通路７５２を備え、入口から進入した遊技球をこれら複数の主球通路７５２のいずれかに振り分ける構成としてもよい。
【０２５５】
また、中始動入賞装置７３１の入口（図示せず）は、１つに限らず、複数設ける構成であってもよい。中始動入賞装置７３１の入口を複数設ける場合、これら複数の入口から進入した遊技球は、各入口に連設される各通路を通って、主球通路７５２に合流する。
【０２５６】
このとき、入口位置を移動させたり、蓋の開閉などによって、１の入口または複数の入口への進入可否が変化するように構成してもよい。かかる場合、タイミングによって入口に進入できたりできなかったりすることになるので、入口に進入できなかったことで、中始動入賞装置７３１の周辺を流下する遊技球が増加する。よって、このような場合に、第２実施形態の中始動入賞装置７３１の構成、すなわち、従球通路７５３Ａ，７５３Ｂの入口部７５４Ａ，７５４Ｂが、当該入口部７５４Ａ，７５４Ｂを左または右側から見たときに遊技盤４００の前面に対して奥側にオフセットされた位置に設けられている構成は特に好ましい。
【０２５７】
また、第２実施形態の中始動入賞装置７３１のように、従球通路７５３Ａ，７５３Ｂの入口部７５４Ａ，７５４Ｂが、当該入口部７５４Ａ，７５４Ｂを左または右側から見たときに遊技盤４００の前面に対して奥側にオフセットされた位置に設けられている構成においては、従球通路が主球通路から分岐する位置（すなわち、従球通路の入口部が形成される位置）は、流下方向変化部のような、遊技球の誘導方向が下向きから奥向きへと変化する通路の部分に限らず、そのように流下方向が変化する部分より下流側の、単に奥側を向く通路の部分であってもよい。
【０２５８】
＜第３実施形態＞
次に、図１９から図２１を参照して、第３実施形態について説明する。第１実施形態に係る中始動入賞装置４３１においては、遊技球が入口６１１から進入する毎に、振分部６２０の振り分け先が左側主球通路６５２Ａと右側主球通路６５２Ｂとで交互に切り替わる構成であった。つまり、第１実施形態に係る中始動入賞装置４３１によれば、振分部６２０によって左または右側の主球通路６５２Ａ，６５２Ｂに振り分けられた遊技球によって第１または第２の特別図柄に係る始動入賞が発生したか否かにかかわらず、振分部６２０の振り分け先が左側主球通路６５２Ａと右側主球通路６５２Ｂとで交互に切り替わる。
【０２５９】
これに対し、第３実施形態に係る中始動入賞装置４３１においては、入口６１１から進入した遊技球が振分部６２０によって左側主球通路６５２Ａに振り分けられたものの、左側従球通路６５３Ａに進入したことで、第１特別図柄に係る始動入賞の発生機会が失われた場合には、振分部６２０による次回の振り分け先が、今回の振り分け先と同じ左側主球通路６５２Ａとなるよう変更される。なお、以下の説明において、第１および第２実施形態における構成と同一の構成については同一の符号を付して説明を省略する。
【０２６０】
図１９は、第３実施形態の中始動入賞装置４３１における、従球通路６５３Ａ，６５３Ｂ，６５３Ｃを通る平面で切断した概略的な正面断面図である。より詳細には、図１９（ａ）には、振分先変更レバー８１０が非作動状態である場合を図示し、図１９（ｂ）には振分先変更レバー８１０が作動した状態を図示する。
【０２６１】
なお、図１９では、振分先変更レバー８１０と、当該振分先変更レバー８１０の作動に基づき変化する部位（すなわち、後述するリンク機構８２０、および振分部６２０）とを強調して図示するとともに、中始動入賞装置４３１における球通路（すなわち、主球通路６５２Ａ，６５２Ｂおよび従球通路６５３Ａ〜６５３Ｃ）に関連する部分を細線で図示する。また、図１９では、断面のハッチングは省略している。
【０２６２】
振分先変更レバー８１０は、板状のレバー部８１１と、レバー部８１１における後方上端側から後方側に突出する軸部８１２とを備えている。振分先変更レバー８１０は、台板６３０に貫通形成された挿通口（図示せず）に軸部８１２を挿通することで、中始動入賞装置４３１に取り付けられる。図１９（ａ）に示すように、振分先変更レバー８１０は、非作動状態において、レバー部８１１が軸部８１２を上側として垂下し、それにより、左側従球通路６５３Ａにおける出口側を覆う。
【０２６３】
図１９（ａ）に示すように、入口６１１から中始動入賞装置４３１に進入した遊技球Ｐが、振分部６２０における左側の球受け部６２２Ｆに進入した場合、当該遊技球Ｐは、振分部６２０の左回り方向（図１９における反時計回り）への回動によって左側主球通路６５２Ａに振り分けられる。遊技球Ｐが左側主球通路６５２Ａに振り分けられたことで、振分部６２０は、右側の球受け部６２２Ｇが入口６１１の側を向けられることになる。
【０２６４】
左側主球通路６５２Ａに振り分けられた遊技球Ｐは、左側主球通路６５２Ａを上から下向き（矢印Ｑ１方向）に誘導される。このとき、左側主球通路６５２Ａを上から下向きに誘導される遊技球Ｐが、従球通路６５３Ａ，６５３Ｃに進入することなく、流下方向変化部を経て奥向きに誘導された場合、左側中始動入賞スイッチ４４１Ａにより検出され、それにより、第１特別図柄に係る始動入賞が発生する。
【０２６５】
一方、左側主球通路６５２Ａを上から下向きに誘導される遊技球Ｐが、左側従球通路６５３Ａに進入した場合（すなわち、矢印Ｑ５方向に進んだ場合）、当該遊技球Ｐは、左側従球通路６５３Ａの出口にてレバー部８１１に当接する。レバー部８１１は、遊技球Ｐの進行に伴って左方向に押され、それにより、図１９（ｂ）に示すように、軸部８１２を回動軸として、軸部８１２とともに右回り方向（矢印Ｒ１方向）に回動する。これにより、振分先変更レバー８１０が作動する。
【０２６６】
詳細は後述するが、振分先変更レバー８１０の軸部８１２と、振分部６２０の軸６２１との間には、後述するリンク機構８２０が設けられている。なお、本実施形態において、振分部６２０の軸６２１は、本体６２２に固着され、本体６２２の回転とともに回転するよう構成されているものとする。振分先変更レバー８１０が作動すること（すなわち、レバー部８１１が軸部８１２ごと回動すること）で、リンク機構８２０が作動し、それにより、図１９（ｂ）に示すように、左側の球受け部６２２Ｆが入口６１１の側を向くよう、振分部６２０が回動される。
【０２６７】
よって、振分部６２０が遊技球Ｐを左側主球通路６５２Ａに振り分けたことで、右側の球受け部６２２Ｇが入口６１１の側を向けられていたところ、当該遊技球Ｐが左側従球通路６５３Ａに進入した場合には、リンク機構８２０が振分先変更レバー８１０の作動に基づいて作動し、それにより、左側の球受け部６２２Ｆが、再度、入口６１１の側に向けられる。
【０２６８】
つまり、振分部６２０による今回の振り分けにおいて左側主球通路６５２Ａに振り分けられた遊技球Ｐが、流下方向変化部を経て奥向きに進むことなく、左側従球通路６５３Ａに進入した場合、振分部６２０は、次回に入口６１１から進入した遊技球を、右側主球通路６５２Ｂでなく、再度、左側従球通路６５３Ａに振り分ける。
【０２６９】
振分先変更レバー８１０はまた、レバー部８１１における軸部８１２と異なる端側に埋設された錘８１３を備えている。これにより、遊技球Ｐが左側従球通路６５３Ａから排出されてレバー部８１１から離れた場合、作動状態にある振分先変更レバー８１０は、錘８１３によって生じる付勢力によって非作動状態の位置に復帰する。
【０２７０】
図２０（ａ）は、リンク機構８２０の正面図であり、図２０（ｂ）は、図２０（ａ）における矢印Ｃ方向に見たリンク機構８２０の側面図である。なお、図２０（ａ）では、リンク機構８２０に対して前方側に位置する、振分先変更レバー８１０のレバー部８１１および振分部６２０の本体６２２を、二点鎖線で図示している。
【０２７１】
図２０（ａ）に示すように、リンク機構８２０は、振分先変更レバー８１０側に配置される第１リンク部８２１と、振分部６２０側に配置される第２リンク部８２２と、第１リンク部８２１と第２リンク部８２２との間に配置される第３リンク部８２３とから構成される。
【０２７２】
第１リンク部８２１は、一端側が振分先変更レバー８１０の軸部８１２に固定される細長形状の部材である。第１リンク部８２１の一端側には、軸部８１２を差込可能な孔が形成され、当該孔に軸部８１２を差し込むことで、第１リンク部８２１は軸部８１２に固定される。
【０２７３】
第２リンク部８２２は、中心側が振分部６２０の軸６２１に固定される扇形状の部材である。扇形状の第２リンク部８２２における中心側には、軸６２１を差込可能な孔が形成され、当該孔に軸６２１を差し込むことで、第２リンク部８２２は軸６２１に固定される。
【０２７４】
第３リンク部８２３は、棒状の部材であり、その一端側が、第１リンク部８２１における軸部８１２とは異なる端側の裏面側（すなわち、軸部８１２が固定される面とは反対面の側）に配置され、他端側が、扇状の第２リンク部８２２における円弧側の裏面側（すなわち、軸６２１が固定される面とは反対面の側）に配置される。
【０２７５】
第１リンク部８２１における軸部８１２が固定される側とは異なる端側には、当該第１リンク部８２１がピン８２３Ａの軸部に対して回動可能となるよう、ピン８２３Ａを挿通可能な孔が貫通形成されている。当該孔に対し、第１リンク部８２１の前面側から挿通されたピン８２３Ａを、第３リンク部８２３の前面側に固定することで、第１リンク部８２１と第３リンク部８２３とが相対的に回動可能に接続される。
【０２７６】
一方、第２リンク部８２２における円弧側には、当該第２リンク部８２２に対して第３リンク部８２３をスライド可能にする長孔８２２Ａが形成されている。長孔８２２Ａの外周側（第２リンク部８２２における円弧に近い側）は、軸６２１の軸心からの距離が一定の円弧形状とされている。かかる長孔８２２Ａに対し、第２リンク部８２２の前面側から挿通されたピン８２３Ｂを、第３リンク部８２３の前面側に固定することで、第３リンク部８２３が、第２リンク部８２２に対してスライド可能に接続される。
【０２７７】
図２１は、リンク機構８２０の動作を説明する図である。なお、図２１において、中始動入賞装置４３１における振分先変更レバー８１０のレバー部８１１付近の形状を図示するとともに、レバー部８１１および振分部６２０の本体６２２を、二点鎖線で図示している。
【０２７８】
図２１（ａ）に示すように、振分部６２０における左側の球受け部６２２Ｆが上方（入口６１１の側）を向き、かつ、振分先変更レバー８１０が非作動状態である場合、リンク機構８２０は、第３リンク部８２３のピン８２３Ｂが、長孔８２２Ａにおける第１リンク部８２１から離れる方の端側に配置された状態で静止を保つ。
【０２７９】
図２１（ｂ）に示すように、遊技球Ｐが振分部６２０における左側の球受け部６２２Ｆに進入したことで、遊技球Ｐを左側主球通路６５２Ａに振り分けるべく、振分部６２０（本体６２２）が軸６２１を回動軸として左回り方向（矢印Ｌ１方向）に回動した場合、第２リンク部８２２は、振分部６２０の回動に連動して、軸６２１を回動軸として左回り方向に回動し、それにより、長孔８２２Ａがピン８２３Ｂに対して右方向にスライドする。
【０２８０】
これにより、リンク機構８２０は、ピン８２３Ｂが、長孔８２２Ａにおける第１リンク部８２１に近い方の端側に配置された状態となる。なお、長孔８２２Ａにおける外周側の形状は、軸６２１の軸心からの距離が一定の円弧形状とされている。そのため、長孔８２２Ａがピン８２３Ｂに対してスライドした場合においても、軸６２１の軸心からピン８２３Ｂまでの距離に変化は生じない。よって、かかる場合に、第３リンク部８２３および第１リンク部８２１が動作することはない。従って、遊技球Ｐを振り分けるために振分部６２０が回動した場合であっても、リンク機構８２０によって振分先変更レバー８１０が動作することはない。
【０２８１】
図２１（ｃ）に示すように、左側主球通路６５２Ａに振り分けられた遊技球Ｐが左側従球通路６５３Ａに進入した場合、当該遊技球Ｐは、振分先変更レバー８１０のレバー部８１１を左方向に押し退け、それにより、レバー部８１１は、軸部８１２を回動軸として右回り方向（矢印Ｒ１方向）に回動する。第１リンク部８２１は、レバー部８１１の回動に連動して、軸部８１２を回動軸として右回り方向に回動する。
【０２８２】
第１リンク部８２１が右回り方向に回動したことで、リンク機構８２０が作動し、振分部６２０（本体６２２）を、軸６２１を回動軸として右回り方向（矢印Ｒ２方向）に回動させる。第１リンク部８２１が、軸部８１２を回動軸として右回り方向（矢印Ｒ１方向）に回動したことで、第３リンク部８２３が第１リンク部８２１の方へ引かれる。
【０２８３】
これにより、第３リンク部８２３のピン８２３Ｂが、長孔８２２Ａにおける第１リンク部８２１に近い方の端を第１リンク部８２１の方へ引くので、第２リンク部８２２が、軸６２１を回動軸として右回り方向（矢印Ｒ２方向）に回動する。第２リンク部８２２が軸６２１を回動軸として右回り方向に回動したことで、振分部６２０（本体６２２）は、第２リンク部８２２の回動に連動して、軸６２１を回動軸として右回り方向（矢印Ｒ２方向）に回動する。このように、振分先変更レバー８１０の作動に基づいてリンク機構８２０が作動した結果、振分部６２０は、図２１（ｃ）に示すように、左側の球受け部６２２Ｆが上方（入口６１１の側）を向いた状態とされる。
【０２８４】
遊技球Ｐが左側従球通路６５３Ａから排出されると、遊技球Ｐがレバー部８１１に接触しなくなるので、レバー部８１１は、錘８１３によって生じる付勢力によって、軸部８１２を回動軸として左回り方向（矢印Ｌ２方向）に回動する。これにより、振分先変更レバー８１０は、非作動状態の位置に復帰する。
【０２８５】
レバー部８１１が軸部８１２を回動軸として左回り方向に回動したことで、第１リンク部８２１も軸部８１２を回動軸として左回り方向に回動する。これにより、第３リンク部８２３が、第２リンク部８２２の側に押されるが、第３リンク部８２３のピン８２３Ｂは、第２リンク部８２２の長孔８２２Ａに対して右方向にスライドするので、第２リンク部８２２は動作しない。ピン８２３Ｂが、第２リンク部８２２の長孔８２２Ａに対して右方向にスライドした結果、リンク機構８２０は、図２１（ａ）に示す状態に戻る。
【０２８６】
なお、左側主球通路６５２Ａに振り分けられた遊技球Ｐが、流下方向変化部を経て奥向きに進むなどで、左側従球通路６５３Ａに進入しなかった場合、振分先変更レバー８１０が作動しないので、振分部６２０は、図２１（ｂ）に示すように、右側の球受け部６２２Ｇが上方（入口６１１の側）を向いた状態とされる。
【０２８７】
この状態で、入口６１１から次の遊技球が進入し、それにより、振分部６２０（本体６２２）が軸６２１を回動軸として右回り方向（図２１（ｂ）における矢印Ｌ１方向と反対の方向）に回動した場合、第２リンク部８２２が、振分部６２０の回動に連動して、軸６２１を回動軸として右回り方向に回動する。しかし、かかる場合、長孔８２２Ａがピン８２３Ｂに対して左方向にスライドするため、第３リンク部８２３および第１リンク部８２１は動作しない。これにより、リンク機構８２０は、図２１（ａ）に示す状態に戻る。
【０２８８】
つまり、第２リンク部８２２に長孔８２２Ａを形成したことで、振分先変更レバー８１０の作動によってリンク機構８２０を作動できる一方で、振分部６２０の動作（回動）でリンク機構８２０が作動しないようにすることができる。
【０２８９】
次に、以上説明したリンク機構８２０を備えるパチンコ機１００の作用及び効果を説明する。
【０２９０】
本実施形態のパチンコ機１００においては、振分部６２０によって左側主球通路６５２Ａに振り分けられた遊技球が左側従球通路６５３Ａに進入した場合、その遊技球が左側従球通路６５３Ａの出口に設けられた振分先変更レバー８１０を作動させ、それにより、振分部６２０に作用するリンク機構８２０が作動して、振分部６２０による次回の振り分け先が今回の振り分け先と同じ左側主球通路６５２Ａに変更される。
【０２９１】
本実施形態の中始動入賞装置４３１においては、振分部６２０は、遊技球の振り分けを行う毎に左右交互に回動し、それにより、遊技球の振り分け先が、左側主球通路６５２Ａと右側主球通路６５２Ｂとで交互に切り替えられる。よって、振分部６２０により振り分けられた遊技球が全て、左側中始動入賞スイッチ４４１Ａまたは右側中始動入賞スイッチ４４１Ｂにより検出された場合には、第１特別図柄の始動入賞と第２特別図柄の始動入賞とが交互に発生することになる。
【０２９２】
しかしながら、本実施形態の中始動入賞装置４３１においては、主球通路６５２Ａ，６５２Ｂには、それらの主球通路６５２Ａ，６５２Ｂから分岐する従球通路６５３Ａ〜６５３Ｃが、中始動入賞スイッチ４４１Ａ，４４１Ｂより上流側に設けられているので、振分部６２０により振り分けられた遊技球が全て、左側中始動入賞スイッチ４４１Ａまたは右側中始動入賞スイッチ４４１Ｂにより検出されるわけではない。そのため、振分部６２０によって振り分けられた遊技球により発生する始動入賞が、第１特別図柄または第２特別図柄のうち、一方の特別図柄の始動入賞に偏る虞がある。
【０２９３】
特に、本実施形態のパチンコ機１００においては、各特別図柄（第１特別図柄、第２特別図柄）について、各特別図柄に係る単位遊技の権利を、特別図柄毎にそれぞれ、所定の最大回数を上限として保留可能に構成されている。そのため、特別図柄に係る始動入賞が、第１特別図柄または第２特別図柄のうち、一方の特別図柄のものに偏って発生した場合には、当該一方の特別図柄に係る単位遊技の権利が最大回数に達し易くなる。これにより、当該一方の特別図柄に係る始動入賞が発生したとしても、当該一方の特別図柄に係る単位遊技を保留できず無駄にした場合、遊技者はそれによって遊技の興趣を失う虞がある。
【０２９４】
また、第１特別図柄の始動入賞と第２特別図柄の始動入賞とで、遊技者に付与される有利度（例えば、特別図柄抽選における大当り確率や賞球数など）が異なるよう設計されている場合、偏って発生した始動入賞が比較的有利度の低いものであれば、遊技者は遊技に不満を覚える可能性がある。また、発生した始動入賞が特定の特別図柄のものに偏っていることで、遊技者が遊技に単調さを感じる可能性もある。
【０２９５】
これに対し、上述したように、本実施形態のパチンコ機１００においては、入口６１１から進入した遊技球が振分部６２０によって左側主球通路６５２Ａに振り分けられたものの、左側従球通路６５３Ａに進入したことで、第１特別図柄に係る始動入賞の発生機会が失われた場合には、振分部６２０による次回の振り分け先が、今回の振り分け先と同じ左側主球通路６５２Ａとなるよう変更されるので、第１特別図柄に係る始動入賞の発生機会を再度得ることができる。これにより、振分部６２０により振り分けられた遊技球に基づき発生する特別図柄の始動入賞が、一方の特別図柄のものに偏ることを抑制することができる。
【０２９６】
また、遊技球が左側従球通路６５３Ａに進入したことに基づく振分部６２０による次回の振り分け先の変更は、遊技球の当接により作動する振分先変更レバー８１０と、振分先変更レバー８１０の作動に基づき作動するリンク機構８２０とにより機械的に行うので、主制御基板９２０などにかかる制御負荷を抑制しつつ、振分部６２０により振り分けられた遊技球に基づき発生する特別図柄の始動入賞が、一方の特別図柄のものに偏ることを抑制することができる。
【０２９７】
＜第４実施形態＞
次に、図２２および図２３を参照して、第４実施形態について説明する。第３実施形態に係るパチンコ機１００においては、入口６１１から中始動入賞装置４３１に進入した遊技球が、振分部６２０によって左側主球通路６５２Ａに振り分けられたものの、左側従球通路６５３Ａに進入したことで、第１特別図柄に係る始動入賞の発生機会が失われた場合には、振分部６２０による次回の振り分け先が、今回の振り分け先と同じ左側主球通路６５２Ａとなるよう変更される構成であった。
【０２９８】
これに対し、第４実施形態に係るパチンコ機１００においては、遊技球が右始動入賞装置４３２に進入したことに基づいて、第２特別図柄に係る始動入賞が発生した場合に、振分部６２０による次回の振り分け先が、今回の振り分け先と同じ左側主球通路６５２Ａとなるよう変更される。なお、以下の説明において、第１から第３実施形態における構成と同一の構成については同一の符号を付して説明を省略する。
【０２９９】
図２２は、遊技領域の概略的な正面図である。図２２では、遊技領域に設けられる主な構造物について、その概略的な外形を図示している。上述したように、遊技領域は、概ね、外レール４０２及び内レール４０３とで外周部分が区画されている。遊技領域の中央部には中央構造体４２０が設けられているため、遊技者は、発射ハンドル２５２の回転操作量を変えることで、左打ち遊技手法と右打ち遊技手法とを選択的に行うことができる。
【０３００】
つまり、遊技者は、発射ハンドル２５２を、遊技球が中央構造体４２０の右側を主として流下しないような回転操作量で操作することで、左打ち遊技手法を行うことができる。一方、遊技者は、発射ハンドル２５２を、遊技球が中央構造体４２０の右側を主に流下するような回転操作量、すなわち、左打ち遊技手法で遊技を行う場合より強めの回転操作量で操作すること、右打ち遊技手法を行うことができる。
【０３０１】
遊技領域は、左打ち遊技手法でのみ遊技球が流下する左側遊技領域と、右打ち遊技手法でのみ遊技球が流下する右側遊技領域と、左打ち遊技手法でも右打ち遊技手法でも流下可能な下側遊技領域とに区分することができる。
【０３０２】
中始動入賞装置４３１および一般入賞装置４３９Ａは、左側遊技領域に設けられている。つまり、遊技者は、左打ち遊技手法を行うことで、中始動入賞装置４３１および一般入賞装置４３９Ａに遊技球を入球させることができる。
【０３０３】
一方、役連作動装置４３５、始動装置４３６、右始動入賞装置４３２、下大入賞装置４３３、上大入賞装置４３４、および一般入賞装置４３９Ｂは、右側遊技領域に設けられている。つまり、遊技者は、右打ち遊技手法を行うことで、役連作動装置４３５、始動装置４３６、右始動入賞装置４３２、下大入賞装置４３３、上大入賞装置４３４、および一般入賞装置４３９Ｂに遊技球を入球させることができる。
【０３０４】
本実施形態において、右始動入賞装置４３２に入球した遊技球を回収排出通路（図示せず）に案内する球通路８３０には、右始動入賞スイッチ４４２の下流側に、当該球通路８３０を流下する遊技球が当接して、当該遊技球の自重で下方に作動する振分先変更レバー８５０が設けられている。振分先変更レバー８５０は、リンク機構８４０を介して振分部６２０に接続されている。
【０３０５】
詳細は後述するが、球通路８３０を流下する遊技球によって振分先変更レバー８５０が作動した場合、リンク機構８４０が作動して、入口６１１に進入した遊技球が左側主球通路６５２Ａに振り分けられるよう、すなわち、左側の球受け部６２２Ｆが入口６１１の側を向くよう、振分部６２０が回動される。
【０３０６】
図２３は、リンク機構８４０の構成および動作を説明する図である。なお、図２３において始動入賞装置４３２に入球した遊技球が通過する球通路８３０の形状を図示するとともに、リンク機構８４０より前方に位置するレバー部８５１および本体６２２を、二点鎖線で図示している。
【０３０７】
振分先変更レバー８５０は、板状のレバー部８５１と、レバー部８５１における後方左端側から後方側に突出する軸部８５２とを備えている。振分先変更レバー８５０は、非作動状態において、図２３（ａ）に示すように、レバー部８５１の面が、球通路８３０における左上から右下方向へ流れる通路部分の下面の一部となるよう、球通路８３０内に配置される。
【０３０８】
右始動入賞装置４３２に遊技球Ｐが入球した場合、当該遊技球Ｐは、球通路８３０を流下し、その流下途中においてレバー部８５１の上を通過する。レバー部８５１の上を遊技球Ｐが通過した場合、レバー部８５１は、遊技球Ｐの重さによって下方向（重力方向）に押され、それにより、図２３（ｂ）に示すように、軸部８５２を回動軸として、軸部８５２とともに右回り方向（矢印Ｒ３方向）に回動する。これにより、振分先変更レバー８５０が作動する。
【０３０９】
なお、振分先変更レバー８５０は、遊技球Ｐによって右回り方向に回動したレバー部８５１を非作動状態の位置に復帰させるための付勢力を発生させるばね機構（図示せず）を備えている。これにより、遊技球Ｐがレバー部８５１の上を通り過ぎた場合、作動状態にある振分先変更レバー８５０は、ばね機構によって生じる付勢力によって非作動状態の位置（すなわち、図２３（ａ）に示す状態）に復帰する。
【０３１０】
図２３（ａ）に示すように、リンク機構８４０は、振分先変更レバー８５０側に配置される第１リンク部８４１と、振分部６２０側に配置される第２リンク部８４２と、第１リンク部８４１と第２リンク部８４２との間に配置される第３リンク部８４３とから構成される。
【０３１１】
第１リンク部８４１は、一端側が振分先変更レバー８５０の軸部８５２に固定される細長形状の部材である。第１リンク部８４１の一端側には、軸部８５２を差込可能な孔が形成され、当該孔に軸部８５２を差し込むことで、第１リンク部８４１は軸部８５２に固定される。
【０３１２】
第２リンク部８４２は、中心側が振分部６２０の軸６２１に固定される扇形状の部材である。扇形状の第２リンク部８４２における中心側には、軸６２１を差込可能な孔が形成され、当該孔に軸６２１を差し込むことで、第２リンク部８４２は軸６２１に固定される。
【０３１３】
第３リンク部８４３は、棒状の部材であり、その一端側が、第１リンク部８４１における軸部８５２とは異なる端側の裏面側（すなわち、軸部８５２が固定される面とは反対面の側）に配置され、他端側が、扇状の第２リンク部８４２における円弧側の裏面側（すなわち、軸６２１が固定される面とは反対面の側）に配置される。
【０３１４】
第１リンク部８４１における軸部８５２が固定される側とは異なる端側には、当該第１リンク部８４１がピン８４３Ａの軸部に対して回動可能となるよう、ピン８４３Ａを挿通可能な孔が貫通形成されている。当該孔に対し、第１リンク部８４１の前面側から挿通されたピン８４３Ａを、第３リンク部８４３の前面側に固定することで、第１リンク部８４１と第３リンク部８４３とが相対的に回動可能に接続される。
【０３１５】
一方、第２リンク部８４２における円弧側には、当該第２リンク部８４２に対して第３リンク部８４３をスライド可能にする長孔８４２Ａが形成されている。長孔８４２Ａの外周側（第２リンク部８４２における円弧に近い側）は、軸６２１の軸心からの距離が一定の円弧形状とされている。かかる長孔８４２Ａに対し、第２リンク部８４２の前面側から挿通されたピン８４３Ｂを、第３リンク部８４３の前面側に固定することで、第３リンク部８４３が、第２リンク部８４２に対してスライド可能に接続される。
【０３１６】
図２３（ａ）に示すように、振分部６２０における右側の球受け部６２２Ｇが上方（入口６１１の側）を向き、かつ、振分先変更レバー８５０が非作動状態である場合、リンク機構８４０は、第３リンク部８４３のピン８４３Ｂが、長孔８４２Ａにおける第１リンク部８４１から離れる方の端側に配置された状態で静止を保つ。
【０３１７】
図２３（ｂ）に示すように、右始動入賞装置４３２に入球した遊技球Ｐがレバー部８５１の上を通過した場合、レバー部８５１は、遊技球Ｐの重さによって下方向（重力方向）に押され、それにより、軸部８５２を回動軸として、軸部８５２とともに右回り方向（矢印Ｒ３方向）に回動する。第１リンク部８４１は、レバー部８５１の回動に連動して、軸部８５２を回動軸として右回り方向に回動する。
【０３１８】
第１リンク部８４１が右回り方向に回動したことで、リンク機構８４０が作動し、振分部６２０（本体６２２）を、軸６２１を回動軸として右回り方向（矢印Ｒ４方向）に回動させる。具体的に、第１リンク部８４１が、軸部８５２を回動軸として右回り方向（矢印Ｒ３方向）に回動したことで、第３リンク部８２３が第２リンク部８２２の方へ押される。
【０３１９】
これにより、第３リンク部８４３のピン８４３Ｂが、長孔８４２Ａにおける第１リンク部８４１から離れる方の端を第２リンク部８４２の側へ押すので、第２リンク部８４２が、軸６２１を回動軸として右回り方向（矢印Ｒ４方向）に回動する。第２リンク部８４２が軸６２１を回動軸として右回り方向に回動したことで、振分部６２０（本体６２２）は、第２リンク部８４２の回動に連動して、軸６２１を回動軸として右回り方向（矢印Ｒ４方向）に回動する。このように、振分先変更レバー８５０の作動に基づいてリンク機構８４０が作動した結果、振分部６２０は、図２３（ｃ）に示すように、左側の球受け部６２２Ｆが上方（入口６１１の側）を向いた状態とされる。
【０３２０】
遊技球Ｐがレバー部８５１の上を通り過ぎると、レバー部８５１は、図示されないばね機構によって生じる付勢力によって、軸部８５２を回動軸として左回り方向に回動する。これにより、振分先変更レバー８５０は、非作動状態の位置に復帰する。
【０３２１】
レバー部８５１が軸部８５２を回動軸として左回り方向に回動したことで、第１リンク部８４１も軸部８５２を回動軸として左回り方向に回動する。これにより、第３リンク部８４３が、第１リンク部８４１の側に引っ張られるが、第３リンク部８４３のピン８４３Ｂは、第２リンク部８４２の長孔８４２Ａに対して右方向にスライドするので、第２リンク部８４２は動作しない。つまり、振分先変更レバー８５０が非作動状態の位置に復帰しても、振分部６２０は、左側の球受け部６２２Ｆが上方（入口６１１の側）を向いたまま変化しない。
【０３２２】
左側の球受け部６２２Ｆが上方を向いた状態で、入口６１１から次の遊技球が進入し、それにより、振分部６２０（本体６２２）が軸６２１を回動軸として左回り方向（図２３（ｂ）における矢印Ｒ４方向と反対の方向）に回動した場合、第２リンク部８４２が、振分部６２０の回動に連動して、軸６２１を回動軸として左回り方向に回動する。しかし、かかる場合、長孔８４２Ａがピン８４３Ｂに対して右方向にスライドするため、第３リンク部８４３および第１リンク部８４１は動作しない。
【０３２３】
つまり、第２リンク部８４２に長孔８４２Ａを形成したことで、振分先変更レバー８５０の作動によってリンク機構８４０を作動できる一方で、振分部６２０の動作（回動）でリンク機構８４０が作動しないようにすることができる。
【０３２４】
次に、以上説明したリンク機構８４０を備えるパチンコ機１００の作用及び効果を説明する。
【０３２５】
本実施形態のパチンコ機１００においては、遊技球が第２特別図柄に係る右始動入賞装置４３２に入球した場合、その遊技球が球通路８３０の通路内に設けられた振分先変更レバー８５０を作動させ、それにより、振分部６２０に作用するリンク機構８４０が作動して、振分部６２０による次回の振り分け先が、第１特別図柄の始動入賞を発生可能な主球通路、すなわち、左側主球通路６５２Ａに変更される。
【０３２６】
本実施形態の中始動入賞装置４３１においては、振分部６２０は、遊技球の振り分けを行う毎に左右交互に回動し、それにより、遊技球の振り分け先が、左側主球通路６５２Ａと右側主球通路６５２Ｂとで交互に切り替えられる。よって、振分部６２０により振り分けられた遊技球が全て、左側中始動入賞スイッチ４４１Ａまたは右側中始動入賞スイッチ４４１Ｂにより検出された場合には、第１特別図柄の始動入賞と第２特別図柄の始動入賞とが交互に発生することになる。
【０３２７】
しかしながら、本実施形態のパチンコ機１００においては、中始動入賞装置４３１とは別に、第２特別図柄に係る右始動入賞装置４３２が設けられているので、第２特別図柄の始動入賞に偏って始動入賞が発生する虞がある。
【０３２８】
特に、右始動入賞装置４３２は、上述したように、時短遊技状態や確変遊技状態のような時短状態において、右進入規制機構４５２の進入許容状態の滞在時間が通常遊技状態に比べて長く設定されており、通常遊技状態のときに比べて右始動入賞装置４３２への進入確率が高められている。そのため、遊技者は、時短遊技状態および確変遊技状態において、遊技球を右始動入賞装置４３２に入球させるべく、右打ち遊技手法による遊技を行う。よって、かかる場合に、発生する始動入賞が第２特別図柄の始動入賞に偏りやすい。
【０３２９】
また、本実施形態のパチンコ機１００においては、各特別図柄（第１特別図柄、第２特別図柄）について、各特別図柄に係る単位遊技の権利を、特別図柄毎にそれぞれ、所定の最大回数を上限として保留可能に構成されている。そのため、特別図柄に係る始動入賞が、第２特別図柄の始動入賞に偏って発生した場合には、第２特別図柄に係る単位遊技の権利が最大回数に達し易くなる。これにより、第２特別図柄に係る始動入賞が発生したとしても、第２特別図柄に係る単位遊技を保留できず無駄にした場合、遊技者はそれによって遊技の興趣を失う虞がある。
【０３３０】
また、第１特別図柄の始動入賞と第２特別図柄の始動入賞とで、遊技者に付与される有利度（例えば、特別図柄抽選における大当り確率や賞球数など）が異なるよう設計されている場合、偏って発生した始動入賞が比較的有利度の低いものであれば、遊技者は遊技に不満を覚える可能性がある。また、発生した始動入賞が特定の特別図柄のものに偏っていることで、遊技者が遊技に単調さを感じる可能性もある。
【０３３１】
これに対し、上述したように、本実施形態のパチンコ機１００においては、遊技球が第２特別図柄に係る右始動入賞装置４３２に入球した場合には、振分部６２０による次回の振り分け先が、左側主球通路６５２Ａ、すなわち、第１特別図柄の始動入賞を発生可能な主球通路に変更される。これにより、振分部６２０により振り分けられた遊技球に基づき発生する特別図柄の始動入賞が、一方の特別図柄（すなわち、第２特別図柄）のものに偏ることを抑制することができる。
【０３３２】
また、遊技球が右始動入賞装置４３２に入球したことに基づく振分部６２０による次回の振り分け先の変更は、遊技球の当接により作動する振分先変更レバー８５０と、振分先変更レバー８５０の作動に基づき作動するリンク機構８４０とにより機械的に行うので、主制御基板９２０などにかかる制御負荷を抑制しつつ、振分部６２０により振り分けられた遊技球に基づき発生する特別図柄の始動入賞が、一方の特別図柄のものに偏ることを抑制することができる。
【０３３３】
また、本実施形態のパチンコ機１００においては、右側遊技領域を狙って遊技球を発射することで、遊技球を、第２特別図柄の始動入賞のみを発生可能な始動入賞装置（すなわち、右始動入賞装置４３２）に進入させることができる。よって、主球通路６５２Ａ，６５２Ｂから分岐する従球通路６５３Ａ〜６５３Ｃを設けたことで、必ずしも、第１特別図柄の始動入賞と第２特別図柄の始動入賞とが交互に発生しない始動入賞装置（すなわち、中始動入賞装置４３１）の構成において、右打ち遊技手法を行うことで、第２特別図柄の始動入賞を発生させつつ、振分先変更レバー８５０およびリンク機構８４０の作動によって、振分部６２０による次回の振り分け先を、第２特別図柄の始動入賞でなく第１特別図柄の始動入賞を発生可能な左側主球通路６５２Ａに変更するので、第１特別図柄の始動入賞と第２特別図柄の始動入賞とをバランスよく発生させることが可能となる。この点においても、振分部６２０により振り分けられた遊技球に基づき発生する特別図柄の始動入賞が、一方の特別図柄のものに偏ることを抑制することができる。
【０３３４】
上述した第４実施形態においては、右始動入賞装置４３２に進入した遊技球が、振分先変更レバー８５０を作動させる構成であったが、右始動入賞装置４３２に進入する予定の遊技球によって振分先変更レバー８５０を作動させる構成としてもよい。
【０３３５】
＜第５実施形態＞
次に、図２４を参照して、上述した第４実施形態の変形例に係るパチンコ機１００を第５実施形態として具体的に説明する。つまり、右始動入賞装置８６２（第４実施形態における右始動入賞装置４３２に相当する始動装置）に進入する予定の遊技球によって振分先変更レバー８５０を作動させる構成を備えたパチンコ機１００を、第５実施形態として説明する。なお、以下の説明において、第１から第４実施形態における構成と同一の構成については同一の符号を付して説明を省略する。
【０３３６】
図２４（ａ）は、第５実施形態に係るパチンコ機１００における遊技領域の概略的な正面図である。なお、図２４（ａ）では、遊技領域に設けられる主な構造物について、その概略的な外形を図示し、他の構造物の図示を省略している。また、図２４（ｂ）〜（ｄ）は、右始動入賞装置８６２の構成および動作を説明する図である。なお、図２４（ｂ）〜（ｄ）において、右始動入賞装置８６２は、前面の板部分が切除された断面図として図示し、当該断面図において断面のハッチングは省略している。
【０３３７】
図２４（ａ）に示すように、第５実施形態に係るパチンコ機１００には、右始動入賞装置８６２が右側遊技領域（右打ち遊技手法でのみ遊技球が流下する遊技領域）に設けられている。右始動入賞装置８６２は、右始動入賞装置４３２（図２２参照）と同様、第２特別図柄に係る始動装置である。つまり、右始動入賞装置８６２に進入した遊技球が右始動入賞スイッチ４４２によって検出されると、第２特別図柄に係る始動入賞が発生する。
【０３３８】
右始動入賞装置８６２は、遊技球の進入口（入賞口）が遊技機正面視における左側に形成されている。右始動入賞装置８６２は、進入許容姿勢と進入禁止姿勢との間の移行によって、進入口を経て内部に進入する遊技球の進入確率を変化させる右進入規制機構８８２と、右進入規制機構８８２を駆動する右進入規制ソレノイド（図示せず）と、後述する遊技球誘導機構８８４とを備えている。
【０３３９】
右進入規制機構８８２は、右進入規制ソレノイドによって駆動される１つの可動片を備えている。右進入規制機構８８２の可動片は、遊技機正面視における前後方向に延びる軸部が進入口における下方側に配置されており、右進入規制機構８８２の姿勢は、軸部周りに回動する可動片の配置によって進入許容姿勢または進入禁止姿勢に切り替えられる。なお、右進入規制機構８８２を駆動する右進入規制ソレノイドは、右進入規制ソレノイド４６２（図１０参照）と同様、主制御基板９２０に接続されて、当該主制御基板９２０により駆動制御され、それにより、右進入規制ソレノイド４６２と同様に機能するソレノイドである。
【０３４０】
右進入規制機構８８２が進入禁止姿勢である場合、図２４（ｂ）に示すように、可動片が上方側を向くことで進入口（入賞口）を狭窄する（又は閉鎖する）配置をとるため、遊技球は右始動入賞装置８６２に進入できない。右進入規制機構８８２が進入禁止姿勢から進入許容姿勢に切り替わる場合、可動片は、軸部周りに左回り（反時計回り）に回動する。これにより、右進入規制機構８８２が進入許容姿勢である場合には、図２４（ｃ）および（ｄ）に示すように、可動片が右始動入賞装置８６２の左側に形成された進入口に対して開かれた配置をとり、遊技球が右始動入賞装置８６２に進入可能となる。
【０３４１】
なお、右進入規制機構８８２は、右進入規制機構４５２と同様、普通図柄に係る始動装置４３６へ進入した遊技球が始動スイッチ４４６で検出されることに基づく抽選（すなわち、普通図柄抽選）で当選した場合に、対応する右進入規制ソレノイドによる駆動に応じて所定の回数及び所定の時間だけ進入許容姿勢に移行する。
【０３４２】
遊技球誘導機構８８４は、第１姿勢と第２姿勢との間の移行によって、当該右始動入賞装置８６２の左側を流下する遊技球の誘導方向を変化させるものである。遊技球誘導機構８８４の姿勢は、右進入規制機構８８２の姿勢に連動して変化する。具体的に、遊技球誘導機構８８４は、右進入規制機構８８２が進入禁止姿勢である場合に第１姿勢をとる。また、遊技球誘導機構８８４は、右進入規制機構８８２が進入許容姿勢である場合に第２姿勢をとる。
【０３４３】
遊技球誘導機構８８４は、１つの可動片を備えている。当該可動片は、遊技機正面視における前後方向に延びる軸部が進入口の上方側に配置されており、遊技球誘導機構８８４の姿勢は、軸部周りに回動する可動片の配置によって第１姿勢または第２姿勢に切り替えられる。
【０３４４】
遊技球誘導機構８８４が第１姿勢である場合、遊技球誘導機構８８４の可動片は、図２４（ｂ）に示すように、進入禁止姿勢である右進入規制機構８８２の可動片に対して右始動入賞装置８６２の外方側（すなわち、左側）にて下方側を向く配置をとる。遊技球誘導機構８８４が第１姿勢から第２姿勢に切り替わる場合、可動片は、軸部周りに右回り（時計回り）に回動する。これにより、遊技球誘導機構８８４が第２姿勢である場合には、図２４（ｃ）および（ｄ）に示すように、可動片は、左下側を向き、右始動入賞装置８６２の左側に形成された進入口に対して開かれた配置をとる。
【０３４５】
なお、遊技球誘導機構８８４は、図示しないギアまたはベルトを介して、右進入規制機構８８２を駆動する右進入規制ソレノイドに接続されており、右進入規制ソレノイドによる右進入規制機構８８２の動作に連動して作動する。よって、遊技球誘導機構８８４は、普通図柄抽選で当選したことに基づく右進入規制ソレノイドの駆動による右進入規制機構８８２の進入許容姿勢への移行に連動して、第２姿勢に移行する。
【０３４６】
右始動入賞装置８６２の進入口に対して左上側となる位置には、左下がりに配列された複数の釘４１１からなる釘列Ｋが設けられている。右進入規制機構８８２が進入禁止姿勢である場合、つまり、遊技球誘導機構８８４が第１姿勢である場合には、右始動入賞装置８６２と釘列Ｋとの間を通過する遊技球Ｐは、図２４（ｂ）に示すように、重力に従い、遊技球誘導機構８８４の可動片に沿って右始動入賞装置８６２の左側を流下する。
【０３４７】
右進入規制機構８８２が進入許容姿勢に切り替わった場合、遊技球誘導機構８８４が第２姿勢に切り替わり、それにより、図２４（ｃ）および（ｄ）に示すように、釘列Ｋの下側には、当該釘列Ｋと遊技球誘導機構８８４の可動片とから、右進入規制機構８８２が進入許容姿勢になったことで開放された右始動入賞装置８６２の進入口における入口部分へと遊技球Ｐを案内する案内通路８９０が形成される。
【０３４８】
これにより、右進入規制機構８８２が進入許容姿勢に切り替わった場合、右始動入賞装置８６２と釘列Ｋとの間を通過する遊技球Ｐは、図２４（ｃ）に示すように、第２姿勢である遊技球誘導機構８８４の可動片によって案内通路８９０へと誘導される。案内通路８９０に誘導された遊技球Ｐは、図２４（ｄ）に示すように、案内通路８９０によって下流側へと、右始動入賞装置８６２の開放された進入口における入口部分（すなわち、進入許容姿勢にある右進入規制機構８８２の可動片の先端側）まで案内され、当該入口部分から進入口を経て右始動入賞装置８６２に進入する。
【０３４９】
案内通路８９０には、当該案内通路８９０を通過する遊技球が当接することで作動する振分先変更レバー８５０が設けられている。図２４（ｂ）に示すように、振分先変更レバー８５０は、非作動状態において、レバー部８５１が軸部８５２を上側として垂下した状態で設けられている。
【０３５０】
遊技球誘導機構８８４が第２姿勢である場合、遊技球誘導機構８８４の可動片によって案内通路８９０へと誘導された遊技球Ｐは、図２４（ｃ）に示すように、振分先変更レバー８５０のレバー部８５１に当接する。これにより、レバー部８５１は、遊技球Ｐの進行に伴ってその進行方向に押され、図２４（ｄ）に示すように、軸部８５２を回動軸として、軸部８５２とともに右回り方向に回動する。これにより、振分先変更レバー８５０が作動する。
【０３５１】
本実施形態のパチンコ機１００において、振分先変更レバー８５０は、図２４（ａ）に示すように、リンク機構８４０を介して振分部６２０に接続されている。よって、案内通路８９０を通過する遊技球Ｐによってレバー部８５１が右回り方向に回動された場合、リンク機構８４０は、第１リンク部８４１（図２３参照）がレバー部８５１の回動に連動して右回り方向に回動することで、上述した第４実施形態と同様に作動し、その結果として、振分部６２０における左側の球受け部６２２Ｆを上方（入口６１１の側）に向けることができる。
【０３５２】
なお、遊技球Ｐが、レバー部８５１を押し退けて案内通路８９０をさらに進んだ場合、作動状態にある振分先変更レバー８５０は、ばね機構によって生じる付勢力によって非作動状態の位置（すなわち、図２４（ｃ）に示す状態）に復帰する。なお、第３実施形態の振分先変更レバー８１０と同様、レバー部８５１における軸部８５２と異なる端側に、錘８１３と同様の錘を埋設し、当該錘による付勢力を利用して非作動状態の位置に復帰させる構成としてもよい。
【０３５３】
これに対し、遊技球誘導機構８８４が第１姿勢である場合、右始動入賞装置８６２と釘列Ｋとの間を通過する遊技球Ｐは、案内通路８９０とは別の方向側（すなわち、重力に従う下方側）に案内されるので、当該遊技球Ｐが、非作動状態の振分先変更レバー８５０に当接する可能性は低い。よって、右進入規制機構８８２が進入禁止姿勢であり、右始動入賞装置８６２に遊技球が進入する予定がない状況において、振分先変更レバー８５０が、右始動入賞装置８６２と釘列Ｋとの間を通過した遊技球によって作動されることを抑制できる。
【０３５４】
特に、非作動状態の振分先変更レバー８５０は、レバー部８５１が釘列Ｋの下方に垂下する状態で設けられているので、第１姿勢である遊技球誘導機構８８４によって重力に従う下方側に誘導される遊技球が振分先変更レバー８５０を作動させる可能性を好適に抑制できる。また、振分先変更レバー８５０は、釘列Ｋの下側の近接する位置に設けられているので、釘列Ｋが壁となって、振分先変更レバー８５０が案内通路８９０の外を流下する遊技球によって作動されることが抑制されており、この点においても、右始動入賞装置８６２に遊技球が進入する予定がない状況において、振分先変更レバー８５０が作動されることを好適に抑制できる。
【０３５５】
ここで、右進入規制機構８８２に対して上側に配置された遊技球誘導機構８８４において、その可動片が、第１姿勢において、進入禁止姿勢である右進入規制機構８８２の可動片に対して右始動入賞装置８６２の外方側となるよう配置されている。よって、右進入規制機構８８２が進入許容姿勢に切り替わった場合に、遊技球誘導機構８８４が遊技球を案内通路８９０に誘導可能になる前、すなわち、振分先変更レバー８５０が案内通路８９０を通過する遊技球によって作動可能になる前に、右始動入賞装置８６２に遊技球が進入する状況を抑制できる。これにより、右始動入賞装置８６２に遊技球が進入したにもかかわらず、振分部６２０による次回の振り分け先を変更できないという状況を抑制できる。
【０３５６】
また、遊技球誘導機構８８４の可動片の長さは、右進入規制機構８８２の可動片の長さより短く構成されるとともに、遊技球誘導機構８８４が第２姿勢である場合に、その可動片における軸部から離れる側の先端が、非作動状態の振分先変更レバー８５０の下端の下方側に位置する程度の長さに構成されるので、右進入規制機構８８２が進入禁止姿勢に切り替わる場合において、振分先変更レバー８５０を作動させた遊技球が右始動入賞装置８６２に進入できない状況を抑制できる。これにより、振分部６２０による次回の振り分け先が振分先変更レバー８５０の作動によって変更されたにもかかわらず、右始動入賞装置８６２に遊技球が進入できない、すなわち、第２特別図柄に係る始動入賞が発生しないという状況を抑制できる。
【０３５７】
次に、以上説明した第５実施形態に係るパチンコ機１００の作用及び効果を説明する。
【０３５８】
本実施形態のパチンコ機１００においては、案内通路８９０内に、当該案内通路８９０を通過する遊技球によって作動される振分先変更レバー８５０が設けられている。案内通路８９０は、遊技球を、右進入規制機構８８２が進入許容姿勢になったことで開放された右始動入賞装置８６２の進入口における入口部分まで案内する通路であるので、当該案内通路８９０内に振分先変更レバー８５０を設けたことで、当該振分先変更レバー８５０を、案内通路８９０を通過する遊技球、すなわち、右始動入賞装置８６２に今後進入する予定がある遊技球によって作動させることができる。
【０３５９】
よって、遊技球が右始動入賞装置８６２に今後進入する予定がある状況において、振分先変更レバー８５０を作動させることができるので、振分先変更レバー８５０が作動した場合、すなわち、遊技球が右始動入賞装置８６２に今後進入する予定が生じた場合には、リンク機構８４０を介して、振分部６２０による次回の振り分け先を、左側主球通路６５２Ａ、すなわち、第１特別図柄の始動入賞を発生可能な主球通路に変更することができる。これにより、振分部６２０により振り分けられた遊技球に基づき発生する特別図柄の始動入賞が、一方の特別図柄（すなわち、第２特別図柄）のものに偏ることを抑制することができる。
【０３６０】
特に、遊技球誘導機構８８４は、右進入規制機構８８２が進入許容姿勢である場合に、第２姿勢となって遊技球を案内通路８９０に誘導する一方で、右進入規制機構８８２が進入禁止姿勢である場合に、第１姿勢となって遊技球を案内通路８９０とは別の方向側、すなわち、重力に従って下方に誘導する。よって、右進入規制機構８８２が進入禁止姿勢である場合には、振分先変更レバー８５０が作動することを抑制できる。これにより、遊技球が遊技球誘導機構８８４により案内通路８９０とは別の方向側に誘導されたことで右始動入賞装置８６２に進入できない状態、つまり、第２特別図柄に係る始動入賞が発生する予定がないにもかかわらず、振分部６２０による次回の振り分け先が左側主球通路６５２Ａに変更されることが抑制されるので、振分部６２０により振り分けられた遊技球に基づき発生する特別図柄の始動入賞が、一方の特別図柄（すなわち、第２特別図柄）のものに偏ることを好適に抑制することができる。
【０３６１】
また、案内通路８９０を通過する遊技球に基づく振分部６２０による次回の振り分け先の変更は、第４実施形態と同様、遊技球の当接により作動する振分先変更レバー８５０と、振分先変更レバー８５０の作動に基づき作動するリンク機構８４０とにより機械的に行うので、主制御基板９２０などにかかる制御負荷を抑制しつつ、振分部６２０により振り分けられた遊技球に基づき発生する特別図柄の始動入賞が、一方の特別図柄のものに偏ることを抑制することができる。
【０３６２】
＜第６実施形態＞
次に、図２５から図３１を参照して、第６実施形態について説明する。第１実施形態に係るパチンコ機１００においては、時短遊技状態や確変遊技状態のような時短状態において遊技球の進入確率が高められる右始動入賞装置４３２を右側遊技領域に設けることで、右打ち遊技手法による遊技の興趣が向上する構成であった。
【０３６３】
これに対し、第６実施形態に係るパチンコ機１００においては、遊技球を貯留可能であるとともに、貯留された遊技球を遊技者による操作に基づいて下流側の一般入賞装置４３９Ｃ〜４３９Ｆへ向けて排出可能な貯留装置１１００を左側遊技領域に設けることで、入賞口に遊技球を入賞させる遊技を多様化させ、左打ち遊技手法による遊技の興趣を向上させる。なお、以下の説明において、第１から第５実施形態における構成と同一の構成については同一の符号を付して説明を省略する。
【０３６４】
図２５は、第６実施形態に係る遊技盤４００の正面図である。図２５に示すように、第６実施形態のパチンコ機１００には、貯留装置１１００が、左側遊技領域における中始動入賞装置４３１の左側に設けられている。詳細は後述するが、貯留装置１１００は、入口１１２１から進入した遊技球を予め定められた所定数（本実施形態では、５個）を上限として貯留（停留）可能であるとともに、遊技者が任意のタイミングで入力操作装置２６４に対し押込操作を行うことで貯留された遊技球を下流側に排出可能に構成される。
【０３６５】
貯留装置１１００より下流側には、貯留装置１１００から排出された遊技球が進入（入球）可能な入賞装置として、４つの一般入賞装置４３９Ｃ〜４３９Ｆが左右方向に並べて配置されている。一般入賞装置４３９Ｃ〜４３９Ｆの入口部分は入賞口を構成し、各入賞口に進入した遊技球は基体４０１に形成された貫通孔を通して基体４０１の背面側に形成された回収排出通路（図示せず）に案内される。
【０３６６】
一般入賞装置４３９Ｃ〜４３９Ｆは、上述した一般入賞装置４３４Ａ，４３４Ｂと同様、遊技球が入賞した場合に当否抽選を受けることなく一定数の遊技球が賞球として払い出される入賞装置である。本実施形態のパチンコ機１００においては、全ての一般入賞装置４３９Ｃ〜４３９Ｆに対して同一種類の賞球（すなわち、同数の賞球）が設定されているのではなく、４つの一般入賞装置４３９Ｃ〜４３９Ｆに対し複数種類の賞球が設定されている。
【０３６７】
例えば、本実施形態では、一般入賞装置４３９Ｃに対して５個の賞球が設定され、一般入賞装置４３９Ｄに対して１０個の賞球が設定され、一般入賞装置４３９Ｅ，４３９Ｆに対して１５個の賞球が設定されている。つまり、本実施形態では、４つの一般入賞装置４３９Ｃ〜４３９Ｆに対し３種類の賞球が設定されている。なお、４つの一般入賞装置４３９Ｃ〜４３９Ｆに対して設定される賞球は、３種類である必要はなく、２種類であっても、４種類であってもよい。つまり、複数の一般入賞装置のそれぞれに対して異なる種類の賞球が設定されていても、各々異ならなくても全体として複数種類の賞球が設定されていてもよい。
【０３６８】
本実施形態の遊技盤４００には、上記した一般入賞スイッチ４４９Ａに代えて、各一般入賞装置４３９Ｃ〜４３９Ｆの下流側にそれぞれ一般入賞スイッチ４４９Ｃ〜４４９Ｆが設置されている。一般入賞装置４３９Ｃ〜４３９Ｆに進入した遊技球は、進入した一般入賞装置の下流側に設置された一般入賞スイッチ４４９Ｃ〜４４９Ｆにより検出される。
【０３６９】
一般入賞スイッチ４４９Ｃ〜４４９Ｆにより遊技球が検出された場合（すなわち、一般入賞装置４３９Ｃ〜４３９Ｆに遊技球が入賞した場合）、遊技球を検出した一般入賞スイッチに応じた数の遊技球が賞球として払い出される。本実施形態では、一般入賞スイッチ４４９Ｃにより遊技球が検出された場合には５個の遊技球が賞球として払い出され、一般入賞スイッチ４４９Ｄにより遊技球が検出された場合には１０個の遊技球が賞球として払い出され、一般入賞スイッチ４４９Ｅ，４４９Ｆにより遊技球が検出された場合には１５個の遊技球が賞球として払い出される。
【０３７０】
ここで、図２６から図３１を参照して、貯留装置１１００の構造および動作について説明する。図２６から図３１は、いずれも、貯留装置１１００付近の概略的な正面図である。なお、図２６から図３１において、貯留装置１１００は、ケース部１１２０における前面の板部分が切除された断面図として図示し、当該断面図において断面のハッチングは省略している。一般入賞装置４３９Ｃ〜４３９Ｆについても同様に、前面の板部分が切除された断面図として図示し、当該断面図において断面のハッチングは省略している。また、貯留装置１１００より上流側に配列された複数の釘４１１について、個々の釘４１１でなく、釘４１１の配列を示す概略的な形状として図示している。
【０３７１】
まず、図２６を参照して、貯留装置１１００の構造的な構成について説明する。図２６に示すように、貯留装置１１００は、円形の正面形状を有する貯留部材１１１０と、貯留部材１１１０を収容するケース部１１２０と、貯留部材１１１０に貯留された遊技球の排出を規制する排出規制機構１１３０と、貯留部材１１１０への遊技球の貯留を規制する貯留規制機構１１４０とを備えている。
【０３７２】
貯留部材１１１０は、遊技機正面視における前後方向に延びる中心軸（図示せず）により回転可能に軸支された円盤状の回転体として構成される。貯留部材１１１０には、側面側の開口から１の遊技球を貯留可能（収容可能）な５つの凹部１１１０Ａ〜１１１０Ｅが形成されている。凹部１１１０Ａ〜１１１０Ｅは各々離間されて設けられており、各凹部１１１０Ａ〜１１１０Ｅに貯留された遊技球は、各凹部の間に介在される貯留部材１１１０の本体によって隣接する凹部に移動することが阻止され、各々独立して貯留した遊技球を保持する。凹部１１１０Ａ〜１１１０Ｅのうち、両端となる凹部１１１０Ａおよび凹部１１１０Ｅは、貯留部材１１１０の中心軸に対し対称な位置に配置され、各凹部１１１０Ａ〜１１１０Ｅは、貯留部材１１１０の半円部分に等間隔に配置されている。
【０３７３】
貯留部材１１１０は、初期位置において、図２６に示すように、凹部１１１０Ａが、貯留部材１１１０の中心を通る水平軸よりやや右上側に形成された開口１１２３に連通するよう配置される。また、貯留部材１１１０は、初期位置において、凹部１１１０Ｅが、貯留部材１１１０の下方に形成された４つの排出口１１２４〜１１２７のうち、貯留部材１１１０の中心に対し開口１１２３の反対側に形成された排出口１１２７に連通するよう配置される。
【０３７４】
詳細は後述するが、貯留部材１１１０は、５つの凹部１１１０Ａ〜１１１０Ｅのうち、４つの凹部１１１０Ａ〜１１１０Ｄに遊技球が貯留される毎に、貯留された遊技球の重さが作用して右回り（時計回り）方向に回転される。なお、貯留部材１１１０は、凹部１１１０Ａが開口１１２３に連通する初期位置から、凹部１１１０Ｅが開口１１２３に連通する位置まで右回りに回転可能に構成される。
【０３７５】
貯留装置１１００は、各凹部１１１０Ａ〜１１１０Ｅが開口１１４３に連通するような角度位置で貯留部材１１１０を停止保持可能な回転クリック機構（図示せず）を備えている。これにより、貯留部材１１１０は、凹部１１１０Ａ〜１１１０Ｄのいずれかに遊技球が貯留されたことで右回り方向に回転した場合、凹部１１１０Ｂ〜１１１０Ｅのうち次の貯留先となる凹部（より詳細には、貯留部材１１１０の回転方向に対して後方側に隣接する凹部）が開口１１２３に連通する位置にて停止保持される。
【０３７６】
また、貯留装置１１００は、遊技者が入力操作装置２６４に対し押込操作を行った場合に、右回りに回転された貯留部材１１１０をばねによる付勢力によって初期位置に復帰させる復帰機構（図示せず）を備えている。当該復帰機構は、具体的に、凹部１１１０Ａ〜１１１０Ｄに遊技球が貯留される毎に当該遊技球の重みによって初期状態から徐々に縮み、遊技者が入力操作装置２６４に対し押込操作を行ったことで凹部１１１０Ａ〜１１１０Ｄに貯留された遊技球が排出されると、それらの遊技球の重みで釣り合っていたばねが伸び、当該ばねの伸びが付勢力となって、貯留部材１１１０が左回り（反時計回り）方向に回転して初期位置に復帰する。
【０３７７】
ケース部１１２０は、貯留装置１１００の入口として機能する入口１１２１と、入口１１２１から進入した遊技球を誘導する誘導通路１１２２と、誘導通路１１２２の出口となる開口１１２３と、貯留装置１１００に貯留された遊技球を下流側に排出する排出口１１２４〜１１２７とを備えている。なお、ケース部１１２０の前面の板部分は、貯留部材１１１０に貯留された遊技球を遊技者が視認できるよう、透明または半透明などに構成されることが好ましい。
【０３７８】
入口１１２１は、遊技領域を流下する遊技球（より詳細には、配列された複数の釘４１１によって右下方向に誘導された遊技球）を受入可能に、貯留部材１１１０の上方に左側に向けて設けられている。また、入口１１２１は、所定の抽選が行われる始動装置（例えば、中始動入賞装置４３１及び右始動入賞装置４３２）に遊技球が進入し得ない位置に設けられ、当該入口１１２１に到達した遊技球が入口１１２１に進入しなかった場合には、始動装置へ遊技球が進入し得ない位置に配置されている。これにより、入口１１２１に遊技球が進入することで、その下流側に設けられる始動装置によって得られるはずの抽選を受けられなかったという遊技者の不満感を除去することができる。
【０３７９】
誘導通路１１２２は、貯留部材１１１０の外周に沿って右下がりに設けられる。開口１１２３は、凹部１１１０Ａ〜１１１０Ｄが開口１１２３を介して遊技球を受け入れた場合に、当該遊技球の重さによって右回り（時計回り）方向の回転力を貯留部材１１１０に付すことができるよう、貯留部材１１１０の遊技機正面視における右上部分に設けられている。
【０３８０】
凹部１１１０Ａ〜１１１０Ｄに貯留された遊技球の重さを効率よく貯留部材１１１０の回転力とするためには、開口１１２３は、貯留部材１１１０の接線方向が重力方向に近づく、貯留部材１１１０の中心を通る水平軸に近い位置であることが好ましい。凹部１１１０Ａ〜１１１０Ｅに遊技球を受け入れやすくすることを考慮すると、開口１１２３は、開口１１２３の中心と貯留部材１１１０の中心とを結ぶ軸が、貯留部材１１１０の中心を通る水平軸に対してやや右上側を向くよう設けられることが好ましい。よって、例えば、開口１１２３は、開口１１２３の中心と貯留部材１１１０の中心とを結ぶ軸と、貯留部材１１１０の中心を通る水平軸とのなす角が、３度から４５度の範囲内にあることが好ましく、５度から４０度の範囲内にあることがより好ましく、１０度から３０度の範囲内とすることが好適である。
【０３８１】
排出口１１２４〜１１２７は、貯留部材１１１０の下方であって、各一般入賞装置４３９Ｃ〜４３９Ｆの入賞口の上方側となる位置に設けられている。また、排出口１１２４〜１１２７は、凹部１１１０Ｅが開口１１２３に連通する場合において凹部１１１０Ａ〜１１１０Ｄの各開口が連通する位置に設けられている。つまり、排出口１１２４〜１１２７および開口１１２３は、それぞれに対し、貯留部材１１１０に形成された５つの凹部１１１０Ａ〜１１１０Ｅが同時に連通する位置に設けられている。
【０３８２】
また、排出口１１２４〜１１２７は、所定の抽選が行われる始動装置（例えば、中始動入賞装置４３１及び右始動入賞装置４３２）に遊技球が進入し得ない位置に設けられている。これにより、貯留装置１１００に遊技球が進入することで、その下流側に設けられる始動装置によって得られるはずの抽選を受けられなかったという遊技者の不満感を除去することができる。
【０３８３】
排出規制機構１１３０は、貯留部材１１１０の下方側に当該貯留部材１１１０の外周に沿って設けられた円弧形状の可動片を備えている。当該可動片は、主制御基板９２０に接続される排出規制ソレノイド（図示せず）により駆動されて、遊技盤４００から突出する排出規制位置と、遊技盤４００側に収納された排出許容位置との間を移行する。なお、排出規制機構１１３０の可動片を駆動する駆動源としては、排出規制ソレノイドに限らず、ステッピングモータやＤＣモータなど、各種の駆動源を使用でき、又は、遊技者の操作力によって直接的に可動片を動作させる構成としてもよい。
【０３８４】
排出規制機構１１３０の可動片が排出規制位置に配置された場合、当該可動片は遊技盤４００から突出し、それにより、排出口１１２４〜１１２７が狭窄される（又は閉鎖される）。可動片が排出口１１２４〜１１２７を狭窄したことで、貯留部材１１１０に貯留された遊技球が排出口１１２４〜１１２７から排出されることが規制される。なお、排出規制位置に配置された可動片によって「貯留部材１１１０に貯留された遊技球が排出口１１２４〜１１２７から排出されることが規制される」ことは、「凹部１１１０Ａ〜１１１０Ｄのうち開口が下方を向く凹部から遊技球を排出させず、当該凹部における遊技球の貯留（停留）を維持する」と換言することもできる。
【０３８５】
一方、排出規制機構１１３０の可動片が排出許容位置に配置された場合、当該可動片は遊技盤４００側に収納され、それにより、排出口１１２４〜１１２７が遊技球を通過可能に拡開される。排出口１１２４〜１１２７が拡開されたことで、貯留部材１１１０に貯留された遊技球が排出口１１２４〜１１２７から排出されることが許容される。
【０３８６】
排出規制機構１１３０の可動片は、初期状態において排出規制位置に配置され、入力操作装置２６４に対し押込操作が行われた場合に、排出規制位置から排出許容位置に切り替えられる。具体的に、入力操作装置２６４に対し押込操作が行われた場合、払出制御基板９３０は、当該押込操作が行われたことを示す信号を主制御基板９２０に出力する。払出制御基板９３０から当該信号を受信した主制御基板９２０は、排出規制機構１１３０の可動片が排出規制位置から排出許容位置に切り替わるよう、排出規制ソレノイドの駆動制御を行う。
【０３８７】
次いで、主制御基板９２０は、排出規制機構１１３０の可動片を所定の期間（例えば、３秒）に亘って排出許容位置に維持した後、排出規制機構１１３０の可動片が排出規制位置に切り替わるよう、排出規制ソレノイドの駆動制御を行う。なお、本実施形態において、排出規制機構１１３０の可動片を排出許容位置に維持する期間は、入力操作装置２６４に対し押込操作が行われたことで凹部１１１０Ａ〜１１１０Ｄに貯留されている遊技球を排出口１１２４〜１１２７から排出し、その後に、復帰機構によって初期位置に復帰した貯留部材１１１０の凹部１１１０Ｅに貯留されている遊技球を排出口１１２７から排出することを可能にする期間を少なくとも含む期間として設定される。
【０３８８】
貯留規制機構１１４０は、誘導通路１１２２の出口部分に設けられた可動片を備えている。当該可動片は、主制御基板９２０に接続される貯留規制ソレノイド（図示せず）により駆動されて、遊技盤４００から突出する貯留規制位置と、遊技盤４００側に収納された貯留許容位置との間を移行する。なお、貯留規制機構１１４０の可動片を駆動する駆動源としては、貯留規制ソレノイドに限らず、ステッピングモータやＤＣモータなど、各種の駆動源を使用できる。
【０３８９】
貯留規制機構１１４０の可動片が貯留規制位置に配置された場合、当該可動片は遊技盤４００から突出し、それにより、開口１１２３が狭窄される（又は閉鎖される）。可動片が開口１１２３を狭窄したことで、入口１１２１から進入して誘導通路１１２２を流下する遊技球が開口１１２３を介して凹部１１１０Ａ〜１１１０Ｄのいずれかに遊技球が進入すること（つまり、貯留部材１１１０に遊技球が貯留されること）が規制される。
【０３９０】
一方、貯留規制機構１１４０の可動片が貯留許容位置に配置された場合、当該可動片は遊技盤４００側に収納され、それにより、開口１１２３が遊技球を通過可能に拡開される。開口１１２３が拡開されたことで、入口１１２１から進入して誘導通路１１２２を流下する遊技球が開口１１２３を介して凹部１１１０Ａ〜１１１０Ｄのいずれかに遊技球が進入することが許容される。
【０３９１】
貯留規制機構１１４０の可動片は、初期状態において貯留許容位置に配置され、入力操作装置２６４に対し押込操作が行われた場合に、貯留許容位置から貯留規制位置に切り替えられる。具体的に、入力操作装置２６４に対し押込操作が行われた場合、払出制御基板９３０は、当該押込操作が行われたことを示す信号を主制御基板９２０に出力する。払出制御基板９３０から当該信号を受信した主制御基板９２０は、貯留規制機構１１４０の可動片が貯留許容位置から貯留規制位置に切り替わるよう、貯留規制ソレノイドの駆動制御を行う。
【０３９２】
次いで、主制御基板９２０は、貯留規制機構１１４０の可動片を、排出規制機構１１３０の可動片を排出許容位置に維持する期間に相当する期間（例えば、３秒）に亘って貯留規制位置に維持した後、貯留規制機構１１４０の可動片が貯留許容位置に切り替わるよう、排出規制ソレノイドの駆動制御を行う。つまり、排出規制機構１１３０の可動片が排出規制位置に配置されている場合、貯留規制機構１１４０の可動片は貯留許容位置に配置され、排出規制機構１１３０の可動片が排出許容位置に配置されている場合、貯留規制機構１１４０の可動片は貯留規制位置に配置される。
【０３９３】
なお、貯留規制機構１１４０の可動片を貯留許容位置に維持する期間は、貯留部材１１１０が、復帰機構による復帰（すなわち、左回りの回転）を開始してから、当該復帰によって初期位置に戻るまでの期間を少なくとも含む期間として設定されることが好ましい。貯留規制機構１１４０の可動片を貯留許容位置に維持する期間を、貯留部材１１１０が、復帰機構による復帰の開始から、初期位置に戻るまでの期間を少なくとも含む期間とすることで、入力操作装置２６４に対し押込操作が行われたことで、左回り方向に動作する貯留部材１１１０の凹部１１１０Ａ〜１１１０Ｅに遊技球が進入することを好適に抑制できる。
【０３９４】
なお、図２６から図３１では、排出規制位置に配置された排出規制機構１１３０の可動片、および、貯留規制位置に配置された貯留規制機構１１４０の可動片を実線で示す一方で、排出許容位置に配置された排出規制機構１１３０の可動片、および、貯留許容位置に配置された貯留規制機構１１４０の可動片を一点鎖線で示している。
【０３９５】
次に、図２７から図３１を参照して、上記構成を有する貯留装置１１００の動作について説明する。貯留装置１１００に遊技球が１つも貯留されていない状態、すなわち、初期位置に配置された貯留部材１１１０に全く遊技球が貯留されていない状態において、遊技球Ｐ１が入口１１２１を介して貯留装置１１００に進入した場合、当該遊技球Ｐ１は誘導通路１１２２により開口１１２３まで誘導される。この場合、貯留規制機構１１４０の可動片は貯留許容位置に配置されているので、遊技球Ｐ１は開口１１２３を介して凹部１１１０Ａに進入し、それにより、凹部１１１０Ａに貯留される（停留される）。
【０３９６】
遊技球Ｐ１が凹部１１１０Ａに貯留されると、貯留部材１１１０は、遊技球Ｐ１の重さが作用して右回り（時計回り）方向に回転され、図２７に示すように、次の貯留先となる凹部１１１０Ｂが開口１１２３に連通する位置に配置された状態で停止する。このとき、凹部１１１０Ａの開口は下方側を向くが、排出規制機構１１３０の可動片が排出規制位置に配置されているので、凹部１１１０Ａにおける遊技球Ｐ１の貯留（停留）は維持される。
【０３９７】
なお、遊技者が、貯留装置１１００が図２７に示す状態であるときに入力操作装置２６４に対し押込操作を行った場合、排出規制機構１１３０の可動片が排出許容位置に配置されたことで、凹部１１１０Ａに貯留される遊技球Ｐ１が、排出口１１２４から排出される。
【０３９８】
凹部１１１０Ｂが開口１１２３に連通する位置に配置されている場合において、入口１１２１を介して貯留装置１１００に進入した遊技球Ｐ２は、開口１１２３を介して凹部１１１０Ｂに進入し、それにより、図２８に示すように、凹部１１１０Ｂに貯留される。
【０３９９】
遊技球Ｐ２が凹部１１１０Ｂに貯留されると、貯留部材１１１０は、遊技球Ｐ２の重さが作用して右回り方向に回転され、図２９に示すように、次の貯留先となる凹部１１１０Ｃが開口１１２３に連通する位置に配置された状態で停止する。このとき、可動片が排出規制位置に配置された排出規制機構１１３０によって、凹部１１１０Ａ，１１１０Ｂにおける遊技球Ｐ１，Ｐ２の貯留は維持される。
【０４００】
なお、遊技者が、貯留装置１１００が図２９に示す状態であるときに入力操作装置２６４に対し押込操作を行った場合、排出規制機構１１３０の可動片が排出許容位置に配置されたことで、凹部１１１０Ａ，１１１０Ｂに貯留される遊技球Ｐ１，Ｐ２が、排出口１１２４，１１２５から排出される。
【０４０１】
上述した凹部１１１０Ａ，１１１０Ｂの場合と同様、開口１１２３に連通する位置に配置された凹部１１１０Ｃに遊技球Ｐ３が貯留されると、貯留部材１１１０が右回り方向に回転して、凹部１１１０Ｄが開口１１２３に連通する位置に配置された状態で停止する。次に、凹部１１１０Ｄに遊技球Ｐ４が貯留されると、貯留部材１１１０が右回り方向に回転して、凹部１１１０Ｅが開口１１２３に連通する位置に配置された状態で停止する。
【０４０２】
このように、本実施形態の貯留装置１１００によれば、回転可能な貯留部材１１１０の外周側に形成された５つの凹部１１１０Ａ〜１１１０Ｅに１球ずつ、最大で５個の遊技球を貯留することができる。なお、上述したように、貯留部材１１１０は、凹部１１１０Ｅが開口１１２３に連通する位置まで右回りに回転可能に構成されるので、凹部１１１０Ｄが開口１１２３に連通する位置に配置されている場合において、遊技球Ｐ５が凹部１１１０Ｄに貯留されたとしても、貯留部材１１１０は回転することなく、図３０に示すように、凹部１１１０Ｅが開口１１２３に連通する位置に配置された状態のままとされる。
【０４０３】
貯留装置１１００に５個の遊技球Ｐ１〜Ｐ５が貯留された状態で、遊技者が入力操作装置２６４に対し押込操作を行った場合、排出規制機構１１３０の可動片が排出許容位置に配置されたことで、遊技球Ｐ１〜Ｐ５のうち、当該可動片によって貯留が維持されていた４個の遊技球Ｐ１〜Ｐ４が排出口１１２４〜１１２７から下流側に排出される。貯留装置１１００（ケース部１１２０）と一般入賞装置４３９Ｃ〜４３９Ｆとの間には、排出口１１２４〜１１２７から排出された遊技球を遊技領域に排出可能な隙間が形成されている。これにより、排出口１１２４〜１１２７から排出された遊技球は、必ずしも、各排出口１１２４〜１１２７の下方側に配置された一般入賞装置４３９Ｃ〜４３９Ｆに進入せず、遊技領域に排出される場合もあり得る。
【０４０４】
よって、排出口１１２７から排出された遊技球Ｐ１は、図３０にて一点鎖線で示すように、排出口１１２７の下方側に配置された一般入賞装置４３９Ｆに進入（入賞）するか、一般入賞装置４３９Ｆの左上側に形成された隙間から遊技領域に排出される。また、排出口１１２６から排出された遊技球Ｐ２は、排出口１１２６の下方側に配置された一般入賞装置４３９Ｅに進入するか、一般入賞装置４３９Ｅの右上側に形成された隙間から遊技領域に排出される。
【０４０５】
また、排出口１１２５から排出された遊技球Ｐ３は、排出口１１２５の下方側に配置された一般入賞装置４３９Ｄに進入するか、一般入賞装置４３９Ｄの左上側に形成された隙間から遊技領域に排出される。また、排出口１１２５から排出された遊技球Ｐ３は、排出口１１２５の下方側に配置された一般入賞装置４３９Ｄに進入するか、一般入賞装置４３９Ｄの左上側に形成された隙間から遊技領域に排出される。
【０４０６】
遊技者が入力操作装置２６４に対し押込操作を行った場合、貯留部材１１１０は、復帰機構の作動によって左回り（反時計回り）方向に回転され初期位置に戻される。貯留部材１１１０が初期位置に配置された場合、凹部１１１０Ｅは排出口１１２７に連通する位置に配置されるので、入力操作装置２６４に対する押込操作が凹部１１１０Ｅに遊技球Ｐ５が貯留された状態で行われた場合、貯留部材１１１０が初期位置に復帰したことで、遊技球Ｐ５は排出口１１２７から排出可能な位置に配置される。
【０４０７】
ここで、排出規制機構１１３０の可動片は、遊技者が入力操作装置２６４に対し押込操作を行ったことで排出許容位置に切り替えられ、当該排出許容位置は、上述したように、少なくとも、初期位置に復帰した貯留部材１１１０の凹部１１１０Ｅに貯留されている遊技球が排出口１１２７から排出することを可能にする期間に亘って維持される。
【０４０８】
よって、本実施形態の貯留装置１１００によれば、５個の遊技球Ｐ１〜Ｐ５が凹部１１１０Ａ〜１１１０Ｅに貯留された状態で遊技者が入力操作装置２６４に対し押込操作を行った場合、凹部１１１０Ａ〜１１１０Ｄに貯留されている遊技球Ｐ１〜Ｐ４が排出口１１２４〜１１２７から先に排出された後、図３１に示すように、初期位置に復帰した貯留部材１１１０の凹部１１１０Ｅに貯留されている遊技球Ｐ５が排出口１１２７から排出される。
【０４０９】
上述したように、貯留規制機構１１４０の可動片は、遊技者が入力操作装置２６４に対し押込操作を行った場合に、排出規制機構１１３０の可動片が排出許容位置に維持される期間に相当する期間に亘って貯留規制位置に維持される。よって、遊技者が入力操作装置２６４に対し押込操作を行った場合、当該期間中において、入口１１２１から貯留装置１１００に進入した遊技球Ｐは、図３１に示すように、誘導通路１１２２内にて待機される。
【０４１０】
誘導通路１１２２内にて待機する遊技球Ｐは、貯留規制機構１１４０の可動片が貯留許容位置に切り替わった場合に、当該可動片に隣接する遊技球Ｐが凹部１１１０Ａに貯留される。複数の遊技球Ｐが誘導通路１１２２内に待機する場合、凹部１１１０Ａ〜１１１０Ｅには、待機する複数の遊技球Ｐが順次格納される。例えば、図３１に示すように、４個の遊技球Ｐが誘導通路１１２２内に待機する場合、貯留規制機構１１４０の可動片が貯留許容位置に切り替わると、それら４個の遊技球Ｐが凹部１１１０Ａ〜１１１０Ｄに順次貯留する。なお、誘導通路１１２２に待機可能な遊技球Ｐの数は、誘導通路１１２２の長さを適宜設定することで適宜の数に設定可能である。
【０４１１】
次に、以上説明した第６実施形態に係るパチンコ機１００の作用及び効果を説明する。
【０４１２】
本実施形態のパチンコ機１００においては、遊技領域を流下する遊技球を貯留可能（停留可能）な貯留装置１１００が設けられている。当該貯留装置１１００の下流側には一般入賞装置４３９Ｃ〜４３９Ｆが設けられており、貯留装置１１００から排出した遊技球を一般入賞装置４３９Ｃ〜４３９Ｆに進入（入球）させることが可能である。ここで、貯留装置１１００に貯留された（停留された）遊技球は、遊技者が入力操作装置２６４に対し押込操作を行うことで、遊技者が所望するタイミングで下流側へと排出することができるので、左打ち遊技手法によって一般入賞装置４３９Ｃ〜４３９Ｆに遊技球を進入させる遊技に好適な興趣を付与できる。
【０４１３】
ここで、一般入賞装置４３９Ｃ〜４３９Ｆには複数種類の賞球数が割り当てられている。具体的に、上述したように、一般入賞装置４３９Ｃに進入した遊技球が一般入賞スイッチ４４９Ｃにより検出された場合（すなわち、遊技球が一般入賞装置４３９Ｃに入賞した場合）には５個の遊技球が賞球として払い出され、一般入賞装置４３９Ｄに進入した遊技球が一般入賞スイッチ４４９Ｄにより検出された場合（すなわち、遊技球が一般入賞装置４３９Ｄに入賞した場合）には１０個の遊技球が賞球として払い出される。また、一般入賞装置４３９Ｅ，４３９Ｆに進入した遊技球が一般入賞スイッチ４４９Ｅ，４４９Ｆにより検出された場合（すなわち、遊技球が一般入賞装置４３９Ｅ，４３９Ｆに入賞した場合）には１５個の遊技球が賞球として払い出される。
【０４１４】
よって、貯留装置１１００に１個の遊技球が貯留された状態（すなわち、凹部１１１０Ａのみに遊技球が貯留された状態）で、遊技者が入力操作装置２６４に対し押込操作を行い、排出された遊技球が一般入賞装置４３９Ｃに入賞した場合には、５個の遊技球が賞球として払い出される。
【０４１５】
これに対し、貯留装置１１００に２個の遊技球が貯留された状態（すなわち、凹部１１１０Ａ，１１１０Ｂに遊技球が貯留された状態）で、遊技者が入力操作装置２６４に対し押込操作を行い、排出された遊技球が一般入賞装置４３９Ｃ，４３９Ｄに入賞した場合には、合計で１５個の遊技球が賞球として払い出される。この場合、排出された遊技球１個当りの賞球数は７．５個（＝１５÷２）となる。
【０４１６】
つまり、貯留装置１１００に貯留される遊技球を入力操作装置２６４に対する押込操作を行うことで排出する場合に、２個の遊技球が貯留された状態で排出する場合の方が、１個の遊技球が貯留された状態で排出する場合に比べて、遊技球１個当りに獲得し得る賞球の数が多くなる。
【０４１７】
同様に、貯留装置１１００に３個の遊技球が貯留された状態（すなわち、凹部１１１０Ａ〜１１１０Ｃに遊技球が貯留された状態）で、遊技者が入力操作装置２６４に対し押込操作を行い、排出された遊技球が一般入賞装置４３９Ｃ〜４３９Ｅに入賞した場合には、合計で３０個の遊技球が賞球として払い出される。この場合、排出された遊技球１個当りの賞球数は１０個（＝３０÷３）となる。
【０４１８】
また、貯留装置１１００に４個の遊技球が貯留された状態（すなわち、凹部１１１０Ａ〜１１１０Ｄに遊技球が貯留された状態）で、遊技者が入力操作装置２６４に対し押込操作を行い、排出された遊技球が一般入賞装置４３９Ｃ〜４３９Ｆに入賞した場合には、合計で４５個の遊技球が賞球として払い出される。この場合、排出された遊技球１個当りの賞球数は１１．２５個（＝４５÷４）となる。
【０４１９】
貯留装置１１００に５個の遊技球が貯留された状態（すなわち、凹部１１１０Ａ〜１１１０Ｅに遊技球が貯留された状態）で、遊技者が入力操作装置２６４に対し押込操作を行った場合に、凹部１１１０Ａ〜１１１０Ｄから排出された遊技球が一般入賞装置４３９Ｃ〜４３９Ｆに入賞し、凹部１１１０Ｅから排出された遊技球が一般入賞装置４３９Ｆに入賞した場合には、合計で６０個の遊技球が賞球として払い出される。この場合、排出された遊技球１個当りの賞球数は１２個（＝６０÷５）となる。
【０４２０】
よって、本実施形態のパチンコ機１００によれば、貯留装置１１００に貯留される遊技球の数が多くなるほど、遊技者が入力操作装置２６４に対し押込操作したことで遊技球１個当りに獲得可能な賞球数を多くすることができる。そのため、遊技者は、１個当りに獲得可能な賞球数が増えることを期待しながら、貯留装置１１００に遊技球を貯留させる（停留させる）遊技を楽しむことができる。これにより、所望のタイミングで貯留装置１１００から遊技球を排出させることで向上する、一般入賞装置４３９Ｃ〜４３９Ｆに遊技球を進入させる遊技を多様化させて、遊技の興趣性を相乗的に好ましく向上させることが可能となる。
【０４２１】
また、貯留装置１１００に５個の遊技球が貯留された状態で、遊技者が入力操作装置２６４に対し押込操作を行った場合には、凹部１１１０Ａ〜１１１０Ｄに貯留されている遊技球が先に排出された後、貯留部材１１１０が左回り（反時計回り）方向に回転し、当該回転によって凹部１１１０Ｅに貯留された遊技球が排出口１１２７から排出される。つまり、貯留装置１１００に貯留された遊技球は、その全てが一度に排出されるのではなく、遊技球が貯留される場合における動作方向（右回り方向）とは反対向きへの貯留部材１１１０の動作を介して二度に分けて排出される。
【０４２２】
これにより、貯留装置１１００に貯留された（停留された）遊技球を遊技者の意図するタイミングで排出させることで一般入賞装置４３９Ｃ〜４３９Ｆに入賞させる遊技を多様化させて、遊技の興趣をより好適に向上させることができる。特に、凹部１１１０Ｅに貯留された遊技球（すなわち、５個目に貯留された遊技球）は、排出された場合に、一般入賞装置４３９Ｃ〜４３９Ｆに割り当てられた賞球数のうち、最も多くの賞球数が割り当てられた一般入賞装置４３９Ｆに進入可能である。よって、遊技者が貯留装置１１００により多くの遊技球を貯留したいと思わせる動機を与えることができる。なお、凹部１１１０Ｅから排出された遊技球が進入可能な一般入賞装置は、最も多くの賞球数が割り当てられた一般入賞装置に限らず、最低の賞球数より多くの賞球数が割り当てられた一般入賞装置であってもよい。
【０４２３】
また、貯留装置１１００に貯留された遊技球を、遊技球が貯留される場合における動作方向とは反対向きへの貯留部材１１１０の動作を介して二度に分けて排出することで、一般入賞装置４３９Ｃ〜４３９Ｆの数が貯留装置１１００に貯留される遊技球の数より少ない場合であっても、貯留装置１１００に貯留された遊技球を一般入賞装置４３９Ｃ〜４３９Ｆに入賞させることができる。よって、一般入賞装置の設置数を抑制しつつ好適な興趣を付与することが可能であり、限りある遊技領域を有効利用できる。また、一般入賞装置の設置数が抑制されることで、一般入賞装置の間隔が狭くなり過ぎたことで貯留装置１１００から排出された遊技球が互いに干渉することを抑制できる。これにより、貯留装置１１００から排出された遊技球が一般入賞装置に進入し難くなることを抑制できる。
【０４２４】
また、凹部１１１０Ｅに貯留される遊技球は、貯留部材１１１０が左回り方向に回転する動作を行った後に排出口１１２７から排出されるので、その排出タイミングを、凹部１１１０Ａに貯留された遊技球が排出口１１２７から排出されるタイミングに対し時間差のあるタイミングとすることができる。よって、一般入賞装置４３９Ｆに入賞する可能性のある２個の遊技球が互いに干渉することで、一般入賞装置４３９Ｆに入賞し難くなることを抑制できる。かかる点においても、貯留装置１１００から排出された遊技球が一般入賞装置に進入し難くなることを抑制できる。
【０４２５】
また、遊技者が入力操作装置２６４に対し押込操作を行った場合、貯留規制機構１１４０の可動片が、排出規制機構１１３０の可動片が排出許容位置に維持される期間に相当する期間に亘って貯留規制位置に維持される。よって、入力操作装置２６４に対し押込操作が行われたことで、左回り方向に動作する貯留部材１１１０の凹部１１１０Ａ〜１１１０Ｅに遊技球が進入することを抑制できる。これにより、遊技球が意図せず凹部１１１０Ａ〜１１１０Ｅに進入したり、凹部１１１０Ａ〜１１１０Ｅに遊技球が進入したことで左回り方向に動作する貯留部材１１１０が初期位置に戻る前に当該動作が停止されてしまうなどの不具合の発生を好適に抑制できる。
【０４２６】
貯留規制機構１１４０の可動片が貯留規制位置に維持される期間中において、入口１１２１から貯留装置１１００に進入した遊技球は、誘導通路１１２２内にて待機させることができる。誘導通路１１２２は、貯留部材１１１０の外周に沿って右下がりに設けられているので、入口１１２１から貯留装置１１００に進入した遊技球を複数個待機させる機能を省スペースで実現することができる。
【０４２７】
＜第７実施形態＞
次に、図３２および図３３を参照して、第７実施形態について説明する。第６実施形態に係るパチンコ機１００においては、貯留装置１１００に貯留される遊技球の数が多くなるほど、遊技球１個当りに獲得可能な賞球数を増やすことができる構成であった。
【０４２８】
これに対し、第７実施形態に係るパチンコ機１００においては、クルーン１２２０による振り分け先となる孔１２２０Ａ〜１２２０Ｃのうち、遊技球を停留可能な所定の孔（例えば、孔１２２０Ａ）に遊技球が停留した状態では、当該遊技球とクルーン１２２０に進入する後続の遊技球を含めて排出させることで、クルーン１２２０から排出される遊技球１個当りに獲得可能な賞球数を増やすことができる。なお、以下の説明において、第１から第６実施形態における構成と同一の構成については同一の符号を付して説明を省略する。また、第６実施形態における貯留装置１１００及び一般入賞装置４３９Ｃ〜４３９Ｆに代えて振分装置１２００が設けられた場合を例示して説明する。
【０４２９】
図３２は、第７実施形態に係るパチンコ機１００に設けられる振分装置１２００の斜視図である。振分装置１２００は、遊技領域における所定の位置（例えば、左側遊技領域内の貯留装置１１００の配置位置）に設けられる。振分装置１２００は、案内通路１２１０と、案内通路１２１０を通過した遊技球が進入する皿状のクルーン１２２０と、クルーン１２２０の下側に設けられて孔１２２０Ａ，１２２０Ｃに進入した遊技球を支持可能な球支持部材１２３０（図３３参照）とを備えている。
【０４３０】
案内通路１２１０は、遊技盤４００に形成されて遊技領域を流下する遊技球が進入可能な所定の入口（図示せず）に接続されており、当該所定の入口から進入した遊技球を振分装置１２００内部に案内し、クルーン１２２０に進入させる。この所定の入口は、例えば、第６実施形態における貯留装置１１００の入口１１２１に設けられ、誘導通路１１２２を通じて案内通路１２１０に遊技球が進入可能に構成される。
【０４３１】
クルーン１２２０は、底側に穿設された複数の孔１２２０Ａ，１２２０Ｂ，１２２０Ｃを備えている。クルーン１２２０は、図３２（ａ）に示すように、案内通路１２１０から進入した遊技球Ｐを、クルーン１２２０の開口縁部の側から底側に向けて縮径しつつ下降傾斜する内壁を周回させながら転動させることで遊技球の流下を一定時間停留させた後、孔１２２０Ａ，１２２０Ｂ，１２２０Ｃのいずれかに振り分ける。
【０４３２】
孔１２２０Ａ，１２２０Ｂ，１２２０Ｃは、遊技球を通過可能な円形の孔として構成される。孔１２２０Ａ，１２２０Ｂ，１２２０Ｃのうち、２つの孔１２２０Ａ，１２２０Ｃは、球支持部材１２３０の位置に応じて、振り分けられた（進入した）遊技球の通過可否が変化する。よって、遊技球が球支持部材１２３０によって孔１２２０Ａ，１２２０Ｃを通過できない状況にある場合、孔１２２０Ａ，１２２０Ｃに振り分けられた遊技球はＰ１，Ｐ２は、図３２（ｂ）に示すように、孔１２２０Ａ，１２２０Ｃ内にて停留が継続される。一方、孔１２２０Ｂは、球支持部材１２３０の位置にかかわらず、振り分けられた遊技球が常時通過可能である。
【０４３３】
遊技球が振り分け先の孔内にて停留する場合、遊技球が停留する孔には、当該孔に遊技球が停留する間、別の遊技球を振り分けることができない。例えば、図３２（ｂ）に示すように、遊技球Ｐ１，Ｐ２が孔１２２０Ａ，１２２０Ｃ内にて停留する場合、これらの遊技球Ｐ１，Ｐ２が排出されるまで、孔１２２０Ａ，１２２０Ｃには遊技球を振り分けることができない。よって、かかる場合、新たに振分装置１２００に進入した遊技球Ｐ３は、孔１２２０Ａ〜１２２０Ｃのうち、遊技球が進入可能な（すなわち、遊技球が停留していない）孔１２２０Ｂに振り分けられる。
【０４３４】
孔１２２０Ａ，１２２０Ｂ，１２２０Ｃは、いずれも、一般入賞装置（図示せず）の入口部分（すなわち、入賞口）として機能する。なお、孔１２２０Ａ，１２２０Ｂ，１２２０Ｃを介して遊技球が進入する一般入賞装置は、上述した一般入賞装置４３４Ａ，４３４Ｂなどと同様の一般入賞装置である。以下では、便宜上、孔１２２０Ａに対応する一般入賞装置を「一般入賞装置４３９Ｇ」と称し、孔１２２０Ｂに対応する一般入賞装置を「一般入賞装置４３９Ｈ」と称し、孔１２２０Ｃに対応する一般入賞装置を「一般入賞装置４３９Ｉ」と称す。
【０４３５】
本実施形態の遊技盤４００には、各一般入賞装置４３９Ｇ〜４３９Ｉの下流側にそれぞれ一般入賞スイッチ（図示せず）が設置されている。より詳細には、各一般入賞装置４３９Ｇ〜４３９Ｉの下流側にそれぞれ設置された一般入賞スイッチは、球支持部材１２３０より下流側に設置されている。なお、当該一般入賞スイッチは、上述した一般入賞スイッチ４４４Ａ，４４４Ｂなどと同様の一般入賞スイッチである。以下では、便宜上、一般入賞装置４３９Ｇの下流側に設置された一般入賞スイッチを「一般入賞スイッチ４４９Ｇ」と称し、一般入賞装置４３９Ｈの下流側に設置された一般入賞スイッチを「一般入賞スイッチ４４９Ｈ」と称し、一般入賞装置４３９Ｉの下流側に設置された一般入賞スイッチを「一般入賞スイッチ４４９Ｉ」と称す。
【０４３６】
よって、クルーン１２２０によって孔１２２０Ａに振り分けられた遊技球は、一般入賞スイッチ４４９Ｇにより検出される。一方、クルーン１２２０によって孔１２２０Ｂに振り分けられた遊技球は、一般入賞スイッチ４４９Ｈにより検出される。また、クルーン１２２０によって孔１２２０Ｃに振り分けられた遊技球は、一般入賞スイッチ４４９Ｉにより検出される。
【０４３７】
一般入賞スイッチ４４９Ｇ〜４４９Ｉにより遊技球が検出された場合（すなわち、一般入賞装置４３９Ｇ〜４３９Ｉに遊技球が入賞した場合）、遊技球を検出した一般入賞スイッチに応じた数の遊技球が賞球として払い出される。本実施形態では、一般入賞スイッチ４４９Ｇにより遊技球が検出された場合には３個の遊技球が賞球として払い出され、一般入賞スイッチ４４９Ｈにより遊技球が検出された場合には１０個の遊技球が賞球として払い出され、一般入賞スイッチ４４９Ｉにより遊技球が検出された場合には１５個の遊技球が賞球として払い出される。
【０４３８】
図３３を参照して、振分装置１２００が備える球支持部材１２３０について説明する。図３３（ａ）は、球支持部材１２３０の正面図である。図３３（ｂ）は、球支持部材１２３０が第１位置に配置された場合における、クルーン１２２０の孔１２２０Ａ〜１２２０Ｃとの位置関係を説明する図である。図３３（ｃ）は、球支持部材１２３０が第２位置に配置された場合における、クルーン１２２０の孔１２２０Ａ〜１２２０Ｃとの位置関係を説明する図である。図３３（ｄ）は、図３３（ｃ）のＤ−Ｄ線における球支持部材１２３０の断面図である。なお、図３３（ｄ）では、同位置にて切断したクルーン１２２０および孔１２２０Ａ，１２２０Ｂの断面を合わせて図示している。
【０４３９】
図３３（ａ）に示すように、球支持部材１２３０は、正面視において円形の外形を有する板部１２３１と、当該板部１２３１に穿設された開口部１２３２，１２３３とを備えている。球支持部材１２３０は、遊技機正面視の上下方向（図３３（ａ）における紙面垂直方向）に延びる、板部１２３１の中心軸（図示せず）に対して回転可能に構成される。
【０４４０】
より詳細には、球支持部材１２３０は、主制御基板９２０に接続されるステッピングモータ（図示せず）により回転駆動されて、図３３（ｂ）に示す第１位置と、図３３（ｃ）に示す第２位置との間を移行する。なお、球支持部材１２３０を回転駆動する駆動源は、ステッピングモータに限らず、ＤＣモータやソレノイドなど、各種の駆動源を使用できる。
【０４４１】
開口部１２３２は、クルーン１２２０の各孔１２２０Ａ〜１２２０Ｃと同程度の径を有する円形の開口として構成される。一方、開口部１２３３は、クルーン１２２０の孔１２２０Ａ〜１２２０Ｃのうち２つの孔に対し同時に重ねることが可能な大きさの開口として構成される。より詳細には、開口部１２３３は、クルーン１２２０の各孔１２２０Ａ〜１２２０Ｃと同程度の径を有する円の中心を、板部１２３１の中心を軸として、孔１２２０Ａ〜１２２０のうち隣接する孔の各中心と板部１２３１の中心とを結ぶ各直線がなす角度（例えば、１２０度）だけ連続移動させたときの当該円の外形によって形成される外周を有する円弧状の開口として構成される。
【０４４２】
図３３（ｂ）に示すように、球支持部材１２３０が第１位置に配置される場合、クルーン１２２０の孔１２２０Ａ〜１２２０Ｃの下方側には、板部１２３１が重なることなく、開口部１２３２または開口部１２３３が重なる。よって、球支持部材１２３０が第１位置に配置される場合には、遊技球が孔１２２０Ａ〜１２２０Ｃのいずれに振り分けられた（進入した）場合であっても、当該遊技球は、孔１２２０Ａ〜１２２０Ｃおよび開口部１２３２，１２３３を通過して、下流側へと排出される。
【０４４３】
一方、図３３（ｃ）に示すように、球支持部材１２３０が第２位置に配置される場合、クルーン１２２０の孔１２２０Ｂの下方側には板部１２３１が重なることなく開口部１２３３が重なるものの、孔１２２０Ａ，１２２０Ｃの下方側には、その大部分に板部１２３１が重なる。
【０４４４】
よって、図３３（ｄ）に示すように、球支持部材１２３０が第２位置に配置される場合には、孔１２２０Ａ，１２２０Ｃに振り分けられた遊技球（例えば、孔１２２０Ａに振り分けられた遊技球Ｐ１）は、板部１２３１によって下方側から支持されることで孔１２２０Ａ，１２２０Ｃ内に停留し、それにより、下流側への排出が規制される。そして、下流側への排出が規制された遊技球は、板部１２３１の上側に一部が突出し、後続の遊技球を、排出規制がされていない他の孔へ誘導する。一方、クルーン１２２０に穿設された孔１２２０Ａ〜１２２０Ｃのうち孔１２２０Ｂに振り分けられた遊技球Ｐ３は、孔１２２０Ｂおよび開口部１２３３を通過して下流側へと排出される。
【０４４５】
球支持部材１２３０は、初期状態において第２位置に配置され、入力操作装置２６４に対し押込操作が行われた場合に、第２位置から第１位置に切り替えられる。具体的に、入力操作装置２６４に対し押込操作が行われた場合、払出制御基板９３０は、当該押込操作が行われたことを示す信号を主制御基板９２０に出力する。払出制御基板９３０から当該信号を受信した主制御基板９２０は、球支持部材１２３０が第２位置から第１位置に切り替わるよう、球支持部材１２３０を回転駆動するステッピングモータの駆動制御を行う。
【０４４６】
次いで、主制御基板９２０は、球支持部材１２３０を所定の期間（例えば、１秒）に亘って第１位置に維持した後、球支持部材１２３０が第２位置に切り替わるよう、ステッピングモータの駆動制御を行う。なお、本実施形態において、球支持部材１２３０を第１位置に維持する期間は、入力操作装置２６４に対し押込操作が行われたことで板部１２３１により支持されている遊技球（孔１２２０Ａおよび／または孔１２２０Ｃに振り分けられた遊技球）を下流側に排出することを可能にする期間を少なくとも含む期間として設定される。
【０４４７】
なお、案内通路１２１０内に、クルーン１２２０への遊技球の進入を規制する、貯留規制機構１１４０と同様の規制機構を設け、当該規制機構を、球支持部材１２３０が第２位置に配置されている場合に、クルーン１２２０への遊技球の進入を許容する進入許容位置に配置し、球支持部材１２３０が第１位置に配置されている場合に、クルーン１２２０への遊技球の進入を規制する進入規制位置に配置するよう制御する構成としてもよい。
【０４４８】
次に、以上説明した第７実施形態に係るパチンコ機１００の作用及び効果を説明する。
【０４４９】
本実施形態のパチンコ機１００においては、進入した遊技球を周回させることで一定時間停留可能なクルーン１２２０が設けられている。当該クルーン１２２０は振分部としての機能を有している。具体的に、クルーン１２２０は、当該クルーン１２２０に進入した遊技球を、一般入賞装置４３９Ｇ〜４３９Ｉの入口部分（すなわち、入賞口）として機能する孔１２２０Ａ，１２２０Ｂ，１２２０Ｃに振り分ける。
【０４５０】
ここで、一般入賞装置４３９Ｇ〜４３９Ｉには複数種類の賞球数が割り当てられている。具体的に、上述したように、一般入賞装置４３９Ｇに進入した遊技球が一般入賞スイッチ４４９Ｇにより検出された場合（すなわち、遊技球が一般入賞装置４３９Ｇに入賞した場合）には３個の遊技球が賞球として払い出され、一般入賞装置４３９Ｈに進入した遊技球が一般入賞スイッチ４４９Ｈにより検出された場合（すなわち、遊技球が一般入賞装置４３９Ｈに入賞した場合）には１０個の遊技球が賞球として払い出される。また、一般入賞装置４３９Ｉに進入した遊技球が一般入賞スイッチ４４９Ｉにより検出された場合（すなわち、遊技球が一般入賞装置４３９Ｉに入賞した場合）には１５個の遊技球が賞球として払い出される。よって、遊技者は、振分装置１２００（クルーン１２２０）に遊技球が進入した場合、当該遊技球が一般入賞装置４３９Ｇ〜４３９Ｉのうちどの一般入賞装置に入賞するかを期待しながら、クルーン１２２０による遊技球の振り分けを楽しむことができる。
【０４５１】
また、クルーン１２２０に穿設された孔１２２０Ａ，１２２０Ｂ，１２２０Ｃのうち、孔１２２０Ａ，１２２０Ｃは、球支持部材１２３０が初期状態である第２位置に配置される間、振り分けられた遊技球が板部１２３１によって下方側から支持され、それにより、孔１２２０Ａ，１２２０Ｃ内に停留させることができる。孔１２２０Ａ，１２２０Ｃ内に停留された遊技球は、遊技者が入力操作装置２６４に対し押込操作を行うことで、遊技者が所望するタイミングで下流側へと排出することができる。よって、左打ち遊技手法によって一般入賞装置４３９Ｇ〜４３９Ｉに遊技球を進入させる遊技に好適な興趣を付与できる。
【０４５２】
孔１２２０Ａ，１２２０Ｃ内に遊技球を停留可能な構成において、複数種類の賞球数のうち最低の賞球数が割り当てられた一般入賞装置４３９Ｇの入口部分として機能する孔１２２０Ａ内にて遊技球が停留された状態で、遊技者が入力操作装置２６４に対し押込操作を行った場合、一般入賞装置４３９Ｇへの入賞が成立するため、３個の遊技球が賞球として払い出される。
【０４５３】
ここで、孔１２２０Ａ内にて遊技球が停留された状態で、クルーン１２２０に後続の遊技球が進入した場合、当該後続の遊技球は、孔１２２０Ａに振り分けることができないので、孔１２２０Ｂまたは孔１２２０Ｃのいずれかに振り分けられる。このとき、遊技球が孔１２２０Ｃに振り分けられた場合、遊技球が孔１２２０Ａおよび孔１２２０Ｃ内に停留する状況が生じる。当該状況において、遊技者が入力操作装置２６４に対し押込操作を行った場合、一般入賞装置４３９Ｇ，４３９Ｉへの入賞が成立したことにより合計で１８個の遊技球が賞球として払い出される。この場合、排出された遊技球１個当りの賞球数は９個（＝１８÷２）となる。
【０４５４】
一方、孔１２２０Ａ内にて遊技球が停留された状態でクルーン１２２０に進入した後続の遊技球が孔１２２０Ｂに振り分けられて一般入賞装置４３９Ｈへの入賞が成立した後、遊技者が入力操作装置２６４に対し押込操作を行った場合、一般入賞装置４３９Ｇへの入賞が成立したことによる３個の賞球と合わせて１３個の遊技球が賞球として払い出される。この場合、排出された遊技球１個当りの賞球数は６．５個（＝１３÷２）となる。
【０４５５】
また、孔１２２０Ａ内にて遊技球が停留された状態でクルーン１２２０に進入した後続の遊技球が孔１２２０Ｃに振り分けられた後、さらに、クルーン１２２０に進入した後続の遊技球が孔１２２０Ｂに振り分けられた後、遊技者が入力操作装置２６４に対し押込操作を行った場合には、一般入賞装置４３９Ｇ〜４３９Ｉへの入賞が成立したことにより合計で２８個の遊技球が賞球として払い出される。この場合、排出された遊技球１個当りの賞球数は約９．３個（＝２８÷３）となる。
【０４５６】
よって、最低の賞球数が割り当てられた一般入賞装置４３９Ｇの入口部分として機能する孔１２２０Ａに遊技球が停留された状態で入力操作装置２６４に対する押込操作を行う場合に比べ、孔１２２０Ａに遊技球が停留された状態でクルーン１２２０に後続の遊技球を進入させてから入力操作装置２６４に対する押込操作を行う場合の方が、クルーン１２２０から排出される遊技球１個当りに獲得し得る賞球の数が多くなる。
【０４５７】
つまり、本実施形態のパチンコ機１００によれば、クルーン１２２０に穿設された孔１２２０Ａ〜１２２０Ｃのうち、球支持部材１２３０により遊技球を停留可能な所定の孔（例えば、孔１２２０Ａ）に遊技球が停留した状態では、当該遊技球とクルーン１２２０に進入する後続の遊技球を含めて排出させた方が、クルーン１２２０から排出される遊技球１個当りに獲得し得る賞球の数が多くすることができる。
【０４５８】
そのため、遊技者は、所定の孔に遊技球が停留した場合、その後は、１個当りに獲得可能な賞球数が増えることを期待しながら、クルーン１２２０に遊技球を進入させる遊技を楽しむことができる。これにより、所望のタイミングでクルーン１２２０から遊技球を排出させることで向上する、一般入賞装置４３９Ｇ〜４３９Ｉに遊技球を進入させる遊技を多様化させて、遊技の興趣性を相乗的に好ましく向上させることが可能となる。
【０４５９】
特に、クルーン１２２０による最初の振り分け先が、孔１２２０Ａのように、最低の賞球数が割り当てられた一般入賞装置への入賞を成立させる孔であったとしても、遊技者は、後続の遊技球をクルーン１２２０に進入させることで遊技球１個当りに獲得可能な賞球数が増えることを期待しながら、振分装置１２００（クルーン１２２０）に遊技球を進入させる遊技を楽しむことができる。
【０４６０】
また、孔１２２０Ａ〜１２２０Ｃのうち孔１２２０Ｂは、球支持部材１２３０の位置にかかわらず、振り分けられた遊技球を常時通過可能に構成されるので、振り分け先の孔によって賞球を獲得するための行程が異なるため、遊技者は、クルーン１２２０による遊技球の振り分けを楽しむことができる。特に、孔１２２０Ｂは、最低より多い賞球数が割り当てられた一般入賞装置４３９Ｈへの入賞を成立させる孔であるので、孔１２２０Ｂに遊技球が振り分けられた場合に遊技者が落胆することを抑制できる。
【０４６１】
なお、本発明は、上記各実施形態に限られることはなく、例えば、以下に記載するように変形して実施しても良い。この場合に、以下に記載する各構成を上記各実施形態に対して適用しても良く、以下に記載する複数の構成を組み合わせて上記各実施形態に対して適用しても良い。
【０４６２】
（１）中始動入賞装置４３１
上記各実施形態においては、中始動入賞装置４３１は、中始動入賞スイッチ４４１Ａ，４４１Ｂを内包する構成としたが、必ずしも、中始動入賞スイッチ４４１Ａ，４４１Ｂが中始動入賞装置４３１の一部である必要はない。中始動入賞スイッチ４４１Ａ，４４１Ｂを中始動入賞装置４３１と別体とし、パチンコ機１００の組み立て時において、中始動入賞装置４３１の裏側に中始動入賞スイッチ４４１Ａ，４４１Ｂを取り付けてユニット化される構成であってもよい。
【０４６３】
上記各実施形態においては、中始動入賞装置４３１は、主球通路６５２Ａ，６５２Ｂが、遊技球を、上から下向きに誘導した後、奥向きへ誘導する球通路である構成としたが、主球通路６５２Ａ，６５２Ｂの誘導経路は必ずしも上記経路である必要はない。
【０４６４】
例えば、主球通路６５２Ａ，６５２Ｂの誘導経路を、単に、上から下向きに遊技球を誘導する経路に構成してもよい。かかる場合も、上記各実施形態と同様、主球通路６５２Ａ，６５２Ｂを流下する遊技球の、従球通路への進入を抑制できる。よって、かかる変形例において、中始動入賞装置４３１の上下方向のサイズは、上記各実施形態にて例示した中始動入賞装置４３１に比べて大きくなるが、上記各実施形態にて例示した中始動入賞装置４３１と同様、好適な興趣を付与できる。
【０４６５】
また、例えば、主球通路６５２Ａ，６５２Ｂの誘導経路を、上から下向きに遊技球を誘導した後、当該遊技球を左または右向きへ誘導する経路に構成してもよい。かかる変形例において、主球通路６５２Ａ，６５２Ｂの方向変化部は、遊技球の誘導方向が下向きから左または右向きへと変化する部分となるので、当該方向変化部に、上側から下向きに流下する遊技球を右または左向きに誘導する誘導部を設けるとともに、主球通路６５２Ａ，６５２Ｂから前または後ろ方向に分岐する従球通路を設けることで、上記第１実施形態において例示した中始動入賞装置４３１の誘導部６１２と同様の効果を奏することができる。
【０４６６】
上記各実施形態においては、中始動入賞装置４３１は、遊技盤４００の前面側から取り付けられることで、台板６３０より前方部分が露出した状態で遊技盤４００に取り付けられる構成とした。中始動入賞装置４３１は、遊技盤４００の裏面側から取り付けられるものであってもよい。また、中始動入賞装置４３１は、少なくとも、入口６１１が遊技盤４００の前面に露出する構成であればよい。
【０４６７】
上記各実施形態においては、中始動入賞装置４３１は、振分部６２０が、左右の主球通路６５２Ａ，６５２のいずれかに遊技球を振り分ける構成としたが、遊技球を主球通路に振り分ける構成において、振り分け先となる主球通路は、複数であれば、３以上であってもよい。また、中始動入賞装置４３１は、振分部６２０によって始動入賞となる複数の主球通路６５２Ａ，６５２に遊技球を振り分ける構成としたが、始動入賞となる主球通路を１つのみとし、他の主球通路を、遊技球が遊技領域に排出される排出球通路として構成してもよく、振り分け先となる主球通路が１つであってもよい。また、振分部６２０によって振り分けられて主球通路を進行する遊技球の一部が必ずしも始動入賞を発生させる必要はなく、遊技者に特典を付与する有利領域へ通じる他の通路としてもよい。例えば、抽選条件を成立させることなく一定数の遊技球が賞球として払い出される入賞口に通じる球通路としてもよいし、遊技者に有利な遊技状態が付与される特定通路としてもよい。
【０４６８】
上記各実施形態においては、左右に揺動する振分部６２０を用いて、遊技球を左右の主球通路６５２Ａ，６５２に振り分ける構成としたが、遊技球を振り分ける構成としては、振分部６２０のようなものに限らず、ステージやクルーンなどであってもよい。
【０４６９】
（２）誘導部６１２
上記各実施形態においては、誘導部６１２は、傾斜角度が次第に小さくなる曲線形状の傾斜面６１２Ａを有する構成としたが、必ずしも、傾斜面６１２Ａが曲線形状である必要はない。例えば、誘導部６１２が、下流側に向かう従って段階的に誘導角度が小さくなる、傾斜の異なる直線からなる折れ線からなる傾斜面６１２Ａを有する構成としてもよい。
【０４７０】
上記各実施形態においては、誘導部６１２を、主球通路６５２Ａ，６５２Ｂの通路幅より細い幅で延びる凸部とする構成としたが、誘導部６１２が、主球通路６５２Ａ，６５２Ｂの通路幅全体に形成される構成としてもよい。つまり、流下方向変化部を、傾斜角度が次第に小さくなる曲線形状で傾斜する壁面で構成し、当該壁面を誘導部６１２とする構成であってもよい。
【０４７１】
上記各実施形態においては、誘導部６１２を、主球通路６５２Ａ，６５２Ｂの通路幅より細い幅で延びる１本の凸部とする構成としたが、平行に配列された複数本の凸部を誘導部６１２とする構成であってもよい。
【０４７２】
（３）振分部６２０
上記各実施形態においては、振分部６２０は、遊技球の自重を利用する機械的構成によって遊技球の振り分けを行う構成としたが、振分部６２０による遊技球の振り分けは、モータなどの動力を用いて制御的に軸６２１回動させることで行う構成としてもよい。
【０４７３】
（４）主球通路６５２Ａ，６５２Ｂ及び従球通路６５３Ａ〜６５３Ｃ
上記各実施形態においては、主球通路６５２Ａ，６５２Ｂ及び従球通路６５３Ａ〜６５３Ｃを樹脂により構成したが、必ずしも樹脂により各通路を構成する必要はなく、少なくとも一部に釘等の他の通路構成部材を含む構成としてもよい。
【０４７４】
上記各実施形態において、従球通路６５３Ａ〜６５３Ｃ側から主球通路６５２Ａ，６５２Ｂへ遊技球が進行しないようにする進入抑止手段を設けてもよい。例えば、従球通路６５３Ａ〜６５３Ｃの出口部分の上側に多数の釘を並べて配置し、従球通路６５３Ａ〜６５３Ｃの下流側から上流側へ遊技球が進行し得ないようにしてもよい。
【０４７５】
上記各実施形態においては、従球通路６５３Ａ〜６５３Ｃは、主球通路６５２Ａ，６５２Ｂに対して左右両側に設けられる構成について説明したが、従球通路は、主球通路６５２Ａ，６５２Ｂに対して左右方向における一方側にのみ設けられ、他方側へは遊技球が進行し得ないようにしてもよい。
【０４７６】
例えば、中始動入賞装置４３１の左右両側に向かって遊技球を出力可能な従球通路６５３Ａ，６５３Ｂを省略する構成として、従球通路６５３Ａ，６５３Ｂの入口部６５４Ａ１，６５４Ｂ１を閉塞する壁部を設け、主球通路６５２Ａ，６５２Ｂから中央従球通路６５３Ｃからのみ、遊技球が出力されるようにしてもよい。中央従球通路６５３Ｃは、その上方に振分部６２０が設けられて通路の上方側が閉塞され、中央従球通路６５３Ｃの入口部６５４Ａ２，６５４Ｂ２が開口する側の上下に連続する通路部分に遊技領域を流下する遊技球が進入し得ず、左側中始動入賞口４３１Ａａや右側中始動入賞口４３１Ｂａへの遊技球の入賞確率を設定し易くすることができる。一方、中始動入賞装置４３１の左右両側に向かって遊技球を出力可能な従球通路６５３Ａ，６５３Ｂのみを有し、中央従球通路６５３Ｃを省略する構成としてもよい。
【０４７７】
上記実施形態においては、従球通路６５３Ａ〜６５３Ｃは、主球通路６５２Ａ，６５２Ｂに対して左右両側に設けられる構成について説明したが、各主球通路に対して左右両側に位置する従球通路へは、略同一の確率で遊技球が出力されるようにしてもよいし、左右方向における一方側の方が他方側より高確率で遊技球が出力されるようにしてもよい。
【０４７８】
ここで、中央従球通路６５３Ｃの直下には排出口４０１Ａが設けられる一方、左右の従球通路６５３Ａ，６５３Ｂから出力された遊技球は、一方側に出力された後に下方に進行し、更に逆方向に進行して排出口４０１Ａへ誘導されることとなって出力された遊技球を遊技者が視認する経路が長く、遊技者を落胆させたり不満を抱かせ易い。このため、中央従球通路６５３Ｃの側の方が、左右の従球通路６５３Ａ，６５３Ｂより高確率で遊技球が出力されるようにしてもよく、これにより、中始動入賞装置４３１に進入した遊技球が再び遊技領域に出力され、その遊技球を遊技者が視認することによる落胆等を低減することができる。
【０４７９】
一方、左右の従球通路６５３Ａ，６５３Ｂの方が、中央従球通路６５３Ｃより高確率で遊技球が出力されるようにしてもよく、この構成に代えて、又は、この構成に加えて、従球通路６５３Ａ，６５３Ｂから出力された遊技球が進入可能な位置に遊技者に特典を付与する有利領域（例えば、一般入賞装置４３９Ａ，４３９Ｂの入口）が設けられる構成としてもよい。これら構成を適用することにより、中始動入賞装置４３１から出力された遊技球に対して遊技者が特典の付与に対しての期待感を抱き易くすることができ、中始動入賞装置４３１に進入した遊技球が再び遊技領域に出力されることによる落胆等を低減することができる。
【０４８０】
（５）リンク機構８２０，８４０を用いた、振分部６２０の振り分け先の変更に係る変形例
上記第３および第４実施形態では、振分先変更レバー８１０，８５０の作動に基づいてリンク機構８２０，８４０が作動し、それにより、振分部６２０が回動される構成とした。つまり、振分先変更レバー８１０，８５０が作動したことに基づく振分部６２０の回動を、リンク機構８２０，８４０によって機械的に行う構成とした。これに代えて、振分先変更レバー８１０，８５０の作動を電気的に検出する検出部を設け、振分先変更レバー８１０，８５０の作動が当該検出部によって検出された場合に、振分部６２０を、モータなどの駆動源を用いて電気的に回動させる構成としてもよい。
【０４８１】
上記第３実施形態では、左側従球通路６５３Ｂの出口に振分先変更レバー８１０を設ける構成としたが、左側従球通路６５３Ｂの通路内に振分先変更レバーを設ける構成としてもよい。
【０４８２】
上記第３実施形態では、左側主球通路６５２Ａから分岐する従球通路のうち、左側従球通路６５３Ｂにのみ振分先変更レバー８１０を設ける構成としたが、左側主球通路６５２Ａから中央従球通路６５３Ｃに進入する遊技球が当接可能な位置に振分先変更レバーを設け、当該振分先変更レバーが作動した場合にも、リンク機構が作動して、振分部６２０による次回の振り分け先が左側主球通路６５２Ａとなるよう、振分部６２０を回動させる構成としてもよい。
【０４８３】
なお、上記第３実施形態の中始動入賞装置４３１のように、左側主球通路６５２Ａから分岐する従球通路が複数ある場合に、それら複数の従球通路から排出される確率が異なるように設計されている場合、排出され易くされている従球通路に振分先変更レバーを設ける構成としてもよい。
【０４８４】
また、右側主球通路６５２Ｂから分岐する従球通路についても、振分先変更レバー、および、当該振分先変更レバーの作動によって作動するリンク機構を設け、当該リンク機構の作動によって、振分部６２０による次回の振り分け先が右側主球通路６５２Ｂとなるよう、振分部６２０を回動させる構成としてもよい。なお、左側主球通路６５２Ａから分岐する従球通路には振分先変更レバーを設けず、右側主球通路６５２Ｂから分岐する従球通路にのみ振分先変更レバーを設ける構成としてもよい。
【０４８５】
上記第３実施形態の中始動入賞装置４３１では、左右の主球通路６５２Ａ，６５２Ｂを通過した遊技球は、中始動入賞スイッチ４４１Ａまたは中始動入賞スイッチ４４１Ｂにより検出される構成としたが、１の主球通路が、従球通路との分岐よりさらに下流にて複数に分岐し、それら複数の分岐に対して複数の始動入賞スイッチが設けられる構成としてもよい。
【０４８６】
かかる場合、これら複数の始動入賞スイッチは、第１特別図柄抽選に係る始動入賞スイッチまたは第２特別図柄抽選に係る始動入賞スイッチのみで構成されていてもよいし、第１特別図柄抽選に係る始動入賞スイッチと第２特別図柄抽選に係る始動入賞スイッチとが混在していてもよい。このように、１の主球通路に対し、複数の始動入賞スイッチが設けられる構成である場合、振分先変更レバーの作動によって変更される次回の振り分け先は、今回の振り分け先であった主球通路に設けられている複数の始動入賞スイッチが設けられている主球通路となるようにすることが好ましい。
【０４８７】
上記第４実施形態では、右側中始動入賞装置４３１Ｂとは別に設けられた、第２特別図柄に係る始動入賞装置（右始動入賞装置４３２）が、右側遊技領域に設けられている場合を例示したが、第２特別図柄に係る始動入賞装置は、例えば、中始動入賞装置４３１の下方に設けられている、すなわち、左側遊技領域に設けられている構成としてもよい。
【０４８８】
あるいは、第２特別図柄に係る始動入賞装置が下側遊技領域に設けられている構成であってもよい。第２特別図柄に係る始動入賞装置が下側遊技領域に設けられる場合、右側遊技領域から下側遊技領域への遊技球の通過経路（例えば、ワープ経路）に振分先変更レバーを設ける構成としてもよい。
【０４８９】
上記第４実施形態では、右側遊技領域に設けられた右始動入賞装置４３２に遊技球が入球することで、振分先変更レバー８５０が作動する構成としたが、右始動入賞装置４３２のような第２特別図柄に係る始動入賞装置とは無関係に、右側遊技領域を流下する遊技球によって作動する振分先変更レバーを設ける構成としてもよい。例えば、右側遊技領域に進入した遊技球が必ず通過する役連作動装置４３５に進入した遊技球によって作動する振分先変更レバーを設ける構成としてもよい。かかる変形例によれば、振分先変更レバーが設けられている遊技領域を狙って遊技球を発射することで、振分部６２０による次回の振り分け先を変更することが可能となる。
【０４９０】
上記第４実施形態では、右側遊技領域に設けられた右始動入賞装置４３２に遊技球が入球することで、振分先変更レバー８５０が作動する構成としたが、右始動入賞装置４３２に入球する可能性が高い経路上に振分先変更レバーを設ける構成としてもよい。
【０４９１】
上記第３および第４実施形態では、リンク機構８２０，８４０の第２リンク部８２２，８４２に長孔８２２Ａ，８４２Ａを形成することで、第３リンク部８２３，８４３を、第２リンク部８２２，８４２に対してスライド可能とし、それによって、振分先変更レバー８１０，８５０の作動によってリンク機構８２０，８４０を作動できる一方で、振分部６２０の動作（回動）でリンク機構８２０，８４０が作動しないよう構成した。
【０４９２】
これに代えて、第３リンク部８２３，８４３が、第２リンク部８２２，８４２に対してスライドすることなく回動する構成としてもよい。つまり、第３リンク部８２３，８４３と第２リンク部８２２，８４２との接続を、第３リンク部８２３，８４３と第１リンク部８２１，８４１との接続と同様、第２リンク部８２２，８４２に形成されたピン８２３Ｂ，８４３Ｂを挿通可能な孔に対し、第２リンク部８２２，８４２の前面側から挿通されたピン８２３Ｂ，８４３Ｂを、第３リンク部８２３，８４３の前面側に固定することで、第３リンク部８２３，８４３と第２リンク部８２２，８４２とが相対的に回動可能となるよう接続し、それにより、振分先変更レバー８１０，８５０が作動した場合だけでなく、振分部６２０が動作した場合にも、リンク機構８２０，８４０が作動する構成としてもよい。
【０４９３】
上記第４実施形態では、遊技球が右始動入賞装置４３２に入球したことに基づいてリンク機構８４０によって変更される振り分け先が、単位遊技の権利を保留できる特別図柄である、第１特別図柄の始動入賞を発生可能な左側主球通路６５２Ａとしたが、遊技球が右始動入賞装置４３２に入球したことに基づいてリンク機構８４０によって変更される振り分け先は、必ずしも、保留の対象となる特別図柄を発生可能な球通路（主球通路）である必要はない。例えば、リンク機構８４０によって変更された振分部６２０の振り分け先が、一般入賞スイッチ４４９Ａのような、保留対象とならない入賞の発生に係るスイッチへ遊技球を誘導可能な球通路であってもよい。このように、リンク機構８４０によって変更された振分部６２０の振り分け先が、保留対象とならない入賞を発生可能な球通路である場合においても、第２特別図柄の始動入賞の発生に偏る可能性が抑制され、それにより、振分部６２０により右側主球通路６５２Ｂに振り分けられた遊技球によって第２特別図柄の始動入賞が発生したにもかかわらず、当該第２特別図柄に係る単位遊技の権利が保留されないという事態を抑制することができる。つまり、かかる変形例のパチンコ機１００においても、上述した第４実施形態と同様の効果を奏する。
【０４９４】
（６）第５実施形態に係るパチンコ機１００の変形例
上記第５実施形態においては、遊技球誘導機構８８４は、右進入規制機構８８２が進入許容姿勢に切り替わる場合に、その姿勢が第２姿勢に回動して姿勢変化することで、遊技球を案内通路８９０に誘導する構成としたが、遊技球誘導機構８８４の姿勢変化としては回動に限らず、遊技球誘導機構８８４が遊技機正面視における左右または前後方向に移動することで、遊技球が遊技球誘導機構８８４によって案内通路８９０に誘導されるようになる構成であってもよい。
【０４９５】
上記第５実施形態においては、案内通路８９０により遊技球が案内される始動入賞装置として、進入口が左側に形成される右始動入賞装置８６２を例示したが、本発明を適用可能な始動入賞装置は、進入口の形成位置が左側であることに限られない。つまり、例えば、右始動入賞装置４３２のように上側に進入口が形成された始動入賞装置や、右側に進入口が形成された始動入賞装置に対し、本発明を適用してもよい。
【０４９６】
上記第５実施形態においては、案内通路８９０は、右進入規制機構８８２が進入許容姿勢になった場合に、釘列Ｋと遊技球誘導機構８８４の可動片と右進入規制機構８８２の可動片とから形成される構成としたが、右始動入賞装置８６２の進入口における入口部分へと遊技球を案内する案内通路が、複数の釘４１１の配列や構造物などによって、遊技盤４００に予め形成されている構成であってもよい。
【０４９７】
上記第５実施形態においては、遊技球誘導機構８８４が、姿勢に応じて案内通路８９０への遊技球の誘導を可能にする機能と、釘列Ｋとともに案内通路８９０の一部を形成する部材としての機能とを兼ねる構成としたが、少なくとも、姿勢に応じて案内通路８９０への遊技球の誘導を可能にする機能を有するものであればよい。つまり、遊技球誘導機構８８４は、案内通路８９０の一部を形成する部材としての機能を有さない構成であってもよい。
【０４９８】
上記第５実施形態においては、右始動入賞装置８６２が遊技球誘導機構８８４を備える構成としたが、右始動入賞装置８６２の進入口における入口部分へと遊技球を案内する案内通路に遊技球を誘導可能な位置であれば、遊技球誘導機構８８４と同様の、案内通路に遊技球を誘導する構成を、右始動入賞装置８６２とは別体に独立して設けてもよい。この場合、案内通路に遊技球を誘導する構成は、右進入規制機構８８２が進入許容姿勢に切り替わる場合に、姿勢が変化することによって遊技球を案内通路に誘導する構成であってもよいし、遊技機正面視における左右または前後方向に移動することによって遊技球を案内通路に誘導する構成であってもよい。
【０４９９】
上記第５実施形態においては、遊技球誘導機構８８４は、右進入規制機構８８２を駆動する右進入規制ソレノイドにギアまたはベルトを介して接続され、当該右進入規制ソレノイドによる右進入規制機構８８２の動作に連動して作動する構成とした。つまり、遊技球誘導機構８８４は、右進入規制機構８８２と共通する駆動源（すなわち、右進入規制ソレノイド）により駆動される構成としたが、遊技球誘導機構８８４が、右進入規制機構８８２の駆動源とは異なる駆動源により駆動される構成であってもよい。また、遊技球誘導機構８８４は、右進入規制機構８８２と必ずしも別部材により構成される必要はなく、一体的に構成されてもよい。
【０５００】
（７）第６実施形態および第７実施形態に係るパチンコ機１００の変形例
上記第６実施形態においては、貯留装置１１００に貯留された遊技球の排出が遊技者の操作によって可能な構成について説明したが、これに代えて、又はこれに加えて、パチンコ機１００に予め設定された貯留解除条件が成立した場合に排出規制機構１１３０の可動片が動作して遊技球が排出されるようにしてもよい。例えば、一定時間（例えば、１０分）が経過するごとに、遊技領域に一定数（例えば、３００個）の遊技球が発射されるごとに、排出規制機構１１３０が動作するようにしてもよいし、所定の抽選に当選した場合（例えば、大当り抽選に当選して大当り図柄が停止表示された場合や、大当りへ遷移する確率の高い演出が実行されてからハズレ図柄が停止表示された場合など）に排出規制機構１１３０が動作するようにしてもよい。
【０５０１】
上記第６実施形態においては、貯留装置１１００の入口１１２１は、当該入口１１２１に到達した遊技球が入口１１２１に進入しなかった場合には、始動装置へ遊技球が進入し得ない位置に設けられる場合について説明したが、入口１１２１に到達した遊技球が入口１１２１に進入しなかった場合にいずれかの始動装置に遊技球が進入可能な位置に設けてもよい。また、貯留装置１１００の入口１１２１は、他の位置に設けてもよく、例えば、中始動入賞装置４３１から排出された遊技球が進入可能な位置に設けてもよく、左側従球通路６５３Ａの入口を、貯留装置１１００の入口１１２１としてもよい。これにより、中始動入賞装置４３１に進入した遊技球が左側主球通路６５２Ａから外れて中始動入賞装置４３１から排出されてしまう状況が発生した場合に、遊技者に対して大当り抽選は受けられないものの賞球が獲得可能な機会は付加することができて好ましい。
【０５０２】
上記第６実施形態においては、貯留装置１１００の入口１１２１は、遊技球が周辺の釘４１１等の流下変化部材との相対位置によって定まる一定の確率で、遊技球が進入可能な構成について説明したが、所定の通路を一定数の遊技球が通過する毎に、貯留装置１１００の入口１１２１に遊技球が進入する構成としてもよい。例えば、中央構造体４２０の左側に遊技球の振分装置を設けて、左打ち遊技手法によって発射された遊技球が当該振分装置を通過する構成とし、一定数（例えば、１６個）の遊技球が振分装置を通過する毎に、貯留装置１１００の入口１１２１に遊技球が１球進入するようにしてもよい。
【０５０３】
上記第６実施形態においては、貯留装置１１００の貯留部材１１１０を、側面側の開口から１の遊技球を貯留可能な凹部１１１０Ａ〜１１１０Ｅが形成された円盤状の回転体として構成したが、遊技球を貯留する形態はこれに限定されるものではない。例えば、左右方向に延びる階段の各段に進入順に下側から順次遊技球が貯留される貯留部材を備える貯留装置を配設し、貯留部材における各段の下方側にそれぞれ一般入賞装置を配設する構成としてもよい。
【０５０４】
上記第６実施形態においては、貯留部材１１１０を円盤状の回転体として構成したが、周囲に凹部１１１０Ａ〜１１１０Ｅを形成可能な回転体として構成可能な形状であれば、その正面形状が必ずしも円形である必要はない。なお、貯留部材１１１０の正面形状が円形でない場合であっても、貯留部材１１１０の中心軸を中心とする円における上方側の円弧部分に沿って誘導通路１１２２を設けることで、入口１１２１から貯留装置１１００に進入した遊技球を複数個待機させる機能を省スペースで実現することができる。
【０５０５】
上記第６実施形態においては、貯留部材１１１０は、円盤状の回転体に構成されて、凹部１１１０Ａ〜１１１０Ｄに遊技球が貯留される毎に、遊技球の重さによって右回り（時計回り）方向に回転される構成としたが、貯留部材が、凹部が左右方向に並ぶ、左または右下方向に直線的に延びる形状に構成され、凹部に遊技球が貯留される毎に、遊技球の重さによって左または右下方向に移動することで、各凹部の下側が一般入賞装置４３９Ｃ〜４３９Ｆの上方側に順次配置される構成としてもよい。かかる構成において、遊技者が入力操作装置２６４に対し押込操作を行った場合に、各凹部から遊技球を排出し、貯留部材を右または左上方向に移動させて初期状態に戻すようにすればよい。
【０５０６】
上記第６実施形態においては、５個目に貯留された遊技球（すなわち、凹部１１１０Ｅに貯留された遊技球）が、左回り方向（つまり、遊技球が貯留される場合における動作方向とは反対向き）に貯留部材１１１０が動作された後に排出される構成としたが、左回り方向に貯留部材１１１０が動作された後に排出される遊技球の数は、５個目に貯留された遊技球の１球だけでなく、２球以上であってもよいし、５個目に遊技球が貯留されない構成（すなわち、凹部１１１０Ｅを省略した構成）としてもよい。
【０５０７】
上記第６実施形態においては、５個目に貯留された遊技球（すなわち、凹部１１１０Ｅに貯留された遊技球）は、貯留部材１１１０が初期位置に戻ったことで排出口１１２７から排出される構成としたが、貯留部材１１１０が初期位置に戻る前の所定位置において凹部１１１０Ｅから排出される構成としてもよい。例えば、５個目に貯留された遊技球は、４つの一般入賞装置４３９Ｃ〜４３９Ｆのいずれに進入するようにしてもよく、又は、一般入賞装置４３９Ｃ〜４３９Ｆとは別に設けられた一般入賞装置に進入する構成としてもよい。
【０５０８】
上記第６実施形態においては、貯留部材１１１０の凹部１１１０Ａ〜１１１０Ｄに遊技球が貯留された状況を検知する検知スイッチを設け、遊技球の貯留状況に応じた制御を行ってもよく、貯留部材１１１０への遊技球の貯留に応じて主制御基板９２０から副制御基板９４０へ信号を出力し、遊技球の貯留された状況に応じて遊技球の排出操作を促すように、装飾図柄表示装置４７９によって「賞球獲得チャンス！」等の文字表示を行うなどの演出を実行してもよい。
【０５０９】
上記第６実施形態においては、貯留部材１１１０は、凹部１１１０Ａ〜１１１０Ｄに遊技球が貯留される毎に、遊技球の重さによって右回り方向に回転される構成としたが、貯留部材１１１０が、ステッピングモータやＤＣモータなどの駆動源によって電気的に回転駆動される構成であってもよい。この場合には、貯留部材１１１０の凹部１１１０Ａ〜１１１０Ｄに遊技球が貯留された状況を検知する検知スイッチを設け、当該検知スイッチを主制御基板９２０に接続し、当該検知スイッチによって遊技球の貯留が検知された場合に主制御基板９２０の制御によって駆動源を駆動制御して貯留部材１１１０を動作させてもよい。
【０５１０】
貯留部材１１１０が駆動源によって回転駆動される構成である場合、貯留部材１１１０を所定の速度で常時回転させるようにしてもよいし、貯留部材１１１０の周囲に形成された、凹部１１１０Ａなどと同様の凹部に遊技球が貯留される毎に、貯留部材１１１０を、隣接する凹部が開口１１２３に連通する位置となるまで回転させるようにしてもよい。
【０５１１】
貯留部材１１１０が駆動源によって所定速度で常時回転される構成である場合、例えば、貯留部材１１１０に、側面側の開口から複数の遊技球を貯留可能な１つの凹部を設けることで、入口１１２１を介して貯留装置１１００に進入した遊技球（より詳細には、誘導通路１１２２に待機する遊技球）を、進入の時期（進入のタイミング）を区別した状態で凹部内に貯留することが可能となる。
【０５１２】
上記第６実施形態においては、貯留部材１１１０によって、複数の凹部１１１０Ａ〜１１１０Ｄに１個ずつ遊技球が貯留される場合について説明したが、１の凹部に２以上の遊技球が貯留されるようにしてもよい。例えば、貯留部材１１１０（入口１１２１）への進入の時期を区別した状態で複数の遊技球を貯留可能な凹部を、当該凹部の開口から貯留部材１１１０の中心方向に延びた後、凹部に遊技球が貯留される毎に回転する方向側に屈曲する略Ｌ字型の形状とする等してもよく、凹部に貯留された複数の遊技球の各々が予め定めた回転角度に貯留部材１１１０が到達する毎に自重により下方に落下する構成としてもよい。すなわち、凹部の開口が排出口１１２４〜１１２７のいずれかに連通する位置に達する毎に、当該凹部内に進入の時期を区別した状態で貯留された遊技球が、各排出口１１２４〜１１２７から１つずつ順次排出される構成としてもよい。
【０５１３】
あるいは、貯留部材１１１０に対して裏側（パチンコ機１００の背面側）に、一般入賞装置４３９Ｃ〜４３９Ｆに通じる排出口と、排出規制機構とを設け、凹部に貯留された遊技球が貯留部材１１１０の裏側に進行して排出される構成としてもよい。例えば、貯留部材１１１０への進入の時期を区別した状態で、複数の遊技球を貯留可能な凹部を、当該凹部の開口から貯留部材１１１０の中心方向に延びる形状とし、当該凹部に進入した遊技球が、進入した順に、当該凹部の最奥側（回転中心に近い側）から順に開口側に向かって並んで貯留される構成とし、当該凹部の裏側の、最奥側に貯留された遊技球に対応する高さ位置と、開口側に対応する高さ位置とに、遊技球を排出可能な排出口を設けてもよい。これにより、進入の時期を区別した状態で凹部内に貯留された遊技球を、賞球数の異なる一般入賞装置に通じる複数の排出口から排出することが可能となる。
【０５１４】
上記第６実施形態においては、貯留部材１１１０の凹部１１１０Ａ〜１１１０Ｄには、それぞれ１個の遊技球が貯留される構成としたが、複数の遊技球が貯留される構成としてもよい。また、各凹部１１１０Ａ〜１１１０Ｄに貯留される遊技球の数を必ずしも一定にする必要はなく、各凹部１１１０Ａ〜１１１０Ｄに貯留可能な遊技球の数は凹部毎に複数種類設定されていてもよい。また、上記第７実施形態についても同様に、孔１２２０Ａ，１１２０Ｃに停留される遊技球の数は複数であってもよく、各孔１２２０Ａ，１２２０Ｃに停留可能な遊技球の数は孔毎に複数種類設定されていてもよい。
【０５１５】
上記第６実施形態においては、排出口１１２４〜１１２７に対して共通に作用する排出規制機構１１３０を設ける構成としたが、各排出口１１２４〜１１２７に対してそれぞれ排出規制機構１１３０を設ける構成としてもよい。また、上記第７実施形態についても同様に、各孔１２２０Ａ，１２２０Ｃに対してそれぞれ遊技球の停留と排出とを設定可能なシャッタ部材を設ける構成としてもよい。
【０５１６】
上記第６実施形態においては、貯留装置１１００に２個以上の遊技球が貯留された状態で当該２個以上の遊技球を排出した場合に、１個の遊技球が貯留された状態で当該１個の遊技球を排出する場合に比べて、遊技球１個当りに獲得し得る賞球の数が多くなる構成であった。つまり、上記第６実施形態では、遊技球１個当りに獲得し得る賞球の数を多くすることを可能にする貯留数の閾値が２である構成としたが、当該閾値は２以上の所定値であればよい。例えば、貯留装置１１００に２個の遊技球が貯留された状態で当該遊技球を排出した場合には、１個の遊技球が貯留された状態で当該１個の遊技球を排出する場合に比べて、遊技球１個当りに獲得し得る賞球の数が多くならないが、貯留装置１１００に３個以上の遊技球が貯留された状態で当該遊技球を排出した場合には、１個の遊技球が貯留された状態で当該１個の遊技球を排出する場合に比べて、遊技球１個当りに獲得し得る賞球の数が多くなるよう構成してもよい。
【０５１７】
上記第６実施形態においては、一般入賞装置４３９Ｃに対して５個の賞球が設定され、一般入賞装置４３９Ｄに対して１０個の賞球が設定され、一般入賞装置４３９Ｅ，４３９Ｆに対して１５個の賞球が設定される構成としたが、かかる賞球数の割り当ては一例であり、各一般入賞装置に対し適宜の賞球数を割り当ててもよいし、一部に賞球の払い出しがないアウト口を含む構成としてもよい。
【０５１８】
上記第６実施形態においては、貯留規制機構１１４０の可動片を貯留規制位置に維持する期間を、排出規制機構１１３０の可動片を排出許容位置に維持する期間に相当する期間（例えば、３秒）にする構成としたが、必ずしもそのようにする必要はなく、貯留規制機構１１４０の可動片を貯留規制位置に維持する期間を、排出規制機構１１３０の可動片を排出許容位置に維持する期間より長いまたは短い期間としてもよい。
【０５１９】
上記第６実施形態においては、入力操作装置２６４に対し押込操作が行われたことで、排出規制機構１１３０の可動片が排出許容位置に配置され、貯留規制機構１１４０の可動片が貯留規制位置に配置される構成としたが、入力操作装置２６４に対し押込操作が行われたタイミングに対して、排出規制機構１１３０の可動片が排出許容位置に配置される時期と、貯留規制機構１１４０の可動片が貯留規制位置に配置される時期とに時間差を設ける構成としてもよい。例えば、入力操作装置２６４に対し押込操作が行われた場合に、貯留規制機構１１４０の可動片が先に貯留規制位置に配置させるよう当該可動片を動作させた後、排出規制機構１１３０の可動片が排出許容位置に配置させるよう当該可動片を動作させる構成としてもよい。
【０５２０】
上記第６実施形態においては、入力操作装置２６４に対し押込操作が行われた場合に、貯留規制機構１１４０の可動片が貯留許容位置から貯留規制位置に切り替わる構成としたが、貯留規制機構１１４０の可動片が貯留許容位置から貯留規制位置に切り替わる契機は、必ずしも、入力操作装置２６４に対する押込操作に限る必要はない。例えば、開口１１２３を通過する遊技球を検出するセンサを設け、当該センサにより遊技球が検出された場合に、貯留規制機構１１４０の可動片を貯留許容位置から貯留規制位置に切り替え、その後、当該可動片を、貯留部材１１１０が凹部１１１０Ａ〜１１１０Ｅのうち次の凹部が開口１１２３に連通する位置まで回転する時間を考慮した期間だけ貯留規制位置に維持して、貯留許容位置に戻す構成としてもよい。
【０５２１】
上記第６実施形態においては、貯留部材１１１０への遊技球の貯留を規制する貯留規制機構１１４０を設ける構成としたが、かかる貯留規制機構１１４０を必ずしも設ける必要はなく、貯留規制機構１１４０を設けない構成としてもよい。
【０５２２】
上記第７実施形態においては、進入した遊技球を少なくとも一定時間停留させる部材として、一般入賞装置（図示せず）の入口部分（すなわち、入賞口）に遊技球を振り分ける機能を備えるクルーン１２２０を使用する構成としたが、クルーン１２２０に代えて、遊技球を左右方向に遊動させることが可能なステージ状の振分部材と、当該振分部材により振り分けられた遊技球を停留させるための部材とを組み合わせたものを使用する構成としてもよい。
【０５２３】
上記第７実施形態においては、球支持部材１２３０によって遊技球を停留可能な孔の１つを、最高の賞球数（１５個）が割り当てられた一般入賞装置４３９Ｉの入口部分として機能する孔１２２０Ｃとしたが、孔１２２０Ｃに代えて、中間の賞球数が割り当てられた一般入賞装置４３９Ｈの入口部分として機能する孔１２２０Ｂを停留可能な孔とする構成としてもよい。なお、できるだけ多くの賞球数が割り当てられた一般入賞装置の入口部分として機能する孔を停留可能とすることで、入力操作装置２６４に対し押込操作を行うことで停留された遊技球を排出させる遊技を多様化させて、遊技の興趣を向上させることができる。
【０５２４】
上記第７実施形態においては、球支持部材１２３０によって遊技球を停留可能な孔を、最低の賞球数（３個）が割り当てられた一般入賞装置４３９Ｇの入口部分として機能する孔１２２０Ａと、最高の賞球数（１５個）が割り当てられた一般入賞装置４３９Ｉの入口部分として機能する孔１２２０Ｃとしたが、孔１２２０Ａのみを停留可能とする構成としてもよい。かかる場合、遊技球が孔１２２０Ａに停留された場合には、後続の遊技球が孔１２２０Ｂまたは孔１２２０Ｃのいずれかに振り分けられることになるので、後続の遊技球によって最低より多くの賞球数を獲得することが可能となる。
【０５２５】
上記第７実施形態においては、孔１２２０Ａ，１２２０Ｃ内に停留した遊技球は、入力操作装置２６４に対する押込操作が行われたことで下流側に排出される構成としたが、孔１２２０Ａ，１２２０Ｃ内に停留した遊技球が一定時間毎に自動的に排出される構成としてもよい。
【０５２６】
上記第６および第７実施形態においては、各一般入賞装置４３９Ｃ〜４３９Ｆ，４３９Ｇ〜４３９Ｉの入賞口より下流側には、各入賞口に対し、１の一般入賞スイッチ４４９Ｃ〜４４９Ｆ，４４９Ｇ〜４４９Ｉを設ける構成としたが、割り当てられた賞球数が共通する複数の一般入賞装置について、それら複数の一般入賞装置の各入賞口に対し、共通する一般入賞スイッチを設ける構成としてもよい。かかる場合、賞球数が共通する複数の一般入賞装置を複数組に分け、各組に含まれる入賞口に対して共通する一般入賞スイッチを設ける構成としてもよい。
【０５２７】
上記第６実施形態においては、排出規制機構１１３０の排出規制により貯留部材１１１０に貯留された遊技球の排出口より下流側にて、一般入賞装置４３９Ｃ〜４３９Ｆの入口から分岐する通路を設け、遊技球が一般入賞装置に進入しない場合について説明したが、当該分岐する通路を閉塞して、貯留部材１１１０に貯留された遊技球が一般入賞装置に必ず進入するようにしてもよい。また、上記第７実施形態においては、球支持部材１２３０によりクルーン１２２０の孔１２２０Ａ〜１２２０Ｃに進入した遊技球が一般入賞装置に必ず進入する場合について説明したが、孔１２２０Ａ〜１２２０Ｃの入口より下流側にて、一般入賞スイッチが設けられる通路とは別の方向に分岐する分岐通路を設け、遊技球が一般入賞装置に進入しない場合が発生し得るようにしてもよい。
【０５２８】
上記第６および第７実施形態においては、貯留装置１１００または振分装置１２００の下方側には、遊技球が入賞した場合に当否抽選を受けることなく一定数の遊技球が賞球として払い出される一般入賞装置が配設される構成としたが、始動入賞装置など、遊技球が入賞した場合に一定数の遊技球が賞球として払い出されるだけでなく当否抽選を受ける入賞装置を配設する構成としてもよい。また、貯留装置１１００または振分装置１２００の下方側には、一般入賞装置が配設される構成としたが、これに代えて、又は、これに加えて、遊技球が進入した場合に、進入しなかった場合とは別の演出が装飾図柄表示装置４７９によって実行されるなど、遊技者に対して特別な表示による特典を付与する入賞口又は入球口を設けるようにしてもよい。
【０５２９】
上記第６および第７実施形態においては、貯留装置１１００または振分装置１２００を左側遊技領域に設ける構成としたが、当該構成に代えて、又は、当該構成に加えて、右側遊技領域など、遊技領域内の他の領域に貯留装置１１００または振分装置１２００を配置してもよく、例えば、左右の遊技領域に貯留装置１１００をそれぞれ設けてもよいし、左側遊技領域には振分装置１２００を設け、右側遊技領域には貯留装置１１００を設けてもよい。ここで、右打ち遊技手法では、遊技球の発射操作を変化させることが可能な範囲が限られていたり、遊技領域における遊技球の流下経路が限定的であったりして、遊技者の技量によることなく一定の賞球を獲得する単調な遊技になりがちであるものの、右側遊技領域に貯留装置１１００又は振分装置１２００を設けることにより、特別遊技状態中や、時短状態中においても、遊技者が所望したタイミングで遊技球の排出操作を行うことを可能にし、遊技の単調さを払拭し易くすることができる。
【０５３０】
上記第６および第７実施形態においては、貯留装置１１００または振分装置１２００は、中央構造体４２０とは別の独立した構造物として構成したが、中央構造体４２０の一部が、貯留装置１１００または振分装置１２００と同様の機能を有する構成であってもよい。
【０５３１】
（８）本発明を上記各実施形態とは異なるタイプのパチンコ機等に実施しても良い。例えば、一度大当りすると、それを含めて複数回（例えば２回、３回）大当り状態が発生するまで、大当り期待値が高められるようなパチンコ機として実施しても良い。また、大当り図柄が表示された後に、所定の領域に球が入賞することを必要条件として特別遊技状態となるパチンコ機として実施しても良い。また、球が循環する封入式のパチンコ機に実施しても良い。さらに、パチンコ機以外にも、アレンジボール型パチンコ、雀球等の各種遊技機として実施するようにしても良い。また、パチンコ機に限定されることはなく、スロットマシンに適用しても良く、パチンコ機とスロットマシンとを融合した形式のパロット等の遊技機に適用しても良い。
【０５３２】
＜上記各実施形態から抽出される発明＞
以下、上記した各実施形態から抽出される発明群の特徴について、必要に応じて課題及び効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０５３３】
＜特徴１０＞
遊技球が通過したことで所定の特典を付与する有利領域（左側中始動入賞装置４３１Ａ，右側中始動入賞装置４３１Ｂ）を備えた遊技機（パチンコ機１００）であって、
前記有利領域の上流側に設けられて、遊技球を複数の振分方向のいずれかに振り分ける振分手段（振分部６２０）と、
該振分手段と前記有利領域との間に形成され、前記振分手段により振り分けられた遊技球を、遊技機正面視における上側から下向きに誘導した後、遊技機正面視における奥向きに誘導することで前記有利領域に誘導可能な主球通路（主球通路６５２Ａ，６５２Ｂ，７５２）と、
該主球通路における遊技球の誘導方向が前記下向きから前記奥向きへと変化する通路部分にて前記主球通路から遊技機正面視における左または右側に分岐し、前記主球通路に進入した遊技球を前記有利領域とは異なる領域に誘導する従球通路（従球通路６５３Ａ，６５３Ｂ，６５３Ｃ，７５３Ａ，７５３Ｂ）と、
前記主球通路において前記奥向きに誘導される遊技球を検出可能な位置に設けられ、前記主球通路により誘導された遊技球が前記有利領域に進入したことを検出する検出手段（中始動入賞スイッチ４４１Ａ，４４１Ｂ，７４１）と、
を備え、
前記主球通路は、該主球通路における遊技球の誘導方向が前記下向きから前記奥向きへと変化する通路部分に設けられて、水平方向に対する遊技球の誘導角度が下流側に向かうに従って小さくなるよう変化する傾斜（傾斜面６１２Ａ）を有する誘導部（誘導部６１２）を備えていることを特徴とする遊技機。
【０５３４】
遊技機の代表例としてパチンコ機がある。従来の典型的なパチンコ機において、遊技領域に設けられた始動口に入球した場合に、その入球に応じて抽選を行い、当該抽選において大当りに当選した場合に、特別遊技状態となって多数の遊技球が入賞口へ入球可能となる構成が知られている。また、かかるパチンコ機は表示装置を備えており、当該表示装置では、上記抽選が行われたことに基づいて図柄の変動表示が開始され、当該変動表示の最終的な停止表示として上記抽選結果に応じた停止結果が表示される。
【０５３５】
また、従来のパチンコ機には、遊技球が、表示装置にて図柄の変動表示が行われている最中に始動口に入球した場合、大当りの抽選に用いる当り情報が予め定められた所定数（例えば、４個）を上限として保留記憶されるよう構成されたものがある。このとき、保留記憶された当り情報は、図柄の変動表示が終了した後に、大当りか否かの抽選に供され、それに伴って次回の図柄の変動表示が開始される。
【０５３６】
近年では、複数の始動口（例えば、２つの始動口）を設け、始動口毎に、当り情報を各始動口に対して許容される上限数まで保留記憶可能にした遊技機が知られている。そのような遊技機において、複数の始動口の各々に接続された複数の分岐通路と、所定の入口から進入した遊技球をこれら分岐通路のいずれかに振り分ける振分手段とを備えた入賞装置を用いることが知られている（例えば、特開２０１６−２２１４７号公報参照）。
【０５３７】
しかしながら、上記従来の遊技機における始動口のように、振分手段によって振り分けられた遊技球が通過することで所定の特典を付与する有利領域を備えた遊技機について未だ改良の余地があった。例えば、近年では、興趣向上のために表示装置などが大型化される傾向にあるため、遊技領域を十分に確保できるよう、入賞装置など、遊技領域に配設される各種構造物の小型化が望まれている。従来、遊技球を複数の振分方向のいずれかに振り分ける振分手段を含む入賞装置は、例えば、特開２０１６−２２１４７号公報に開示される作動入球ユニット（入賞装置）のように、遊技機正面視における上下方向に延びる分岐通路の下流側に検知センサ（検出手段）が配設されているために、上下方向のサイズ縮小には限界があった。また、小型化された入賞装置が、好適な興趣を提供できることが望まれている。
【０５３８】
これに対し、特徴１０に記載の遊技機であれば、遊技球が有利領域に進入したことを検出する検出手段が、振分手段と有利領域との間に形成された主球通路において遊技機正面視における奥向きに誘導される遊技球を検出可能な位置に設けられているので、遊技機正面視の上下方向に延びる通路の下方に検出手段を設ける場合に比べ、主球通路、従球通路、振分手段、有利領域および検出手段を含む入賞装置として機能するユニットの上下方向のサイズを小さくすることができる。当該ユニットのサイズが小さくなった分、遊技領域を大きく確保することが可能となる。
【０５３９】
また、特徴１０に記載の遊技機であれば、主球通路から分岐して、主球通路に進入した遊技球を有利領域とは異なる領域に誘導する従球通路を備えているので、振分手段により振り分けられて主球通路に進入した遊技球が必ずしも有利領域を通過しないことになり、遊技に意外性を付与することができ、遊技の単調化を抑制できる。
【０５４０】
特に、主球通路は、遊技球の誘導方向が遊技機正面視における下向きから奥向きへと変化する通路部分に、水平方向に対する遊技球の誘導角度が下流側に向かうに従って小さくなるよう変化する誘導部を備えている。そのため、主球通路に進入した遊技球は、前記通路部分において、下向きの流下方向が、誘導部を流下するにつれて次第に奥向きへと変化する。よって、主球通路を流下する遊技球は、誘導方向が下向きから奥向きへと変化する通路部分において、スムースに奥側へと流れるようになる。
【０５４１】
その一方で、従球通路は、主球通路における遊技球の誘導方向が下向きから奥向きへと変化する通路部分にて、当該主球通路から遊技機正面視における左または右側に分岐する球通路であるので、誘導部によって遊技球が奥側へスムースに流れるようになったことで、従球通路への遊技球の進入が抑制される。よって、主球通路に振り分けられた遊技球が有利領域に進入する確率が好適に向上する。
【０５４２】
これにより、主球通路から分岐する従球通路を設けたことで遊技の単調化を抑制しつつも、従球通路を設けたにもかかわらず有利領域への進入確率を好適に担保できるので、主球通路、従球通路、振分手段、有利領域および検出手段を含む入賞装置を、好適な興趣を付与可能に小型化されたものとして提供することができる。
【０５４３】
また、主球通路において遊技球が奥側へとスムースに流れるようになったことで、振分手段による振り分けによって主球通路に振り分けられた遊技球が、検出手段によって検出されるまでのタイムラグを好適に短くできる。これにより、上側から下向きに遊技球を誘導した後、該遊技球を奥向きに誘導する主球通路を含む入賞装置において、遊技球が主球通路に振り分けられてから検出手段により検出されるまでのタイムラグが大きくなって遊技のテンポが悪くなることを好適に抑制できる。
【０５４４】
なお、特徴１０において「水平方向に対する遊技球の誘導角度が下流側に向かうに従って小さくなるよう変化する傾斜」とは、下流側に向かう従って連続的に誘導角度が小さくなる曲線であってもよいし、下流側に向かう従って段階的に誘導角度が小さくなる、傾斜の異なる直線からなる折れ線であってもよい。
【０５４５】
なお、上述した特徴１０に記載の遊技機に代えて、以下のように記載した特徴を有する構成としてもよい。
【０５４６】
遊技球が前面側を流下する遊技板（遊技盤４００）と、該遊技板の前面側に設けられた入口（入口６１１）から進入した遊技球を、通過したことで所定の特典を付与する有利領域（左側中始動入賞装置４３１Ａ，右側中始動入賞装置４３１Ｂ）へ誘導可能な入賞装置（中始動入賞装置４３１，７３１）と、を備えた遊技機（パチンコ機１００）であって、
前記入賞装置は、
該入賞装置の入口から進入した遊技球を複数の振分方向のいずれかに振り分ける振分手段（振分部６２０）と、
該振分手段により振り分けられた遊技球を、遊技機正面視における上側から下向きに誘導した後、遊技機正面視における奥向きに誘導することで、前記有利領域に誘導する主球通路（主球通路６５２Ａ，６５２Ｂ，７５２）と、
該主球通路における遊技球の誘導方向が前記下向きから前記奥向きへと変化する通路部分にて前記主球通路から遊技機正面視における左または右側に分岐し、前記主球通路に進入した遊技球を前記有利領域とは異なる領域に誘導する従球通路（従球通路６５３Ａ，６５３Ｂ，６５３Ｃ，７５３Ａ，７５３Ｂ）と、
を備え、
前記遊技機は、
前記主球通路において前記奥向きに誘導される遊技球を検出可能な位置に設けられ、前記主球通路により誘導された遊技球が前記有利領域に進入したことを検出する検出手段（中始動入賞スイッチ４４１Ａ，４４１Ｂ，７４１）を備え、
前記主球通路は、該主球通路における遊技球の誘導方向が前記下向きから前記奥向きへと変化する通路部分に設けられて、水平方向に対する遊技球の誘導角度が下流側に向かうに従って小さくなるよう変化する傾斜（傾斜面６１２Ａ）を有する誘導部（誘導部６１２）を備えていることを特徴とする遊技機。
【０５４７】
上記遊技機によれば、特徴１０に記載の遊技機と同様の効果を奏することができる。
【０５４８】
＜特徴１１＞
特徴１０に記載の遊技機であって、
前記主球通路は、遊技球を前記上側から前記下向きに誘導する通路部分内の前記奥側に、該通路部分を流下する遊技球が衝突可能に突出して形成され、衝突した遊技球を、前記誘導部における前記誘導角度が所定角度より大きい部分に案内可能な突起部（突起部６３４）を備えていることを特徴とする遊技機。
【０５４９】
上側から下向きに遊技球を誘導した後、該遊技球を奥向きに誘導する主球通路を備える入賞装置において、主球通路を上側から下向きに流下する遊技球が、当該主球通路の奥側に寄って流下した場合、そのように流下する遊技球は、誘導部の下流側、つまり、遊技球の誘導角度が小さい部分に落下し、それにより、遊技球の誘導方向が下向きから奥向きへと変化する通路部分において、誘導部による遊技球の誘導角度が下向きから急激に奥向きに変化して、遊技球が奥側へとスムースに流れない可能性がある。
【０５５０】
これに対し、特徴１１に記載の遊技機であれば、主球通路における遊技球を上側から下向きに誘導する通路部分内の奥側には、該通路部分を流下する遊技球が衝突可能に突出する突起部が形成されている。かかる突起部は、該突起部に衝突した遊技球を、誘導部における誘導角度が所定角度より大きい部分に案内することができる。これにより、主球通路における遊技球の誘導方向が下向きから奥向きへと変化する通路部分において、遊技球が奥側へとスムースに流れるよう、誘導部を好適に機能させることができる。よって、遊技球の誘導方向が下向きから奥向きへと変化する通路部分において、遊技球の誘導方向が下向きから急激に奥向きに変化する状況の発生が抑制され、それによって、遊技球が奥側へとスムースに流れない状況の発生を好適に抑制できる。
【０５５１】
＜特徴１２＞
特徴１０または１１に記載の遊技機であって、
前記誘導部の傾斜は、前記主球通路の左または右側から、該主球通路から分岐する前記従球通路の入口部を見たときに、前記入口部の周縁に対して外方に位置することを特徴とする遊技機。
【０５５２】
特徴１２に記載の遊技機であれば、前記主球通路の左または右側から、該主球通路から分岐する前記従球通路の入口部を見たときに、前記誘導部の傾斜が入口部の周縁に対して外方に位置する。よって、誘導部に支持されて奥側へと誘導される遊技球は、主球通路の左または右側から従球通路の入口部を見たときに、その一部が、当該入口部の周縁より外方を通過することになる。これにより、誘導部に支持されて主球通路を奥側へと誘導される遊技球が、入口部を経て従球通路に進入することを好適に抑制できる。
【０５５３】
＜特徴１３＞
特徴１０から１２のいずれかに記載の遊技機であって、
前記主球通路は、該主球通路から分岐する前記従球通路の入口部と前記誘導部との間に形成された凹部（凹部６６２）を備え、
前記誘導部から前記入口部の側に寄って該入口部の周縁と前記誘導部とにより支持される遊技球は、該遊技球の一部が、前記誘導部のみで支持される場合に比べて前記凹部に落ち込むことを特徴とする遊技機。
【０５５４】
特徴１３に記載の遊技機であれば、主球通路は、当該主球通路から分岐する従球通路の入口部と誘導部との間に形成された凹部を備えている。誘導部から入口部の側に寄って該入口部の周縁と誘導部とにより支持される遊技球は、該遊技球の一部が、誘導部のみで支持される場合に比べて凹部に落ち込むので、誘導部のみで支持される遊技球が、入口部から従球通路へ排出されるためには、遊技球が凹部に一旦落ち込んだ後に、入口部を超えるために凹部から離れる方向に動く必要がある。よって、誘導部により誘導される遊技球が、入口部を経て従球通路に進入することを好適に抑制できる。
【０５５５】
＜特徴１４＞
特徴１０から１３のいずれかに記載の遊技機であって、
前記主球通路は、遊技機正面視における左右に複数設けられ、各々の前記主球通路には、異なる価値の前記特典を付与可能な前記有利領域が通じており、
前記振分手段は、前記複数の主球通路のいずれかに球を振り分け、
前記検出手段は、遊技球を検出する検出部（検出部Ｊ１）と、該検出部からの出力に基づいて遊技球を検出したことを示す検出信号を出力する回路部（回路部Ｊ２）とを有し、前記検出部と前記回路部とが長手方向に並べて配設されており、
前記検出手段は、前記複数の主球通路の各々に、前記主球通路に対する前記奥側に配設され、いずれの前記主球通路においても、前記検出部が、前記主球通路により前記奥側に誘導される遊技球を検出可能な位置に配置され、前記回路部が、前記検出部に対して前記上側に位置するとともに、前記主球通路において遊技球を前記上側から下向きに誘導する通路部分の裏側に位置するよう配置されていることを特徴とする遊技機。
【０５５６】
特徴１４に記載の遊技機であれば、振分手段による振り分け先となる複数の主球通路のそれぞれに、検出部と回路部とが長手方向に並べて配設された検出手段が、当該主球通路の奥側に配設される。具体的に、各主球通路に配設される検出手段は、検出部が、主球通路により奥側に誘導される遊技球を検出可能な位置に配置され、回路部が、検出部に対して上側であって、主球通路において遊技球を上側から下向きに誘導する通路部分の裏側に位置するよう配置されている。よって、振分手段により振り分けられた遊技球を上側から下向きに誘導した後で奥向きに誘導する主球通路の構成において、遊技球を上側から下向きに誘導する通路部分の裏側に形成される空間に、検出手段における回路部を配置することで当該空間を有効に利用できる。これにより、入賞装置と検出手段とを含むユニットのサイズを上下方向でなく奥行き方向にも好適に小型化することができる。
【０５５７】
＜特徴２０＞
遊技球が通過したことで所定の特典を付与する有利領域（左側中始動入賞装置４３１Ａ，右側中始動入賞装置４３１Ｂ）を備えた遊技機（パチンコ機１００）であって、
前記有利領域の上流側に設けられて、遊技球を複数の振分方向のいずれかに振り分ける振分手段（振分部６２０）と、
該振分手段と前記有利領域との間に形成され、前記振分手段により振り分けられた遊技球を前記有利領域に誘導可能な主球通路（主球通路６５２Ａ，６５２Ｂ，７５２）と、
該主球通路から遊技機正面視における左または右側に分岐し、前記主球通路に進入した遊技球を前記有利領域とは異なる領域に誘導する従球通路（従球通路６５３Ａ，６５３Ｂ，６５３Ｃ，７５３Ａ，７５３Ｂ）と、
前記主球通路により誘導された遊技球が前記有利領域に進入したことを検出する検出手段（中始動入賞スイッチ４４１Ａ，４４１Ｂ，７４１）と、
を備え、
前記主球通路から分岐する前記従球通路の入口部（入口部６５４Ａ１，６５４Ａ２，６５４Ｂ１，６５４Ｂ２，７５４Ａ，７５４Ｂ）は、該入口部と前記主球通路とを左または右側から見たときに、前記主球通路を通過する遊技球を誘導する該主球通路の周縁に対して該主球通路の内側に相当する所定方向にオフセットされた位置に形成されていることを特徴とする遊技機。
【０５５８】
遊技機の代表例としてパチンコ機がある。従来の典型的なパチンコ機において、遊技領域に設けられた始動口に入球した場合に、その入球に応じて抽選を行い、当該抽選において大当りに当選した場合に、特別遊技状態となって多数の遊技球が入賞口へ入球可能となる構成が知られている。また、かかるパチンコ機は表示装置を備えており、当該表示装置では、上記抽選が行われたことに基づいて図柄の変動表示が開始され、当該変動表示の最終的な停止表示として上記抽選結果に応じた停止結果が表示される。
【０５５９】
また、従来のパチンコ機には、遊技球が、表示装置にて図柄の変動表示が行われている最中に始動口に入球した場合、大当りの抽選に用いる当り情報が予め定められた所定数（例えば、４個）を上限として保留記憶されるよう構成されたものがある。このとき、保留記憶された当り情報は、図柄の変動表示が終了した後に、大当りか否かの抽選に供され、それに伴って次回の図柄の変動表示が開始される。
【０５６０】
近年では、複数の始動口（例えば、２つの始動口）を設け、始動口毎に、当り情報を各始動口に対して許容される上限数まで保留記憶可能にした遊技機が知られている。そのような遊技機において、複数の始動口の各々に接続された複数の分岐通路と、所定の入口から進入した遊技球をこれら分岐通路のいずれかに振り分ける振分手段とを備えた入賞装置を用いることが知られている（例えば、特開２０１６−２２１４７号公報参照）。
【０５６１】
しかしながら、上記従来の遊技機における始動口のように、振分手段によって振り分けられた遊技球が通過することで所定の特典を付与する有利領域を備えた遊技機について未だ改良の余地があった。例えば、前記振分手段と前記有利領域とを含む入賞装置において、より好適な興趣を提供できることが望まれている。
【０５６２】
これに対し、特徴２０に記載の遊技機であれば、主球通路から分岐して、主球通路に進入した遊技球を有利領域とは異なる領域に誘導する従球通路を備えているので、振分手段により振り分けられて主球通路に進入した遊技球が必ずしも有利領域を通過しないことになり、遊技に意外性を付与することができ、遊技の単調化を抑制できる。
【０５６３】
特に、主球通路から分岐する従球通路の入口部は、当該入口部と前記主球通路とを左または右側から見たときに、該主球通路による遊技球の誘導方向に沿った該主球通路の周縁に対して誘導方向に交差する向きに相当する所定方向にオフセットされた位置に形成されているので、それと同じ方向から見たときに、主球通路により誘導される遊技球が入口部から従球通路へと進入するためには、遊技球は、主球通路に対する従球通路の分岐方向（すなわち、左または右向き）への移動だけでなく、入口部がオフセットされている所定方向（すなわち、入口部と主球通路とを左または右側から見たときに、主球通路を通過する遊技球を誘導する該主球通路の周縁に対して該主球通路の内側に相当する方向）への移動が必要となる。よって、主球通路を流下する遊技球は、入口部を介して従球通路へ進入し難くなるため、主球通路に振り分けられた遊技球が、従球通路に進入することなく有利領域に進入する確率が好適に向上する。
【０５６４】
これにより、主球通路から分岐する従球通路を設けたことで遊技の単調化を抑制しつつも、従球通路を設けたにもかかわらず有利領域への進入確率を好適に担保できるので、主球通路、従球通路、振分手段、有利領域および検出手段を含む入賞装置を、より好適な興趣を付与可能なものとして提供することができる。
【０５６５】
なお、特徴２０において「主球通路の周縁」とは、遊技球が実質的に通過可能な空間の境界を意図する。よって、「主球通路の周縁」は、遊技球が通過する空間の周囲を囲う壁面に限られない。つまり、遊技球が通過する空間の周囲を囲う壁面に形成されたリブなどの凸部によって、遊技球が実質的に通過可能な空間が規定される場合、かかる凸部によって支持された遊技球の外形により規定される、遊技球が実質的に通過可能な空間における仮想的な境界が「主球通路の周縁」である。
【０５６６】
なお、上述した特徴２０に記載の遊技機に代えて、以下のように記載した特徴を有する構成としてもよい。
【０５６７】
遊技球が前面側を流下する遊技板（遊技盤４００）と、該遊技板の前面側に設けられた入口（入口６１１）から進入した遊技球を、通過したことで所定の特典を付与する有利領域（左側中始動入賞装置４３１Ａ，右側中始動入賞装置４３１Ｂ）へ誘導可能な入賞装置（中始動入賞装置４３１，７３１）と、を備えた遊技機（パチンコ機１００）であって、
前記入賞装置は、
該入賞装置の入口から進入した遊技球を複数の振分方向のいずれかに振り分ける振分手段（振分部６２０）と、
該振分手段により振り分けられた遊技球を前記有利領域に誘導する主球通路（主球通路６５２Ａ，６５２Ｂ，７５２）と、
該主球通路から遊技機正面視における左または右側に分岐し、前記主球通路に進入した遊技球を前記有利領域とは異なる領域に誘導する従球通路（従球通路６５３Ａ，６５３Ｂ，６５３Ｃ，７５３Ａ，７５３Ｂ）と、
を備え、
前記遊技機は、
前記主球通路により誘導された遊技球が前記有利領域に進入したことを検出する検出手段（中始動入賞スイッチ４４１Ａ，４４１Ｂ，７４１）を備え、
前記主球通路から分岐する前記従球通路の入口部（入口部６５４Ａ１，６５４Ａ２，６５４Ｂ１，６５４Ｂ２，７５４Ａ，７５４Ｂ）は、該入口部と前記主球通路とを左または右側から見たときに、前記主球通路を通過する遊技球を誘導する該主球通路の周縁に対して該主球通路の内側に相当する所定方向にオフセットされた位置に形成されていることを特徴とする遊技機。
【０５６８】
上記遊技機によれば、特徴２０に記載の遊技機と同様の効果を奏することができる。
【０５６９】
＜特徴２１＞
特徴２０に記載の遊技機であって、
前記主球通路は、該主球通路と前記入口部とを左または右側から見た場合における前記入口部のオフセット方向である前記所定方向の側に、該通路部分を流下する遊技球が衝突可能に突出して形成され、衝突した遊技球を、前記所定方向とは反対側の方向に案内可能な、前記入口部より上流側に形成された突起部（突起部６３４）を備え、
前記入口部は、該入口部と前記主球通路とを左または右側から見たときに、前記主球通路の一部に大きく重なるように形成されていることを特徴とする遊技機。
【０５７０】
特徴２１に記載の遊技機であれば、主球通路には、主球通路から従球通路が分岐する入口部より上流側であって、該入口部と主球通路とを左または右側から見た場合における該入口部のオフセット方向（所定方向）の側には、該主球通路を流下する遊技球が衝突可能に突出する突起部が形成されている。かかる突起部は、当該突起部に衝突した遊技球を、前記所定方向（すなわち、入口部がオフセットされた方向）とは反対側の方向に案内することができる。これにより、従球通路への遊技球の進入がより難しくなるので、主球通路を流下する遊技球が有利領域に進入する確率を好適に向上させることができる。
【０５７１】
特に、入口部は、該入口部と主球通路とを左または右側から見たときに、主球通路の一部に大きく重なるように形成されているので、その分、主球通路、従球通路、振分手段、有利領域および検出手段を含む入賞装置をコンパクトに構成することができる。よって、そのような入賞装置をコンパクトにしながら、主球通路を流下する遊技球が有利領域に進入する確率を好適に向上させることができる。
【０５７２】
なお、特徴２１において、入口部が「該入口部と前記主球通路とを左または右側から見たときに該主球通路に重なる主球通路」とは、入口部と主球通路とを左または右側から見たときに、当該入口部と主球通路とが重なる場合に限らず、両者がほぼ重なる場合を含むことを意図する。入口部と主球通路を左または右側から主球通路見たときに、当該入口部が主球通路に重なる割合は、略７０％以上であることが良く、略８０％以上であることが好ましく、略９０％以上であることが好適である。
【０５７３】
＜特徴２２＞
特徴２０または２１に記載の遊技機であって、
遊技球が前面側を流下する遊技板（遊技盤４００）を備え、
前記入口部は、該入口部を左または右側から見たときに、前記遊技板の前面に対して前記奥側にオフセットされた位置に配置され、
前記従球通路は、前記遊技板の前面に遊技球を案内することを特徴とする遊技機。
【０５７４】
特徴２２に記載の遊技機であれば、入口部が、該入口部を左または右側から見たときに、遊技板の前面に対して前記奥側にオフセットされた位置に配置されているので、遊技板の前面を流下する遊技球が、誤って従球通路に進入したとしても、その遊技球が従球通路から主球通路に進入するには、従球通路を奥側に向けて逆流した上で入口部を経る必要がある。そのため、遊技板の前面を流下する遊技球が従球通路経由で主球通路に進入することは困難であり、遊技球が、入口を経由することなく有利領域を通過してしまう事象の発生を抑制できる。
【０５７５】
＜特徴３０＞
遊技球を検出可能な検出部（中始動入賞スイッチ４４１Ａ，４４１Ｂ）と、該検出部により遊技球が検出されたことに基づいて、遊技球を検出した前記検出部に応じた特典（第１特別図柄抽選、第２特別図柄抽選）を付与する特典付与手段（主制御基板９２０）と、を備えた遊技機（パチンコ機１００）であって、
所定の振分用入口（入口６１１）に進入した遊技球を複数の振り分け先のいずれかに振り分け可能に構成されるとともに、遊技球が前記複数の振り分け先のうち第１の振り分け先に振り分けられた場合に、次回の振り分け先を、前記複数の振り分け先のうち前記第１の振り分け先とは異なる第２の振り分け先に設定する振分手段（振分部６２０）と、
該振分手段の下流側であって前記第１の振り分け先に設けられ、少なくとも１の前記検出部まで延びる主球通路（主球通路６５２Ａ，６５２Ｂ）と、
前記主球通路における前記検出部より上流側にて前記主球通路から分岐し、前記検出部とは異なる領域に遊技球を案内する従球通路（従球通路６５３Ａ，６５３Ｂ，６５３Ｃ）と、
前記主球通路から前記従球通路に進入した遊技球により作動する作動部（振分先変更レバー８１０）と、
前記振分手段が前記第２の振り分け先に遊技球を振り分ける状態において前記作動部が作動したことに基づいて前記振分手段に作用し、該第２の振り分け先とは別の振り分け先であって、前記主球通路によって進入可能な前記少なくとも１の検出部に応じた特典を付与可能な振り分け先に変更可能な振分変更手段（リンク機構８２０）と、
を備えていることを特徴とする遊技機。
【０５７６】
遊技機の代表例としてパチンコ機がある。従来の典型的なパチンコ機において、遊技領域に設けられた始動口に入球した場合に、その入球に応じて抽選を行い、当該抽選において大当りに当選した場合に、特別遊技状態となって多数の遊技球が入賞口へ入球可能となる構成が知られている。また、かかるパチンコ機は表示装置を備えており、当該表示装置では、上記抽選が行われたことに基づいて図柄の変動表示が開始され、当該変動表示の最終的な停止表示として上記抽選結果に応じた停止結果が表示される。
【０５７７】
また、従来のパチンコ機には、遊技球が、表示装置にて図柄の変動表示が行われている最中に始動口に入球した場合、大当りの抽選に用いる当り情報が予め定められた所定数（例えば、４個）を上限として保留記憶されるよう構成されたものがある。このとき、保留記憶された当り情報は、図柄の変動表示が終了した後に、大当りか否かの抽選に供され、それに伴って次回の図柄の変動表示が開始される。
【０５７８】
近年では、複数の始動口（例えば、２つの始動口）を設け、始動口毎に、当り情報を各始動口に対して許容される上限数まで保留記憶可能にした遊技機が知られている。そのような遊技機において、複数の始動口の各々に接続された複数の分岐通路と、所定の入口から進入した遊技球をこれら分岐通路のいずれかに振り分ける振分手段とを備えた入賞装置を用いることが知られている（例えば、特開２０１６−２２１４７号公報参照）。
【０５７９】
しかしながら、上記従来の遊技機のように、振分手段によって振り分けられた遊技球が通過することで所定の特典を付与する有利領域を備えた遊技機について未だ改良の余地があった。例えば、振り分け手段によって遊技球が振り分けられる主球通路において、有利領域より上流側に、該遊技領域とは異なる領域に遊技球を案内する従球通路が分岐して設けられている場合、振り分けられた遊技球が必ずしも有利領域に到達しないため、意外性を遊技に付与することができるが、振り分けられた遊技球が必ずしも有利領域に到達しないために、遊技者が獲得し得る特典に偏りが出やすい。そのため、遊技者は、獲得した特典が特定の検出部に応じた特典に集中したことで遊技を単調に感じたり、有利度が比較的低い特典ばかり獲得したことで遊技に不満を覚えたりする虞がある。
【０５８０】
これに対し、特徴３０に記載の遊技機であれば、所定の振分用入口に進入した遊技球を複数の振り分け先のいずれかに振り分け可能に構成されるとともに、遊技球が、それら複数の振り分け先のうち第１の振り分け先に振り分けられた場合に、次回の振り分け先を、前記複数の振り分け先のうち、第１の振り分け先とは異なる第２の振り分け先に設定する。
【０５８１】
該振分手段の下流側であって第１の振り分け先には、主球通路が設けられている。該主球通路は、少なくとも１の検出部まで延びており、振分手段による振り分けによって主球通路に進入した遊技球が検出部により検出されると、特典付与手段により遊技球を検出した前記検出部に応じた特典が付与される。
【０５８２】
主球通路における検出部より上流側には、該主球通路から分岐して検出部とは異なる領域に遊技球を案内する従球通路が設けられている。よって、振分手段により振り分けられて主球通路に進入した遊技球が必ずしも検出部により検出されないことになり、遊技に意外性を付与することができ、遊技の単調化を抑制できる。
【０５８３】
また、主球通路から従球通路に遊技球が進入した場合、該遊技球によって作動部が作動する。振分手段が第２の振り分け先に遊技球を振り分ける状態において作動部が作動した場合には、当該作動部の作動に基づいて振分手段に作用する振分変更手段によって、振分手段による次回の振り分け先を、第２の振り分け先とは別の振り分け先であって、主球通路によって進入可能な前記少なくとも１の検出部に応じた特典を付与可能な振り分け先に変更することができる。
【０５８４】
これにより、今回の振り分け先（第１の振り分け先）であった主球通路によって獲得可能であったものの、遊技球が従球通路に進入したことで獲得機会が失われた特典について、その特典を獲得する機会を振分変更手段によって再度得ることができる。よって、主球通路に従球通路を設けたことで好適な興趣を付与可能にしつつ、遊技者が獲得し得る特典に偏りが生じることを抑制できる。
【０５８５】
なお、特徴３０に記載の「検出部に応じた特典」としては、検出部によって検出された場合に複数の特典が付与される場合における一部の特典であっても良いし、全ての特典であっても良い。また、検出部に応じた特典としては、複数の検出部に対応して所定の上限数まで保留記憶可能な乱数値記憶手段が別々に設けられている場合における、乱数値記憶手段が異なるが、抽選条件など、他の特典が同一の場合を含む。また、検出部に応じた特典としては、抽選条件、抽選確率、抽選に当選した場合に発生する特別遊技状態、遊技球の払出数などが例示される。
【０５８６】
また、特徴３０に記載の「次回の振り分け先」としては、遊技球の通過によって機械的に動作することで設定される次回の振り分け先であってもよいし、一定時間が経過したことに基づき、遊技球の進入有無にかかわらず動作することで設定される次回の振り分け先であってもよい。
【０５８７】
また、特徴３０に記載の「…振り分け先に変更可能な振分変更手段」は、作動部の作動に基づいて振分手段が作用した場合には、作用しなかった場合に比べて、別の振り分け先に変更された状態となり易ければよい。すなわち、当該作用によって別の振り分け先に変更した後に次の遊技球が当該別の振り分け先に進入するまで状態が維持されても良いし、別の振り分け先に変更した後に一定時間が経過するなど他の条件成立によって次の遊技球が当該別の振り分け先に進入しなくても当該別の振り分け先とは異なる他の振り分け先に振分手段が設定されてもよい。
【０５８８】
＜特徴３１＞
特徴３０に記載の遊技機であって、
前記振分手段は、前記複数の振り分け先の各々に遊技球を振り分け可能な各状態をとるよう動作可能に構成され、
前記作動部は、前記主球通路から前記従球通路に進入した遊技球が当接した場合に、該遊技球の進行方向に動くよう設けられた可動部（従球通路の出口に設けられた復帰レバー）により構成され、
前記振分変更手段は、前記可動部の動作によって前記振分手段を動作可能に設けられた機械的なリンク手段（リンク機構）により構成され、
前記リンク手段は、前記主球通路から前記従球通路に進入した遊技球に基づき前記可動部が動いた場合に、前記振分手段の状態が前記第１の振り分け先となるよう前記振分手段を動作させるよう構成されていることを特徴とする遊技機。
【０５８９】
特徴３１に記載の遊技機であれば、作動部は、主球通路から従球通路に進入した遊技球が当接することで、該遊技球の進行方向に動くよう設けられた可動部として構成される。該可動部が主球通路から従球通路に進入した遊技球に基づいて動いた場合に、機械的なリンク手段により構成される振分変更手段によって、その状態が今回の振り分け先である第１の振分先となるよう振分手段が動作される。よって、振分手段による次回の振り分け先が、再度、第１の振り分け先（今回の振り分け先）となるため、遊技者が獲得し得る特典に偏りが生じることを好適に抑制できる。また、機械的なリンク手段によって振り分け先の変更が行われるので、制御負荷を抑制しつつ、遊技者が獲得し得る特典に偏りが生じることを抑制できる。
【０５９０】
＜特徴４０＞
操作部（発射ハンドル２５２）の操作量に応じた強度で遊技球を発射可能な発射手段（発射装置３３０）と、該発射手段により発射された遊技球が流下する遊技領域（遊技盤４００）と、遊技球を検出可能な検出部（中始動入賞スイッチ４４１Ａ，４４１Ｂ，７４１）と、該検出部により遊技球が検出されたことに基づき、遊技球を検出した前記検出部に応じた特典（第１特別図柄抽選、第２特別図柄抽選）を付与する特典付与手段（主制御基板９２０）と、を備えた遊技機（パチンコ機１００）であって、
前記遊技領域のうち前記操作部の操作量を第１操作量とした場合に遊技球が進入可能な第１遊技領域（左側遊技領域）に設けられる振分用入口（入口６１１）に進入した遊技球を複数の振り分け先のいずれかに振り分け可能に構成されるとともに、遊技球が前記複数の振り分け先のうち第１の振り分け先に振り分けられた場合に、次回の振り分け先を、前記複数の振り分け先のうち前記第１の振り分け先とは異なる第２の振り分け先に設定する振分手段（振分部６２０）と、
該振分手段の下流側であって前記第１の振り分け先に設けられ、前記検出部のうち前記特典付与手段によって第１の特典（第１特別図柄抽選）が付与される第１の検出部まで延びる第１球通路（主球通路６５２Ａ）と、
前記振分手段の下流側であって前記第２の振り分け先に設けられ、前記検出部のうち前記特典付与手段によって前記第１の特典とは異なる第２の特典（第２特別図柄抽選）が付与される第２の検出部まで延びる第２球通路（主球通路６５２Ｂ）と、
前記振分用入口とは異なる位置に設けられる遊技球の通過口であって、前記第２の検出部または前記第２の特典を付与する他の検出部（右始動入賞スイッチ４４２）により検出される通過口（右始動入賞装置４３２の入口部分）と、
前記遊技領域のうち前記操作部の操作量を第２操作量とした場合に遊技球が進入可能な第２遊技領域（右側遊技領域）に設けられた振り分け先変更用入口（右始動入賞装置４３２の入口部分）と、
前記振り分け先変更用入口を通過した遊技球により作動する作動部（振分先変更レバー８５０）と、
前記振分手段が前記第２の振り分け先に遊技球を振り分ける状態において前記作動部が作動したことに基づいて前記振分手段に作用し、該第２の振り分け先とは別の振り分け先であって、前記第１の特典を付与可能な振り分け先に変更可能な振分変更手段（リンク機構８４０）と、
を備えていることを特徴とする遊技機。
【０５９１】
遊技機の代表例としてパチンコ機がある。従来の典型的なパチンコ機において、遊技領域に設けられた始動口に入球した場合に、その入球に応じて抽選を行い、当該抽選において大当りに当選した場合に、特別遊技状態となって多数の遊技球が入賞口へ入球可能となる構成が知られている。また、かかるパチンコ機は表示装置を備えており、当該表示装置では、上記抽選が行われたことに基づいて図柄の変動表示が開始され、当該変動表示の最終的な停止表示として上記抽選結果に応じた停止結果が表示される。
【０５９２】
また、従来のパチンコ機には、遊技球が、表示装置にて図柄の変動表示が行われている最中に始動口に入球した場合、大当りの抽選に用いる当り情報が予め定められた所定数（例えば、４個）を上限として保留記憶されるよう構成されたものがある。このとき、保留記憶された当り情報は、図柄の変動表示が終了した後に、大当りか否かの抽選に供され、それに伴って次回の図柄の変動表示が開始される。
【０５９３】
近年では、複数の始動口（例えば、２つの始動口）を設け、始動口毎に、当り情報を各始動口に対して許容される上限数まで保留記憶可能にした遊技機が知られている。そのような遊技機において、複数の始動口の各々に接続された複数の分岐通路と、所定の入口から進入した遊技球をこれら分岐通路のいずれかに振り分ける振分手段とを備えた入賞装置を用いることが知られている（例えば、特開２０１６−２２１４７号公報参照）。
【０５９４】
しかしながら、上記従来の遊技機のように、振分手段によって振り分けられた遊技球が通過することで所定の特典を付与する有利領域を備えた遊技機について未だ改良の余地があった。例えば、遊技球が通過することで所定の特典を付与する有利領域を、振分手段により振り分けられた遊技球が通過可能な有利領域とは別に設けた場合、振分手段による遊技球の振り分けによって特典を獲得する遊技だけでなく、別の有利領域を狙って遊技球を発射する遊技を行うこともできるので、遊技の単調化を抑制できるが、遊技者が獲得し得る特典に偏りが出やすい。そのため、遊技者は、獲得した特典が特定の検出部に応じた特典に集中したことで遊技を単調に感じたり、有利度が比較的低い特典ばかり獲得したことで遊技に不満を覚えたりする虞がある。
【０５９５】
これに対し、特徴４０に記載の遊技機であれば、遊技領域のうち操作部の操作量を第１操作量とした場合に遊技球が進入可能な第１遊技領域に設けられる振分用入口に進入した遊技球を複数の振り分け先のいずれかに振り分け可能に構成されるとともに、遊技球が、それら複数の振り分け先のうち第１の振り分け先に振り分けられた場合に、次回の振り分け先を、前記複数の振り分け先のうち、第１の振り分け先とは異なる第２の振り分け先に設定する。
【０５９６】
振分手段の下流側であって第１の振り分け先には、第１球通路が設けられている。第１球通路は、第１の検出部まで延びており、振分手段による振り分けによって第１球通路に進入した遊技球が第１の検出部により検出されると、特典付与手段により第１の特典が付与される。
【０５９７】
また、振分手段の下流側であって第２の振り分け先には、第２球通路が設けられている。第２球通路は、第２の検出部まで延びており、振分手段による振り分けによって第２球通路に進入した遊技球が第２の検出部により検出されると、特典付与手段により第１の特典とは異なる第２の特典が付与される。
【０５９８】
振分用入口とは異なる位置には、遊技球の通過口が設けられている。遊技球が該通過口を通過した場合、該遊技球は、第２の検出部、または、第２の特典を付与する他の検出部により検出され、それにより、第２の特典が付与される。よって、振分手段による遊技球の振り分けによって第１または第２の特典を獲得する遊技だけでなく、通過口を狙って遊技球を発射する遊技を行うこともできるので、遊技の単調化を抑制できる。
【０５９９】
遊技領域のうち操作部の操作量を第２操作量とした場合に遊技球が進入可能な第２遊技領域には、振り分け先変更用入口が設けられている。かかる振り分け先変更用入口を遊技球が通過した場合、該遊技球によって作動部が作動する。
【０６００】
振分手段が第２の振り分け先に遊技球を振り分ける状態において作動部が作動した場合には、当該作動部の作動に基づいて振分手段に作用する振分変更手段によって、振分手段による次回の振り分け先を、第２の振り分け先とは別の振り分け先であって、第１の特典を付与可能な振り分け先に変更することができる。
【０６０１】
第２の特典を付与可能な通過口を設けたことで、遊技者が獲得し得る特典に偏りが出る虞がある。これに対し、特徴４０に記載の遊技機によれば、振り分け先変更用入口が、操作部の操作量を変えることで、振分手段が設けられている第１遊技領域と打ち分けることが可能な第２遊技領域に設けられているので、遊技者は、必要に応じて操作部に対する操作量を変えることで、振分手段による次回の振り分け先を、第１の特典が付与される第１球通路に変更することができる。これにより、遊技者が複数の特典をバランスよく取ることが可能となり、遊技者が獲得し得る特典に偏りが生じることを抑制できる。
【０６０２】
なお、特徴４０に記載の「検出部に応じた特典」としては、検出部によって検出された場合に複数の特典が付与される場合における一部の特典であっても良いし、全ての特典であっても良い。また、検出部に応じた特典としては、複数の検出部に対応して所定の上限数まで保留記憶可能な乱数値記憶手段が別々に設けられている場合における、乱数値記憶手段が異なるが、抽選条件など、他の特典が同一の場合を含む。また、検出部に応じた特典としては、抽選条件、抽選確率、抽選に当選した場合に発生する特別遊技状態、遊技球の払出数などが例示される。
【０６０３】
また、特徴４０に記載の「次回の振り分け先」としては、遊技球の通過によって機械的に動作することで設定される次回の振り分け先であってもよいし、一定時間が経過したことに基づき、遊技球の進入有無にかかわらず動作することで設定される次回の振り分け先であってもよい。
【０６０４】
また、特徴４０に記載の「第２操作量」は、「第１操作量」と全く異なる量であってもよいし、「第２操作量」の一部範囲が、「第１操作量」の一部範囲と重なる量であってもよい。
【０６０５】
＜特徴４１＞
特徴４０に記載の遊技機であって、
前記振り分け先変更用入口は、前記通過口であることを特徴とする遊技機。
【０６０６】
特徴４１に記載の遊技機であれば、振り分け先変更用入口は、通過したことで第２の特典が付与される通過口であるので、遊技者が第２の特典を獲得した場合に、振分手段による次回の振り分け先を、第１の特典を付与可能な振り分け先に変更することができる。これにより、遊技者が獲得する特典が第２の特典に偏ることを好適に抑制できる。
【０６０７】
＜特徴４２＞
特徴４１に記載の遊技機であって、
所定の条件が成立したことに基づき発生する有利期間において、前記通過口への遊技球の進入確率を前記有利期間外に比べて高める進入確率変化手段（右始動入賞装置４３２の可動片、主制御基板）を備えていることを特徴とする遊技機。
【０６０８】
特徴４２に記載の遊技機であれば、通過口への遊技球の進入確率は、所定の条件が成立したことに基づき発生する有利期間において、進入確率変化手段により、有利期間外に比べて高まるように構成されるので、遊技者は、有利期間が発生した場合に、振り分け先変更用入口を兼ねる通過口が設けられた第２遊技領域を狙って遊技球を発射する可能性が高い。このように、第２遊技領域を狙って遊技球が発射される状況が生じ得る遊技機において、遊技者が獲得する特典が第２の特典に偏ることを好適に抑制できる。
【０６０９】
＜特徴４３＞
特徴４１または４２に記載の遊技機であって、
前記振分手段は、前記第１球通路および前記第２球通路を交互に振り分け先とするよう動作可能に構成され、
前記作動部は、前記振り分け先変更用入口である前記通過口を通過した遊技球が流下する通路における、重力方向に対して交差する向きに延びる通路に、該通路を通過する遊技球の重みで下方に動くよう設けられた可動部（振分先変更レバー８５０）により構成され、
前記振分変更手段は、前記可動部の動作によって前記振分部を動作可能に設けられた機械的なリンク部（リンク機構８４０）により構成され、
前記リンク部は、前記通過口を通過した遊技球によって前記可動部が動いた場合に、前記振分部の振り分け先が前記第１球通路となるよう前記振分部を動作させるよう構成されていることを特徴とする遊技機。
【０６１０】
特徴４３に記載の遊技機であれば、振り分け先変更用入口である通過口を通過した遊技球が流下する通路における、重力方向に対して交差する向きに延びる通路に、該通路を通過する遊技球の重みで下方に動くよう設けられた可動部として構成される。該可動部が、通過口を通過した遊技球の重みで下方に動いた場合に、機械的なリンク手段により構成される振分変更手段によって、次回の振り分け先が第１球通路となるよう振分手段が動作される。よって、機械的なリンク手段によって振り分け先の変更が行われるので、制御負荷を抑制しつつ、遊技者が獲得する特典が第２の特典に偏ることを抑制できる。
【０６１１】
＜特徴４４＞
特徴４０に記載の遊技機であって、
前記通過口は、前記遊技領域のうち、前記第２遊技領域以外の遊技領域に設けられ、
前記振り分け先変更用入口は、前記第２遊技領域から、前記通過口が設けられた前記遊技領域に移動する遊技球の通過位置に設けられていることを特徴とする遊技機。
【０６１２】
特徴４４に記載の遊技機であれば、振り分け先変更用入口は、第２遊技領域から、通過口が設けられた、第２遊技領域以外の遊技領域に移動する遊技球の通過位置に設けられている。これにより、遊技者が第２遊技領域を狙って遊技球を発射したものの、振り分け先変更用入口を通過して、第２の特典が付与される通過口に遊技球が進入する可能性が生じた場合には、振分手段による次回の振り分け先が、第１の特典を付与可能な振り分け先に変更されるので、遊技者が獲得する特典が第２の特典に偏ることを抑制できる。
【０６１３】
＜特徴５０＞
遊技球を検出可能な検出部（中始動入賞スイッチ４４１Ａ，４４１Ｂ）と、該検出部により遊技球が検出されたことに基づいて、遊技球を検出した前記検出部に応じた特典（第１特別図柄抽選、第２特別図柄抽選）を付与する特典付与手段（主制御基板９２０）と、を備えた遊技機（パチンコ機１００）であって、
所定の振分用入口（入口６１１）に進入した遊技球を複数の振り分け先のいずれかに振り分け可能に構成されるとともに、遊技球が前記複数の振り分け先のうち第１の振り分け先に振り分けられた場合に、次回の振り分け先を、前記複数の振り分け先のうち前記第１の振り分け先とは異なる第２の振り分け先に設定する振分手段（振分部６２０）と、
該振分手段の下流側であって前記第１の振り分け先に設けられ、前記検出部のうち前記特典付与手段によって第１の特典（第１特別図柄抽選）が付与される第１の検出部まで延びる第１球通路（主球通路６５２Ａ）と、
前記振分手段の下流側であって前記第２の振り分け先に設けられ、前記検出部のうち前記特典付与手段によって前記第１の特典とは異なる第２の特典（第２特別図柄抽選）が付与される第２の検出部まで延びる第２球通路（主球通路６５２Ｂ）と、
前記振分用入口とは異なる位置に設けられる遊技球の通過口であって、前記第２の検出部または前記第２の特典を付与する他の検出部（右始動入賞スイッチ４４２）により検出される通過口（右始動入賞装置４３２の入口部分）と、
前記第２の検出部または前記他の検出部によって遊技球が検出されたことに基づいて前記乱数値取得手段によって取得された乱数値を、所定の上限数まで保留記憶可能な乱数値記憶手段（主制御基板９２０のＲＡＭ）と、
前記通過口を通過した遊技球により作動する作動部（振分先変更レバー８５０）と、
前記振分手段が前記第２の振り分け先に遊技球を振り分ける状態において前記作動部が作動したことに基づいて前記振分手段に作用し、該第２の振り分け先とは別の振り分け先であって、前記第１の特典を付与可能な振り分け先に変更可能な振分変更手段（リンク機構８４０）と、
を備えていることを特徴とする遊技機。
【０６１４】
＜特徴５１＞
図柄を変動表示可能な図柄表示手段（装飾図柄表示装置４７９）と、遊技球を検出可能な、始動条件の成立に係る検出部（中始動入賞スイッチ４４１Ａ，４４１Ｂ）と、該検出部による遊技球の検出によって始動条件が成立したことに基づき、遊技球の検出によって始動条件を成立させ、当否に関わる乱数値を取得する乱数値取得手段（主制御基板９２０）と、前記始動条件が成立したことに基づき、図柄の変動表示であって前記始動条件の成立に係る前記検出部に応じた種別の変動表示（第１特別図柄に係る単位遊技、第２特別図柄に係る単位遊技）を前記図柄表示手段にて実行する変動表示実行手段（主制御基板９２０）と、該変動表示実行手段により変動表示が実行された場合、該変動表示に対応する前記始動条件の成立に基づいて前記乱数値取得手段によって取得された乱数値が所定の値である場合に、実行中の前記変動表示を所定の態様で停止して所定の特典を付与する特典付与手段（主制御基板９２０）と、を備えた遊技機（パチンコ機１００）であって、
所定の振分用入口（入口６１１）に進入した遊技球を複数の振り分け先のいずれかに振り分け可能に構成されるとともに、遊技球が前記複数の振り分け先のうち第１の振り分け先に振り分けられた場合に、次回の振り分け先を、前記複数の振り分け先のうち前記第１の振り分け先とは異なる第２の振り分け先に設定する振分手段（振分部６２０）と、
該振分手段の下流側であって前記第１の振り分け先に設けられ、前記変動表示の種別のうち第１変動表示（第１特別図柄に係る単位遊技）の実行に係る第１の検出部まで延びる第１球通路（主球通路６５２Ａ）と、
前記振分手段の下流側であって前記第２の振り分け先に設けられ、前記第１変動表示とは異なる種別の第２変動表示（第２特別図柄に係る単位遊技）の実行に係る第２の検出部まで延びる第２球通路（主球通路６５２Ｂ）と、
前記振分用入口とは異なる位置に設けられる遊技球の通過口であって、前記第２の検出部または前記第２変動表示の実行に係る他の検出部（右始動入賞スイッチ４４２）により検出される通過口（右始動入賞装置４３２の入口部分）と、
前記変動表示の種別毎に、該変動表示に対応する前記始動条件の成立に基づいて前記乱数値取得手段によって取得された乱数値を、所定の上限数まで保留記憶可能な乱数値記憶手段（主制御基板９２０のＲＡＭ）と、
前記通過口を通過した遊技球により作動する作動部（振分先変更レバー８５０）と、
前記振分手段が前記第２の振り分け先に遊技球を振り分ける状態において前記作動部が作動したことに基づいて前記振分手段に作用し、該第２の振り分け先とは別の振り分け先であって、前記第１変動表示の実行に係る検出部が下流側に設けられる振り分け先に変更可能な振分変更手段（リンク機構８４０）と、
を備えていることを特徴とする遊技機。
【０６１５】
遊技機の代表例としてパチンコ機がある。従来の典型的なパチンコ機において、遊技領域に設けられた始動口に入球した場合に、その入球に応じて抽選を行い、当該抽選において大当りに当選した場合に、特別遊技状態となって多数の遊技球が入賞口へ入球可能となる構成が知られている。また、かかるパチンコ機は表示装置を備えており、当該表示装置では、上記抽選が行われたことに基づいて図柄の変動表示が開始され、当該変動表示の最終的な停止表示として上記抽選結果に応じた停止結果が表示される。
【０６１６】
また、従来のパチンコ機には、遊技球が、表示装置にて図柄の変動表示が行われている最中に始動口に入球した場合、大当りの抽選に用いる当り情報が予め定められた所定数（例えば、４個）を上限として保留記憶されるよう構成されたものがある。このとき、保留記憶された当り情報は、図柄の変動表示が終了した後に、大当りか否かの抽選に供され、それに伴って次回の図柄の変動表示が開始される。
【０６１７】
近年では、複数の始動口（例えば、２つの始動口）を設け、始動口毎に、当り情報を各始動口に対して許容される上限数まで保留記憶可能にした遊技機が知られている。そのような遊技機において、複数の始動口の各々に接続された複数の分岐通路と、所定の入口から進入した遊技球をこれら分岐通路のいずれかに振り分ける振分手段とを備えた入賞装置を用いることが知られている（例えば、特開２０１６−２２１４７号公報参照）。
【０６１８】
しかしながら、上記従来の遊技機のように、振分手段によって振り分けられた遊技球が通過したことで当り情報の抽選が行われる有利領域を備えた遊技機について未だ改良の余地があった。例えば、遊技球が通過することで所定の特典を付与する有利領域を、振分手段により振り分けられた遊技球が通過可能な有利領域とは別に設けた場合、振分手段による遊技球の振り分けによって特典を獲得する遊技だけでなく、別の有利領域を狙って遊技球を発射する遊技を行うこともできるので、遊技の単調化を抑制できるが、遊技者が獲得し得る特典に偏りが出やすい。当り情報は特典毎に上限数まで保留記憶可能であるので、獲得し得る特典が偏ることで、特定の特典に対する当り情報の保留記憶数が上限数に達しやすい状況が生じる。遊技者は、特典として当り情報を得たにもかかわらず、その当り情報を保留記憶できず無駄にした場合、それによって遊技の興趣を失う虞がある。
【０６１９】
これに対し、特徴５０及び５１に記載の遊技機であれば、振分用入口に進入した遊技球を複数の振り分け先のいずれかに振り分け可能に構成されるとともに、遊技球が、それら複数の振り分け先のうち第１の振り分け先に振り分けられた場合に、次回の振り分け先を、前記複数の振り分け先のうち、第１の振り分け先とは異なる第２の振り分け先に設定する。
【０６２０】
振分手段の下流側であって第１の振り分け先には、第１球通路が設けられている。第１球通路は、変動表示の種別のうち第１変動表示に係る第１の検出部まで延びており、振分手段による振り分けによって第１球通路に進入した遊技球が第１の検出部により検出されると、変動表示実行手段により第１変動表示が実行される
また、振分手段の下流側であって第２の振り分け先には、第２球通路が設けられている。第２球通路は、第２変動表示の実行に係る第２の検出部まで延びており、振分手段による振り分けによって第２球通路に進入した遊技球が第２の検出部により検出されると、変動表示実行手段により第１変動表示が実行される
振分用入口とは異なる位置には、遊技球の通過口が設けられている。遊技球が該通過口を通過した場合、該遊技球は、第２の検出部、または、第２変動表示の実行に係る他の検出部により検出され、それにより、変動表示実行手段により第２変動表示が実行される。かかる通過口を遊技球が通過した場合、該遊技球によって作動部が作動する。
【０６２１】
振分手段が第２の振り分け先に遊技球を振り分ける状態において作動部が作動した場合には、当該作動部の作動に基づいて振分手段に作用する振分変更手段によって、振分手段による次回の振り分け先を、第２の振り分け先とは別の振り分け先であって、第１変動表示の実行に係る検出部が下流側に設けられる振り分け先に変更することができる。
【０６２２】
よって、遊技球が通過口を通過したことで、当該遊技球が、第２の検出部、または、第２変動表示の実行に係る他の検出部により検出された場合には、振分手段による次回の振り分け先を、第１変動表示の実行に係る検出部が下流側に設けられる振り分け先に変更することができるので、遊技球が第２変動表示の実行に係る検出部に偏って検出されることを抑制できる。乱数値記憶手段には変動表示の種別毎に保留記憶できる乱数値に上限があるので、特定の種別の変動表示（すなわち、第２変動表示）の実行に係る検出部に偏って遊技球が検出されることが抑制されることで、特定の種別の変動表示に対応する乱数値が保留記憶できなくなる状況を抑制できる。
【０６２３】
＜特徴５２＞
特徴５１に記載の遊技機であって、
所定の条件が成立したことに基づき発生する有利期間において、前記通過口への遊技球の進入確率を前記有利期間外に比べて高める進入確率変化手段（右始動入賞装置４３２の可動片、主制御基板９２０）を備えていることを特徴とする遊技機。
【０６２４】
特徴５２に記載の遊技機であれば、通過口への遊技球の進入確率は、所定の条件が成立したことに基づき発生する有利期間において、進入確率変化手段により、有利期間外に比べて高まるように構成されるので、遊技球は、有利期間において通過口を通過しやすい。よって、遊技球が第２変動表示の実行に係る検出部に検出される機会は、有利期間において増大する。このように、遊技球が第２変動表示の実行に係る検出部に検出される機会が特定の時期（すなわち、有利期間）に増大し得る遊技機において、遊技球が第２変動表示の実行に係る検出部に偏って検出されることを抑制できる。
【０６２５】
＜特徴５３＞
特徴５０〜５２のいずれかに記載の遊技機であって、
前記振分手段は、前記第１球通路および前記第２球通路を交互に振り分け先とするよう動作可能に構成され、
前記作動部は、前記通過口を通過した遊技球が流下する通路における、重力方向に対して交差する向きに延びる通路に、該通路を通過する遊技球の重みで下方に動くよう設けられた可動部（振分先変更レバー８５０）により構成され、
前記振分変更手段は、前記可動部の動作によって前記振分部を動作可能に設けられた機械的なリンク部（リンク機構８４０）により構成され、
前記リンク部は、前記通過口を通過した遊技球によって前記可動部が動いた場合に、前記振分部の振り分け先が前記第１球通路となるよう前記振分部を動作させるよう構成されていることを特徴とする遊技機。
【０６２６】
特徴５３に記載の遊技機であれば、通過口を通過した遊技球が流下する通路における、重力方向に対して交差する向きに延びる通路に、該通路を通過する遊技球の重みで下方に動くよう設けられた可動部として構成される。該可動部が、通過口を通過した遊技球の重みで下方に動いた場合に、機械的なリンク手段により構成される振分変更手段によって、次回の振り分け先が第１球通路となるよう振分手段が動作される。よって、機械的なリンク手段によって振り分け先の変更が行われるので、制御負荷を抑制しつつ、遊技球が第２変動表示の実行に係る検出部に偏って検出されることを抑制できる。
【０６２７】
＜特徴６０＞
遊技球を検出可能な検出部（中始動入賞スイッチ４４１Ａ，４４１Ｂ）と、該検出部により遊技球が検出されたことに基づいて、遊技球を検出した前記検出部に応じた特典（第１特別図柄抽選、第２特別図柄抽選）を付与する特典付与手段（主制御基板９２０）と、を備えた遊技機（パチンコ機１００）であって、
所定の振分用入口（入口６１１）に進入した遊技球を複数の振り分け先のいずれかに振り分け可能に構成されるとともに、遊技球が前記複数の振り分け先のうち第１の振り分け先に振り分けられた場合に、次回の振り分け先を、前記複数の振り分け先のうち前記第１の振り分け先とは異なる第２の振り分け先に設定する振分手段（振分部６２０）と、
該振分手段の下流側であって前記第１の振り分け先に設けられ、前記検出部のうち前記特典付与手段によって第１の特典（第１特別図柄抽選）が付与される第１の検出部まで延びる第１球通路（主球通路６５２Ａ）と、
前記振分手段の下流側であって前記第２の振り分け先に設けられ、前記検出部のうち前記特典付与手段によって前記第１の特典とは異なる第２の特典（第２特別図柄抽選）が付与される第２の検出部まで延びる第２球通路（主球通路６５２Ｂ）と、
前記振分用入口とは異なる位置に設けられる遊技球の通過口であって、前記第２の検出部または前記第２の特典を付与する他の検出部（右始動入賞スイッチ４４２）により検出される通過口（右始動入賞装置８６２の入口部分）と、
該通過口の入口を構成する部材であって、前記通過口への遊技球の進入を規制する進入禁止姿勢と、前記通過口への遊技球の進入を許容する進入許容姿勢とを切り替え可能に動作する可動片（右進入規制機構８８２の可動片）と、
前記通過口の入口より上流側に設けられ、前記可動片が前記進入許容姿勢である場合に遊技球を前記通過口の入口へ案内する案内通路（案内通路８９０）と、
該案内通路に進入した遊技球により作動する作動部（振分先変更レバー８５０）と、
前記振分手段が前記第２の振り分け先に遊技球を振り分ける状態において前記作動部が作動したことに基づいて前記振分手段に作用し、該第２の振り分け先とは別の振り分け先であって、前記第１の特典を付与可能な振り分け先に変更可能な振分変更手段（リンク機構８４０）と、
を備えていることを特徴とする遊技機。
【０６２８】
遊技機の代表例としてパチンコ機がある。従来の典型的なパチンコ機において、遊技領域に設けられた始動口に入球した場合に、その入球に応じて抽選を行い、当該抽選において大当りに当選した場合に、特別遊技状態となって多数の遊技球が入賞口へ入球可能となる構成が知られている。また、かかるパチンコ機は表示装置を備えており、当該表示装置では、上記抽選が行われたことに基づいて図柄の変動表示が開始され、当該変動表示の最終的な停止表示として上記抽選結果に応じた停止結果が表示される。
【０６２９】
また、従来のパチンコ機には、遊技球が、表示装置にて図柄の変動表示が行われている最中に始動口に入球した場合、大当りの抽選に用いる当り情報が予め定められた所定数（例えば、４個）を上限として保留記憶されるよう構成されたものがある。このとき、保留記憶された当り情報は、図柄の変動表示が終了した後に、大当りか否かの抽選に供され、それに伴って次回の図柄の変動表示が開始される。
【０６３０】
近年では、複数の始動口（例えば、２つの始動口）を設け、始動口毎に、当り情報を各始動口に対して許容される上限数まで保留記憶可能にした遊技機が知られている。そのような遊技機において、複数の始動口の各々に接続された複数の分岐通路と、所定の入口から進入した遊技球をこれら分岐通路のいずれかに振り分ける振分手段とを備えた入賞装置を用いることが知られている（例えば、特開２０１６−２２１４７号公報参照）。
【０６３１】
しかしながら、上記従来の遊技機のように、振分手段によって振り分けられた遊技球が通過したことで当り情報の抽選が行われる有利領域を備えた遊技機について未だ改良の余地があった。例えば、遊技球が通過することで所定の特典を付与する有利領域を、振分手段により振り分けられた遊技球が通過可能な有利領域とは別に設けた場合、振分手段による遊技球の振り分けによって特典を獲得する遊技だけでなく、別の有利領域を狙って遊技球を発射する遊技を行うこともできるので、遊技の単調化を抑制できるが、遊技者が獲得し得る特典に偏りが出やすい。そのため、遊技者は、獲得した特典が特定の検出部に応じた特典に集中したことで遊技を単調に感じたり、有利度が比較的低い特典ばかり獲得したことで遊技に不満を覚えたりする虞がある。
【０６３２】
これに対し、特徴６０に記載の遊技機であれば、振分用入口に進入した遊技球を複数の振り分け先のいずれかに振り分け可能に構成されるとともに、遊技球が、それら複数の振り分け先のうち第１の振り分け先に振り分けられた場合に、次回の振り分け先を、前記複数の振り分け先のうち、第１の振り分け先とは異なる第２の振り分け先に設定する。
【０６３３】
振分手段の下流側であって第１の振り分け先には、第１球通路が設けられている。第１球通路は、第１の検出部まで延びており、振分手段による振り分けによって第１球通路に進入した遊技球が第１の検出部により検出されると、特典付与手段により第１の特典が付与される。
【０６３４】
また、振分手段の下流側であって第２の振り分け先には、第２球通路が設けられている。第２球通路は、第２の検出部まで延びており、振分手段による振り分けによって第２球通路に進入した遊技球が第２の検出部により検出されると、特典付与手段により第１の特典とは異なる第２の特典が付与される。
【０６３５】
振分用入口とは異なる位置には、遊技球の通過口が設けられている。遊技球が該通過口を通過した場合、該遊技球は、第２の検出部、または、第２の特典を付与する他の検出部により検出され、それにより、第２の特典が付与される。よって、振分手段による遊技球の振り分けによって第１または第２の特典を獲得する遊技だけでなく、通過口を狙って遊技球を発射する遊技を行うこともできるので、遊技の単調化を抑制できる。
【０６３６】
かかる通過口の入口を構成する部材として可動片が設けられている。かかる可動片は、通過口への遊技球の進入を規制する進入禁止姿勢と、通過口への遊技球の進入を許容する進入許容姿勢とを切り替え可能に動作する。また、通過口の入口より上流側には、可動片が進入許容姿勢である場合に遊技球を通過口の入口へ案内する案内通路がある。よって、可動片が進入許容姿勢である状態、すなわち、通過口への遊技球の進入が許容された状態において、案内通路を通過する遊技球は、該案内通路によって通過口へと案内されて、通過口に進入する。
【０６３７】
振分手段が第２の振り分け先に遊技球を振り分ける状態において作動部が作動した場合には、当該作動部の作動に基づいて振分手段に作用する振分変更手段によって、振分手段による次回の振り分け先を、第２の振り分け先とは別の振り分け先であって、第１の特典を付与可能な振り分け先に変更することができる。
【０６３８】
第２の特典を付与可能な通過口を設けたことで、遊技者が獲得し得る特典に偏りが出る虞がある。これに対し、特徴６０に記載の遊技機によれば、案内通路を遊技球が通過した場合、該遊技球によって作動部が作動する。つまり、作動部は、案内通路を通過することで、通過口に進入する予定となった遊技球によって作動される。よって、遊技球が通過口に進入して第２の特典の付与が予定される状況が生じた場合には、振分手段による次回の振り分け先が、第１の特典が付与される第１球通路に変更されるので、遊技者が複数の特典をバランスよく取ることが可能となり、遊技者が獲得し得る特典に偏りが生じることを抑制できる。
【０６３９】
なお、特徴６０に記載の「検出部に応じた特典」としては、検出部によって検出された場合に複数の特典が付与される場合における一部の特典であっても良いし、全ての特典であっても良い。また、検出部に応じた特典としては、複数の検出部に対応して所定の上限数まで保留記憶可能な乱数値記憶手段が別々に設けられている場合における、乱数値記憶手段が異なるが、抽選条件など、他の特典が同一の場合を含む。また、検出部に応じた特典としては、抽選条件、抽選確率、抽選に当選した場合に発生する特別遊技状態、遊技球の払出数などが例示される。
【０６４０】
また、特徴６０に記載の「次回の振り分け先」としては、遊技球の通過によって機械的に動作することで設定される次回の振り分け先であってもよいし、一定時間が経過したことに基づき、遊技球の進入有無にかかわらず動作することで設定される次回の振り分け先であってもよい。
【０６４１】
＜特徴６１＞
特徴６０に記載の遊技機であって、
前記可動片が前記進入禁止姿勢である場合に前記案内通路とは別の方向側へ遊技球を誘導する第１姿勢をとり、前記可動片が前記進入許容姿勢である場合に前記案内通路へ遊技球を誘導可能な第２姿勢をとる案内通路誘導部（遊技球誘導機構８８４の可動片）が設けられていることを特徴とする遊技機。
【０６４２】
特徴６１に記載の遊技機であれば、可動片が進入禁止姿勢である場合、案内通路誘導部は、案内通路とは別の方向側へ遊技球を誘導する第１姿勢をとる。一方、可動片が進入許容姿勢である場合、案内通路誘導部は、案内通路へ遊技球を誘導可能な第２姿勢をとる。つまり、案内通路誘導部の姿勢（第１姿勢、第２姿勢）は、可動片の姿勢（進入禁止姿勢、進入許容姿勢）に連動して切り替わる。よって、可動片が進入許容姿勢である場合には、遊技球は案内通路誘導部によって案内通路に誘導されることで作動部を作動させる一方で、可動片が進入禁止姿勢である場合には、遊技球は案内通路誘導部によって案内通路とは別の方向側に誘導されることで、当該遊技球によって作動部が作動することを抑制できる。これにより、案内通路とは別の方向側に誘導されたことにより通過口への遊技球の進入が予定されない状況、第２の特典が付与される予定のない状況において、振分変更手段による、第１の特典を付与可能な振り分け先への変更が行われることを抑制できる。
【０６４３】
＜特徴６２＞
特徴６０または６１に記載の遊技機であって、
前記振分手段は、前記第１球通路および前記第２球通路を交互に振り分け先とするよう動作可能に構成され、
前記作動部は、前記案内通路に進入した遊技球が当接した場合に、該遊技球の進行方向に動くよう設けられた可動部（振分先変更レバー８５０）により構成され、
前記振分変更手段は、前記可動部の動作によって前記振分部を動作可能に設けられた機械的なリンク部（リンク機構８４０）により構成され、
前記リンク部は、前記通過口を通過した遊技球によって前記可動部が動いた場合に、前記振分部の振り分け先が前記第１球通路となるよう前記振分部を動作させるよう構成されていることを特徴とする遊技機。
【０６４４】
特徴６２に記載の遊技機であれば、作動部は、案内通路に進入した遊技球が当接することで、該遊技球の進行方向に動くよう設けられた可動部として構成される。該可動部が案内通路に進入した遊技球に基づいて動いた場合に、機械的なリンク手段により構成される振分変更手段によって、次回の振り分け先が第１球通路となるよう振分手段が動作される。よって、機械的なリンク手段によって振り分け先の変更が行われるので、制御負荷を抑制しつつ、遊技者が獲得する特典が第２の特典に偏ることを抑制できる。
【０６４５】
＜特徴６３＞
特徴６０から６２のいずれかに記載の遊技機であって、
遊技領域を流下する遊技球が衝突可能に前記遊技領域に立設された遊技釘を備え、
前記案内通路は、重力方向に対して交差する向きに配列された複数の前記遊技釘を遊技機正面視における上方側の通路壁とし、該通路壁と、前記進入許容姿勢の前記可動片、または、該可動片が前記進入許容姿勢となったことで配置された壁部との間に形成される通路部分を少なくとも含んで構成され、
前記作動部は、前記案内通路を構成する前記複数の遊技釘の下方に垂下された、前記遊技釘に近い側を軸として回動可能に設けられた可動部（振分先変更レバー８５０）として構成され、
該可動部は、前記案内通路を通過する遊技球が当接した場合に、該遊技球の進行方向に押されることで前記軸周りに回動することを特徴とする遊技機。
【０６４６】
特徴６３に記載の遊技機であれば、案内通路は、重力方向に対して傾斜する向きに配列された複数の遊技釘を遊技機正面視における上方側の通路壁とする通路部分を少なくとも含んで構成される。該通路部分は、複数の遊技釘からなる通路壁と、進入許容姿勢の可動片、または、該可動片が進入許容姿勢となったことで配置された壁部との間に形成される。作動部は、案内通路を構成する複数の遊技釘の下方に垂下されている可動部である。よって、可動片が進入許容姿勢になく、複数の遊技釘を通路壁として含む通路部分が形成されていない状況において、遊技領域を流下する遊技球が、複数の遊技釘の下方に垂下されている可動部に当接すること（すなわち、作動部が作動すること）を抑制できる。よって、通過口への遊技球の進入が予定されない状況、第２の特典が付与される予定のない状況において、振分変更手段による、第１の特典を付与可能な振り分け先への変更が行われることを抑制できる。
【０６４７】
＜特徴７０＞
所定の入口（入口１１２１）を介して進入した遊技球を下流側に排出可能であるとともに、２以上の予め定めた所定数の遊技球を停留可能な球受部（貯留部材１１１０）と、
該球受部より下流側に設けられて前記所定数の遊技球を該球受部に停留させることが可能な部材であって、前記球受部に遊技球を停留させる停留設定状態（排出規制位置）と、前記球受部に停留された遊技球を下流側に排出させる停留解除状態（排出許容位置）とを切り替え可能な動作部材（排出規制機構１１３０）と、
該動作部材を前記停留設定状態から前記停留解除状態に切り替える所定の操作が可能な操作部（入力操作装置２６４）と、
前記所定の入口から前記球受部に進入した遊技球が通過する可能性があり、通過した場合に異なる遊技価値が付与される複数種類の入球口（一般入賞装置４３９Ｃ〜４３９Ｆ）と、
該複数種類の入球口に対して下流側に設けられる検出手段（一般入賞スイッチ４４９Ｃ〜４４９Ｆ）と、
該検出手段によって遊技球の通過が検出された場合に、通過した入球口の種類に対応した遊技価値を付与する遊技価値付与手段（主制御基板９２０）と、を備え、
前記球受部は、
前記操作部に対し前記所定の操作がされて前記動作部材が前記停留解除状態に切り替えられた場合に遊技球を排出可能であって、
１個の遊技球を停留した所定の状態において当該１個の遊技球が排出されて得られる場合における１個当りの遊技球による遊技価値より１個当りの遊技球による遊技価値が多く付与される側に前記所定数の遊技球を排出可能に停留することを特徴とする遊技機。
【０６４８】
遊技機の代表例としてパチンコ機がある。従来の典型的なパチンコ機において、遊技球が流下する遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている（例えば、特開２００８−１６１６３８号公報参照）。
【０６４９】
しかしながら、従来の遊技機においては未だ改良の余地があった。例えば、遊技領域を流下する遊技球は遊技釘によって弾かれながら遊技領域を流下するものの、遊技球が各種入賞口に入賞する際の経路は一定的であるため、遊技者が入賞口に遊技球を入賞させる遊技に興味を失う虞があった。
【０６５０】
これに対し、特徴７０に記載の遊技機であれば、所定の入口から球受部に進入した遊技球は、通過した場合に異なる遊技価値が付与される複数種類の入球口を通過する可能性がある。該複数種類の入球口に対し下流側には検出手段が設けられており、該検出手段によって遊技球の通過が検出された場合には、遊技価値付与手段により、通過した入球口の種類に対応した遊技価値が付与される。
【０６５１】
球受部は２以上の予め定めた所定数の遊技球を停留可能に構成され、当該球受部より下流側には、前記所定数の遊技球を該球受部に停留させることが可能な動作部材が設けられている。動作部材は、球受部に遊技球を停留させる停留設定状態と、球受部に停留された遊技球を下流側に排出させる停留解除状態とを切り替え可能に構成される。操作部に対して所定の操作がされた場合に、動作部材が停留設定状態から停留解除状態に切り替えられると、球受部から遊技球が排出される。
【０６５２】
これにより、遊技者が所望のタイミングで操作部に対して所定の操作をすることで、遊技球を所望のタイミングで球受部から排出させることができるので、入球口（入賞口）に遊技球を入球（入賞）させる遊技を多様化させて、遊技の興趣性を向上させることができる。
【０６５３】
特に、球受部は、１個の遊技球を停留した所定の状態において当該１個の遊技球が排出されて得られる場合における１個当りの遊技球による遊技価値より１個当りの遊技球による遊技価値が多く付与される側に前記所定数の遊技球を排出可能に停留するよう構成されているので、遊技者は、より有利な遊技価値が得られるよう期待しながら、球受部に複数の遊技球を停留させる遊技を楽しむことができる。これにより、所望のタイミングで球受部から遊技球を排出させることで向上する、入球口に遊技球を入球させる遊技を多様化させて、遊技の興趣性を、相乗的により好ましく向上させることができる。
【０６５４】
＜特徴７１＞
特徴７０に記載の遊技機であって、
前記球受部は、
それぞれに少なくとも１個の遊技球を収容可能に所定の間隔で配列されるとともに、収容した遊技球を停留可能な複数の収容部（凹部１１１０Ａ〜１１１０Ｅ）を備え、
前記複数の収容部の一部を、該収容部から遊技球が排出された場合に該遊技球が前記入球口に通過する可能性がある排出位置に配置可能に構成され、
前記動作部材は、
前記球受部と前記複数の入球口との間に設けられ、前記球受部が備える前記収容部のうち前記排出位置に配置された前記収容部に対し、前記停留設定状態である場合には、遊技球が当該収容部から排出されることを規制することで、当該収容部に収容された遊技球を停留させ、前記停留解除状態である場合には、遊技球が当該収容部の出口から排出されることを許容することで、当該収容部に収容された遊技球を排出させ、
前記球受部は、
初期位置において、前記球受部が備える前記収容部のうち１の前記収容部の入口が前記所定の入口を介して進入した遊技球を受け入れ可能な受入位置に配置されて、該受入位置に配置された前記収容部に遊技球が所定個数収容された場合に次の前記収容部が前記受入位置に配置されるよう所定の第１方向に動作する一方で、前記操作部に対し前記所定の操作がされた場合には、前記初期位置に戻るよう前記第１方向とは反対向きの第２方向に動作するよう構成され、
前記所定数の遊技球を停留した所定の状態において前記操作部に対して前記所定の操作がされた場合、前記排出位置に配置された前記収容部から前記所定数の遊技球のうち一部の遊技球を排出した後、前記第２方向に動作したことで前記排出位置に配置された前記収容部から前記所定数の遊技球のうち残りの遊技球を排出することを特徴とする遊技機。
【０６５５】
特徴７１に記載の遊技機であれば、球受部は、それぞれに少なくとも１個の遊技球を収容可能に所定の間隔で配列されるとともに、収容した遊技球を停留可能な複数の収容部を備えている。動作部材は、球受部と複数の入球口との間に設けられ、球受部が備える収容部のうち排出位置に配置された収容部に対し、停留設定状態である場合には、遊技球が当該収容部から排出されることを規制することで、当該収容部に収容された遊技球を停留させる。一方、動作部材は、球受部が備える収容部のうち排出位置に配置された収容部に対し、停留解除状態である場合には、遊技球が当該収容部の出口から排出されることを許容することで、当該収容部に収容された遊技球を排出させる。
【０６５６】
また、球受部は、初期位置において、球受部が備える収容部のうち１の収容部の入口が所定の入口を介して進入した遊技球を受け入れ可能な位置（受入位置）に配置されている。かかる球受部は、受入位置に配置された収容部に遊技球が所定個数収容された場合に次の収容部が受入位置に配置されるよう所定の第１方向に動作する。よって、球受部に収容される遊技球の数が増えるにつれ、当該球受部は次第に第１方向に動作する。一方、球受部は、操作部に対し前記所定の操作がされた場合には、初期位置に戻るよう第１方向とは反対向きの第２方向に動作する。
【０６５７】
所定数の遊技球が停留された所定の状態において操作部に対して所定の操作がされた場合、球受部は、排出位置に配置された収容部から前記所定数の遊技球のうち一部の遊技球を排出した後、第２方向に動作したことで排出位置に配置された収容部から前記所定数の遊技球のうち残りの遊技球を排出する。
【０６５８】
よって、球受部に停留された所定数の遊技球は、所定の操作が操作部に入力された場合に、入球口に遊技球を通過させることが可能な位置（排出位置）に配置された収容部から排出されるだけでなく、球受部が第２方向に動作したことで入球口に遊技球を通過させることが可能な位置に配置された収容部からも排出されるので、球受部に停留される遊技球を排出させて入球口に入球させる遊技を多様化させて、遊技の興趣を好適に向上できる。
【０６５９】
また、収容部は、球受部が第２方向（つまり、遊技球が収容部に収容される場合に動作する第１方向と反対向きの方向）に動作したことで排出位置に配置されるよう設けられているので、入球口の配設数が所定数より少ない場合であっても、それら所定数の遊技球を入球口に入球させることが可能となる。よって、入球口の設置数を抑制しつつ好適な興趣を付与することが可能であり、限りある遊技領域を有効利用できる。
【０６６０】
＜特徴７２＞
特徴７１に記載の遊技機であって、
前記球受部は、
前記所定数の遊技球を停留した所定の状態において前記操作部に対して前記所定の操作がされた場合、前記排出位置に配置された前記収容部から前記所定数の遊技球のうち一部の遊技球を排出した後、前記第２方向に動作したことで前記排出位置に配置された前記収容部から前記所定数の遊技球のうち残りの遊技球であって当該収容部に収容された時期が前記一部の遊技球より遅い遊技球を排出し、
前記残りの遊技球のうち少なくとも１の遊技球を、前記複数種類の入球口のうち最低の遊技価値より高い遊技価値が付与される前記入球口を遊技球が通過する可能性がある前記排出位置にて排出することを特徴とする遊技機。
【０６６１】
特徴７２に記載の遊技機であれば、球受部が第２方向に動作したことで排出位置に配置された収容部から排出された遊技球は、その少なくとも１個が、最低の遊技価値より高い遊技価値が付与される入球口を遊技球が通過する可能性がある排出位置にて排出される。球受部が第２方向に動作したことで排出位置に配置された収容部から排出された遊技球は、当該球受部が第２方向に動作する前に排出された遊技球より収容部に収容された時期が遅いので、球受部に複数の遊技球を収容部に収容させる（停留させる）遊技の興趣を好適に向上させることができる。
【０６６２】
＜特徴７３＞
特徴７１または７２に記載の遊技機であって、
前記受入位置に配置された前記収容部の入口より上流側に設けられ、前記動作部材が前記停留設定状態である場合に前記受入位置に配置された収容部への遊技球の進入を許容する進入許容状態（貯留許容位置）をとり、前記操作部に対し前記所定の操作がされたことで前記動作部材が前記停留解除状態に切り替えられた場合に前記受入位置に配置された前記収容部への遊技球の進入を規制する進入規制状態（貯留規制位置）に切り替えられる第２動作部材（貯留規制機構１１４０）を備えていることを特徴とする遊技機。
【０６６３】
特徴７３に記載の遊技機であれば、受入位置に配置された収容部の入口より上流側には、動作部材が停留設定状態である場合に当該受入位置に配置された収容部への遊技球の進入を許容する進入許容状態をとる第２動作部材が設けられているので、動作部材が停留設定状態である間は、受入位置にて遊技球を順次収容部に収容することができる。かかる第２動作部材は、操作部に対し所定の操作がされた場合には、受入位置に配置された収容部への遊技球の進入を規制する進入規制状態に切り替えられる。よって、操作部に対し所定の操作がされたことで第２方向に動作する球受部の収容部に遊技球が進入することを抑制できる。これにより、遊技球が意図せず収容部に進入したり、収容部に遊技球が進入したことで第２方向に動作する球受部が初期位置に戻る前に当該動作が停止されてしまうなどの不具合の発生を好適に抑制できる。
【０６６４】
＜特徴７４＞
特徴７２または７３に記載の遊技機であって、
前記球受部は、
前記収容部と前記収容部との間に、一方の前記収容部に収容された遊技球が他方の前記収容部に移動することを阻止する阻止部を備え、
遊技機正面視における前後方向に延びる中心軸によって回転可能であるとともに、全ての前記収容部について該収容部の入口かつ出口として機能する開口が外周側に形成された回転体として構成され、
前記遊技機は、
前記中心軸を中心とする円における上方側の円弧部分に沿って、前記所定の入口から前記受入位置に配置された前記収容部まで遊技球を誘導可能な通路部であって、複数個の遊技球を前記収容部に収容されるまで待機させることが可能に構成された通路部（誘導通路１１２２）を備えていることを特徴とする遊技機。
【０６６５】
特徴７４に記載の遊技機であれば、球受部は、収容部と収容部との間には、一方の収容部に収容された遊技球が他方の収容部に移動することを阻止する阻止部が設けられており、略中央を通る遊技機正面視における前後方向の中心軸周りに回転可能であるとともに、全ての前記収容部のそれぞれに対し該収容部の入口かつ出口として機能する開口が外周側に形成された回転体として構成される。かかる球受部の中心軸を中心とする円における上方側の円弧部分に沿って、所定の入口から受入位置に配置された収容部まで遊技球を誘導可能であるとともに、複数個の遊技球を収容部に収容されるまで待機させることが可能な通路部が形成されている。よって、所定の入口を介して進入した遊技球を複数個待機させる機能を省スペースで実現できる。
【０６６６】
＜特徴８０＞
所定の入口を介して進入した所定数の遊技球を下流側に排出可能であるとともに、少なくとも１個の遊技球を停留可能な球受部（クルーン１２２０）と、
該球受部より下流側に設けられて少なくとも１個の遊技球を該球受部に停留させることが可能な部材であって、前記球受部に遊技球を停留させる停留設定状態（第２位置）と、前記球受部に停留された遊技球を下流側に排出させる停留解除状態（第１位置）とを切り替え可能な動作部材（球支持部材１２３０）と、
該動作部材を前記停留設定状態から前記停留解除状態に切り替える所定の操作が可能な操作部（入力操作装置２６４）と、
前記所定の入口から前記球受部に進入した遊技球が通過する可能性があり、通過した場合に異なる遊技価値が付与される複数種類の入球口（一般入賞装置４３９Ｇ〜４３９Ｉ）と、
該複数種類の入球口に対して下流側に設けられる検出手段（一般入賞スイッチ４４９Ｇ〜４４９Ｉ）と、
該検出手段によって遊技球の通過が検出された場合に、通過した入球口の種類に対応した遊技価値を付与する遊技価値付与手段（主制御基板９２０）と、を備え、
前記球受部は、
前記操作部に対し前記所定の操作がされて前記動作部材が前記停留解除状態に切り替えられた場合に遊技球を排出可能であって、
前記動作部材によって前記所定数より少ない所定少数の遊技球が停留した所定の状態において当該所定少数の遊技球が排出されて得られる場合における１個当りの遊技球による遊技価値より１個当りの遊技球による遊技価値が多く付与される側に、前記所定少数の遊技球が停留した後に前記所定の入口に進入した後続の遊技球を含む前記所定数の遊技球を排出可能に構成されていることを特徴とする遊技機。
【０６６７】
遊技機の代表例としてパチンコ機がある。従来の典型的なパチンコ機において、遊技球が流下する遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている（例えば、特開２００８−１６１６３８号公報参照）。
【０６６８】
しかしながら、従来の遊技機においては未だ改良の余地があった。例えば、遊技領域を流下する遊技球は遊技釘によって弾かれながら遊技領域を流下するものの、遊技球が各種入賞口に入賞する際の経路は一定的であるため、遊技者が入賞口に遊技球を入賞させる遊技に興味を失う虞があった。
【０６６９】
これに対し、特徴８０に記載の遊技機であれば、所定の入口から球受部に進入した遊技球は、通過した場合に異なる遊技価値が付与される複数種類の入球口を通過する可能性がある。該複数種類の入球口に対し下流側には検出手段が設けられており、該検出手段によって遊技球の通過が検出された場合には、遊技価値付与手段により、通過した入球口の種類に対応した遊技価値が付与される。
【０６７０】
球受部は、所定の入口を介して進入した所定数の遊技球を下流側に排出可能であるとともに、少なくとも１個の遊技球を停留可能に構成される。当該球受部より下流側には、少なくとも１個の遊技球を該球受部に停留させることが可能な動作部材が設けられている。動作部材は、球受部に遊技球を停留させる停留設定状態と、球受部に停留された遊技球を下流側に排出させる停留解除状態とを切り替え可能に構成される。操作部に対して所定の操作がされた場合に、動作部材が停留設定状態から停留解除状態に切り替えられると、球受部から遊技球が排出される。
【０６７１】
これにより、遊技者が所望のタイミングで操作部に対して所定の操作をすることで、遊技球を所望のタイミングで球受部から排出させることができるので、入球口（入賞口）に遊技球を入球（入賞）させる遊技を多様化させて、遊技の興趣性を向上させることができる。
【０６７２】
特に、球受部は、動作部材によって所定数より少ない所定少数の遊技球が停留した所定の状態において当該所定少数の遊技球が排出されて得られる場合における１個当りの遊技球による遊技価値より１個当りの遊技球による遊技価値が多く付与される側に、前記所定少数の遊技球が停留した後に所定の入口に進入した後続の遊技球を含む所定数の遊技球を排出可能に構成されている。よって、遊技者は、前記所定少数の遊技球を球受部に停留させた場合、その後は、より有利な遊技価値が得られるよう期待しながら、球受部に遊技球を進入させる遊技を楽しむことができる。これにより、所望のタイミングで球受部から遊技球を排出させることで向上する、入球口に遊技球を入球させる遊技を多様化させて、遊技の興趣性を、相乗的により好ましく向上させることができる。
【０６７３】
＜特徴８１＞
特徴８０に記載の遊技機であって、
前記球受部は、
前記複数種類の入球口の入口部分として機能する複数の開口部（孔１２２０Ａ〜１２２０Ｃ）と、
前記所定の入口を介して進入した遊技球を転動させることで前記複数の開口部のいずれかに振り分ける傾斜面（クルーン１２２０の内壁）と、を備え、
前記動作部材は、
前記複数の開口部のうち、少なくとも、前記複数種類の入球口のうち最低の遊技価値が付与される前記入球口の入口部分として機能する前記開口部に対し、該開口部に前記傾斜面によって振り分けられた遊技球を、前記停留設定状態において停留させ、前記停留解除状態において下流側に排出させるよう設けられていることを特徴とする遊技機。
【０６７４】
特徴８１に記載の遊技機であれば、球受部は、複数種類の入球口の入口部分として機能する複数の開口部を備えており、所定の入口を介して進入した遊技球は、当該複数の開口部より上流側に設けられた傾斜面によって、前記複数の開口部のいずれかに振り分けられる。よって、遊技者は、球受部に遊技球が進入した場合、当該遊技球がどの遊技価値に対応する入球口に振り分けられるかを期待しながら、傾斜面による遊技球の振り分けを楽しむことができる。
【０６７５】
ここで、動作部材は、複数の開口部のうち、少なくとも、複数種類の入球口のうち最低の遊技価値が付与される入球口の入口部分として機能する開口部に対し、該開口部に振り分けられた遊技球を、停留設定状態において停留させ、停留解除状態において下流側に排出させるよう設けられているので、動作部材が停留設定状態である場合、最低の遊技価値が付与される入球口の入口部分として機能する開口部（最低の遊技価値に対応する開口部）に振り分けられた遊技球は、停留解除状態に切り替えられるまで球受部に停留する。そのため、後続の遊技球は、最低の遊技価値に対応する開口部には振り分けられず、他の遊技価値が付与される入球口に対応する開口部に振り分けられることになる。よって、遊技球が傾斜面によって最低の遊技価値に対応する開口部に振り分けられたとしても、遊技者は、１個当りの遊技球による遊技価値が上がることを期待しながら、球受部に後続の遊技球を進入させる遊技を楽しむことができる。
【０６７６】
＜特徴８２＞
特徴８１に記載の遊技機であって、
前記複数の開口部のうち、前記最低の遊技価値より高い遊技価値が付与される前記入球口の入口部分として機能する少なくとも１の前記開口部は、該開口部に対し前記傾斜面によって遊技球が振り分けられた場合、該遊技球を停留させることなく下流側に排出させるよう設けられていることを特徴とする遊技機。
【０６７７】
特徴８２に記載の遊技機であれば、複数の開口部のうち、最低の遊技価値より高い遊技価値が付与される入球口の入口部分として機能する少なくとも１の開口部は、遊技球を停留させることなく下流側に排出させるよう設けられているので、かかる開口部に遊技球が振り分けられた場合、遊技者は、操作部に対して所定の操作を行うことなく、最低の遊技価値より高い遊技価値を得ることができる。
【０６７８】
なお、特徴１０〜８２に記載の少なくとも１つの特徴を他のいずれか又は複数の特徴に組み合わせて適用しても良い。以下には、上記した各特徴を適用し得る遊技機の基本構成を示す。
【０６７９】
パチンコ機：遊技者が操作する発射操作手段と、その発射操作手段の操作に基づいて遊技球を発射する遊技球発射手段と、その発射された遊技球を所定の遊技領域に導く通路部と、遊技領域内に配置された各遊技部品とを備え、それら各遊技部品のうち所定の通過部を遊技球が通過した場合に遊技者に特典を付与する遊技機。
【０６８０】
スロットマシン等の回胴式遊技機：始動操作手段の操作に基づき周回体の回転を開始させ、停止操作手段の操作に基づき周回体の回転を停止させ、その停止後の絵柄に応じて遊技者に特典を付与する遊技機。
【産業上の利用可能性】
【０６８１】
以上のように、この発明は、弾球遊技機等の遊技機に適している。
【符号の説明】
【０６８２】
１００…遊技機、４００…遊技盤、４３１…中始動入賞装置、４３１Ａ…左側中始動入賞装置、４３１Ｂ…右側中始動入賞装置、４４１…中始動入賞スイッチ、Ｊ１…検出部、Ｊ２…回路部、６１２…誘導部、６２０…振分部、６３４…突起部、６５２Ａ，６５２Ｂ…主球通路、６５３Ａ，６５３Ｂ，６５３Ｃ…従球通路、６５４Ａ１，６５４Ａ２，６５４Ｂ１，６５４Ｂ２…入口部、８１０…振分先変更レバー、８２０…リンク機構、８４０…リンク機構、８５０…振分先変更レバー、８６２…右始動入賞装置、８８２…右進入規制機構、８８４…遊技球誘導機構、８９０…案内通路、２６４…入力操作装置、４３９Ｃ〜４３９Ｆ…一般入賞装置、４４９Ｃ〜４４９Ｆ…一般入賞スイッチ、９２０…主制御基板、１１００…貯留装置、１１１０…貯留部材、１１１０Ａ〜１１１０Ｅ…凹部、１１２１…入口、１１２２…誘導通路、１１３０…排出規制機構、１１４０…貯留規制機構、１２００…振分装置、１２２０…クルーン、１２２０Ａ〜１２２０Ｃ…孔
【図１】
2020157153.tif 000003
【図２】
2020157153.tif 000004
【図３】
2020157153.tif 000005
【図４】
2020157153.tif 000006
【図５】
2020157153.tif 000007
【図６】
2020157153.tif 000008
【図７】
2020157153.tif 000009
【図８】
2020157153.tif 000010
【図９】
2020157153.tif 000011
【図１０】
2020157153.tif 000012
【図１１】
2020157153.tif 000013
【図１２】
2020157153.tif 000014
【図１３】
2020157153.tif 000015
【図１４】
2020157153.tif 000016
【図１５】
2020157153.tif 000017
【図１６】
2020157153.tif 000018
【図１７】
2020157153.tif 000019
【図１８】
2020157153.tif 000020
【図１９】
2020157153.tif 000021
【図２０】
2020157153.tif 000022
【図２１】
2020157153.tif 000023
【図２２】
2020157153.tif 000024
【図２３】
2020157153.tif 000025
【図２４】
2020157153.tif 000026
【図２５】
2020157153.tif 000027
【図２６】
2020157153.tif 000028
【図２７】
2020157153.tif 000029
【図２８】
2020157153.tif 000030
【図２９】
2020157153.tif 000031
【図３０】
2020157153.tif 000032
【図３１】
2020157153.tif 000033
【図３２】
2020157153.tif 000034
【図３３】
2020157153.tif 000035